(57)【要約】【課題】ガス分離膜を有するガス組成調節部（40，60）を備え、コンテナなどの収納庫（1）の内部の庫内空気の組成を調節する庫内空気調節装置において、ガス分離膜の分離性能を必要なガス成分に合わせて調整する。【解決手段】ガス組成調節部（40，60）のガス分離膜へエアポンプ（36，37）から供給される空気の圧力を調節する圧力調節弁（46，66）を設ける。【選択図】図３
2019066170.tif 000002
【特許請求の範囲】
【請求項１】
収納庫（1）の内部の庫内空気の組成を調節する庫内空気調節装置であって、
上記収納庫（1）の外部の庫外空気から該庫外空気とは組成が異なる供給用空気をガス分離膜（85）で分離する第１分離部（41）を有し、上記供給用空気を上記収納庫（1）の内部へ供給する第１組成調節部（40）と、
上記収納庫（1）の内部の庫内空気から該庫内空気とは組成が異なる排出用空気をガス分離膜（85）で分離する第２分離部（61）を有し、上記排出用空気を上記収納庫（1）の外部へ排出する第２組成調節部（60）と、
上記第１分離部（41）及び第２分離部（61）へ空気を供給するエアポンプ（36，37）と、を備え、
上記第１分離部（41）及び第２分離部（61）の少なくとも一方へ上記エアポンプ（36，37）から供給される空気の圧力を調節する圧力調節器（39，46，66，48，68）を備えている
ことを特徴とする庫内空気調節装置。
【請求項２】
請求項１において、
上記圧力調節器（39，46，66，48，68）は、上記ガス分離膜（85）の下流側に設けられた弁機構（46，66）により構成されている
ことを特徴とする庫内空気調節装置。
【請求項３】
請求項２において、
上記圧力調節器（66）は、上記第２組成調節部（60）の分離膜（85）の下流側に設けられている
ことを特徴とする庫内空気調節装置。
【請求項４】
請求項２において、
上記圧力調節器（46，66）は、第１組成調節部（40）の分離膜（85）の下流側と、上記第２組成調節部（60）の分離膜（85）の下流側とに設けられている
ことを特徴とする庫内空気調節装置。
【請求項５】
請求項１において、
上記圧力調節器（48，68）は、上記エアポンプ（36，37）への空気の流入側に設けられている
ことを特徴とする庫内空気調節装置。
【請求項６】
請求項１において、
上記圧力調節器（48，68）は、上記エアポンプ（36，37）からの空気の流出側に設けられている
ことを特徴とする庫内空気調節装置。
【請求項７】
請求項１において、
上記圧力調節器（39，46，66）は、上記エアポンプ（36，37）に供給される電流の周波数を変更して流量を変化させるインバータ（39）により構成されていることを特徴とする庫内空気調節装置。
【請求項８】
請求項１から７の何れか１つにおいて、
第１組成調節部（40）に代えて、上記収納庫（1）の庫内空気から窒素と酸素及び二酸化炭素とを分離し、庫内空気よりも窒素濃度が高くて酸素濃度及び二酸化炭素濃度が低い低酸素濃度ガスと、庫内空気よりも窒素濃度が低くて酸素濃度及び二酸化炭素濃度が高い高酸素濃度ガスとを生成可能な吸着剤が設けられた吸着部（234,235）を備えている
ことを特徴とする庫内空気調節装置。
【請求項９】
請求項１から８の何れか１つにおいて、
上記収納庫（1）の庫内の二酸化炭素濃度と酸素濃度を測定する濃度測定器（90）と、
上記濃度測定器（90）の測定値を予め定められた二酸化炭素濃度の目標値及び酸素濃度の目標値に近づけるように、エアポンプ（36，37）から供給される空気の圧力を上記圧力調節器（39，46，66，48，68）で制御して、上記ガス分離膜（85）の分離圧力を調整する制御器（110）と、
を備えていることを特徴とする庫内空気調節装置。
【請求項１０】
請求項９において、
上記制御器（110）は、上記収納庫（1）の庫内の二酸化炭素濃度が目標値よりも高く、上記収納庫（1）の庫内の酸素濃度が目標値よりも高い場合に、第１組成調節部（40）で庫外空気よりも酸素濃度が低い低酸素濃度ガスを生成して収納庫（1）の庫内へ供給し、第２組成調節部（60）でガス分離膜（85）の分離圧力を低下させて庫外へのガスの排出量を低下させる
ことを特徴とする庫内空気調節装置。
【請求項１１】
請求項９において、
上記第２組成調節部（60）は、組成調節後の空気を収納庫（1）の庫内へ供給可能に構成され、
上記制御器（110）は、上記収納庫（1）の二酸化炭素濃度が目標値よりも低く、上記収納庫（1）の酸素濃度が目標値よりも高い場合に、第１組成調節部（40）で庫外空気よりも酸素濃度が低い低酸素濃度ガスを生成して収納庫（1）の庫内へ供給し、第２組成調節部（60）のガス分離膜（85）の分離圧力を上昇させて収納庫（1）の庫内へ戻す組成調節後の空気量を増加させる
ことを特徴とする庫内空気調節装置。
【請求項１２】
請求項９において、
上記第２組成調節部（60）は、組成調節後の空気を収納庫（1）の庫内へ供給可能に構成され、
上記制御器（110）は、上記収納庫（1）の二酸化炭素濃度が目標値よりも低く、上記収納庫（1）の酸素濃度が目標値よりも低い場合に、第１組成調節部（40）で生成した庫外空気よりも酸素濃度が高い高酸素濃度ガスまたは庫外空気を収納庫（1）の庫内へ供給し、第２組成調節部（60）のガス分離膜（85）の分離圧力を上昇させて収納庫（1）の庫内へ戻す組成調節後の空気量を増加させる
ことを特徴とする庫内空気調節装置。
【請求項１３】
請求項９において、
上記制御器（110）は、上記収納庫（1）の二酸化炭素濃度が目標値よりも高く、上記収納庫（1）の酸素濃度が目標値よりも低い場合に、庫外空気を庫内空間（1）へ供給し、第２組成調節部（60）のガス分離膜（85）の分離圧力を上昇させて生成した、庫内空気よりも二酸化炭素濃度が高い二酸化炭素ガスを庫外空間（1）へ排出する動作か、または、第１組成調節部（40）で生成した庫外空気よりも酸素濃度が高い高酸素濃度ガスを庫内空間（1）へ供給し、第２組成調節部（60）のガス分離膜（85）の分離圧力を低下させて庫外へ排出する組成調節後の空気量を減少させる動作を行う
ことを特徴とする庫内空気調節装置。
【発明の詳細な説明】
【技術分野】
【０００１】
本開示は、収納庫の庫内空気の組成を調節する庫内空気調節装置に関するものである。
【背景技術】
【０００２】
農産物等の植物の鮮度低下の抑制を目的として、農産物等を収容する倉庫や輸送用コンテナの庫内空気の組成（例えば、庫内空気の酸素濃度や二酸化炭素濃度）を調節する庫内空気調節装置が知られている。
【０００３】
特許文献１には、庫内空気の組成を調節する装置を持ったコンテナが開示されている。この特許文献１の装置は、二酸化炭素の透過性が酸素の透過性よりも高いガス分離膜を用いて、庫内空気の組成を調節する。具体的に、この装置は、ガス分離膜の一方の表面に二酸化炭素を含む庫内空気を接触させ、ガス分離膜の他方の表面に二酸化炭素を殆ど含まない外気を接触させることによって、農産物等の呼吸によって生じた二酸化炭素をコンテナの外部へ排出する（特許文献１の明細書２０ページ１４行〜２１ページ２行を参照）。また、この装置は、庫内の酸素濃度が低下すると、コンテナの庫内と庫外を連通させる通路を開き、この通路を通じて外気を庫内へ流入させる（特許文献１の明細書２０ページ５〜１２行を参照）。
【先行技術文献】
【特許文献】
【０００４】
【特許文献１】国際公開第２００７／０３３６６８号
【発明の概要】
【発明が解決しようとする課題】
【０００５】
ところで、従来の一般的な庫内空気調節装置では、庫内空気をガス分離膜に通して庫外へ排出したり、外気を庫内へ導入したりするために、エアポンプが用いられる。ここで、エアポンプのガス流量が一定（ポンプ圧が一定）であると、ガス分離膜の分離性能を必要なガス成分に合わせて調節することはできない。
【０００６】
本開示の目的は、ガス分離膜の分離性能を必要なガス成分に合わせて調整できるようにすることである。
【課題を解決するための手段】
【０００７】
本開示の第１の態様は、収納庫（1）の内部の庫内空気の組成を調節する庫内空気調節装置を前提とする。
【０００８】
そして、この庫内空気調節装置は、上記収納庫（1）の外部の庫外空気から該庫外空気とは組成が異なる供給用空気をガス分離膜（85）で分離する第１分離部（41）を有し、上記供給用空気を上記収納庫（1）の内部へ供給する第１組成調節部（40）と、上記収納庫（1）の内部の庫内空気から該庫内空気とは組成が異なる排出用空気をガス分離膜（85）で分離する第２分離部（61）を有し、上記排出用空気を上記収納庫（1）の外部へ排出する第２組成調節部（60）と、上記第１分離部（41）及び第２分離部（61）へ空気を供給するエアポンプ（36，37）と、を備え、上記第１分離部（41）及び第２分離部（61）の少なくとも一方へ上記エアポンプ（36，37）から供給される空気の圧力を調節する圧力調節器（39，46，66，48，68）を備えていることを特徴とする。
【０００９】
この第１の態様では、上記ガス分離膜（85）へエアポンプ（36，37）から供給される空気の圧力が圧力調節器（39，46，66，48，68）で調整される。したがって、ガス分離膜（85）を通るガスの圧力を変化させることができ、ガス分離性能を調整することができる。
【００１０】
第２の態様は、第１の態様において、
上記圧力調節器（39，46，66，48，68）が、上記ガス分離膜（85）の下流側に設けられた弁機構（46，66）により構成されていることを特徴とする。この構成において、弁機構（46，66）には、例えば流量調整弁や、口径が異なる複数の開閉弁を並列に接続したものを用いることができる。
【００１１】
この第２の態様では、例えば流量調整弁や、口径が異なる複数の開閉弁を並列に接続したものを用いて構成した弁機構（46，66）を用いることにより、ガス分離膜（85）を通るガスの圧力を変化させることができる。
【００１２】
第３の態様は、第２の態様において、上記圧力調節器（66）が、上記第２組成調節部（60）の分離膜（85）の下流側に設けられていることを特徴とする。
【００１３】
この第３の態様では、第２組成調節部（60）の分離膜（85）の下流側に圧力調節器（66）を設けたことにより、庫内から庫外へ空気が流れる経路でガス分離膜（85）の分離圧力が調節される。
【００１４】
第４の態様は、第２の態様において、上記圧力調節器（46，66）が、第１組成調節部（40）の分離膜（85）の下流側と、上記第２組成調節部（60）の分離膜（85）の下流側とに設けられていることを特徴とする。
【００１５】
この第４の態様では、第１組成調節部（40）の分離膜（85）の下流側と、第２組成調節部（60）の分離膜（85）の下流側に圧力調節器（66）を設けたことにより、庫外から庫内へ空気が流れる経路と、庫内から庫外へ空気が流れる経路でガス分離膜（85）の分離圧力が調節される。
【００１６】
第５の態様は、第１の態様において、上記圧力調節器（48，68）が、上記エアポンプ（36，37）への空気の流入側に設けられていることを特徴とする。
【００１７】
この第５の態様では、エアポンプ（36，37）への空気の流入側で空気の圧力を調整することで、ガス分離膜（85）の分離圧力が調節される。
【００１８】
第６の態様は、第１の態様において、上記圧力調節器（48，68）が、上記エアポンプ（36，37）からの空気の流出側に設けられていることを特徴とする。
【００１９】
この第６の態様では、エアポンプ（36，37）からの空気の流出側で空気の圧力を調整することで、ガス分離膜（85）の分離圧力が調節される。
【００２０】
第７の態様は、第１の態様において、上記圧力調節器（39，46，66）が、上記エアポンプ（36，37）に供給される電流の周波数を変更して流量を変化させるインバータ（39）により構成されていることを特徴とする。
【００２１】
この第７の態様では、インバータ（39）により電流の周波数を変化させてエアポンプ（36，37）の吐出ガス流量を変化させることにより、ガス分離膜（85）を通るガスの圧力を変化させることができる。
【００２２】
第８の態様は、第１から第７の態様の何れか１つにおいて、第１組成調節部（40）に代えて、上記収納庫（1）の庫内空気から窒素と酸素及び二酸化炭素とを分離し、庫内空気よりも窒素濃度が高くて酸素濃度及び二酸化炭素濃度が低い低酸素濃度ガスと、庫内空気よりも窒素濃度が低くて酸素濃度及び二酸化炭素濃度が高い高酸素濃度ガスとを生成可能な吸着剤が設けられた吸着部（234,235）を備えていることを特徴とする。
【００２３】
この第８の態様では、収納庫（1）の庫内空気から窒素と酸素とをガス分離膜（85）で分離して低酸素濃度ガスと高酸素濃度ガスを生成する第１組成調節部（40）に加えて吸着剤が設けられた吸着部（234,235）を備えた構成において、ガス分離膜（85）を通るガスの圧力を変化させることができ、ガス分離性能を調整することができる。
【００２４】
第９の態様は、第１から第８の態様の何れか１つにおいて、上記収納庫（1）の庫内の二酸化炭素濃度と酸素濃度を測定する濃度測定器（90）と、上記濃度測定器の測定値を予め定められた二酸化炭素濃度の目標値及び酸素濃度の目標値に近づけるように、エアポンプ（36，37）から供給される空気の圧力を上記圧力調節器（39，46，66，48，68）で制御して、上記ガス分離膜（85）の分離圧力を調整する制御器（110）と、を備えていることを特徴とする。
【００２５】
この第９の態様では、ガス分離膜（85）の分離圧力を調節することにより、庫内空間の二酸化炭素濃度と酸素濃度が、それぞれの目標値に近づく制御が制御器（110）によって行われる。
【００２６】
第１０の態様は、第９の態様において、上記制御器（110）は、上記収納庫（1）の庫内の二酸化炭素濃度が目標値よりも高く、上記収納庫（1）の庫内の酸素濃度が目標値よりも高い場合に、第１組成調節部（40）で庫外空気よりも酸素濃度が低い低酸素濃度ガスを生成して収納庫（1）の庫内へ供給し、第２組成調節部（60）でガス分離膜（85）の分離圧力を低下させて庫外へのガスの排出量を低下させることを特徴とする。
【００２７】
この第１０の態様では、図９に示すように、収納庫（1）の庫内の二酸化炭素濃度が目標値よりも高く、酸素濃度も目標値よりも高い場合は、庫内空気の二酸化炭素濃度と酸素濃度が低下する制御が行われる。
【００２８】
第１１の態様は、第９の態様において、第２組成調節部（60）が組成調節後の空気を収納庫（1）の庫内へ供給可能に構成され、上記制御器（110）は、上記収納庫（1）の二酸化炭素濃度が目標値よりも低く、上記収納庫（1）の酸素濃度が目標値よりも高い場合に、第１組成調節部（40）で庫外空気よりも酸素濃度が低い低酸素濃度ガスを生成して収納庫（1）の庫内へ供給し、第２組成調節部（60）のガス分離膜（85）の分離圧力を上昇させて収納庫（1）の庫内へ戻す組成調節後の空気量を増加させることを特徴とする。
【００２９】
この第１１の態様では、図９に示すように、収納庫（1）の二酸化炭素濃度が目標値よりも低く、酸素濃度が目標値よりも高い場合は、庫内空気の二酸化炭素濃度が上昇し、酸素濃度が低下する制御が行われる。
【００３０】
第１２の態様は、第９の態様において、第２組成調節部（60）が組成調節後の空気を収納庫（1）の庫内へ供給可能に構成され、上記制御器（110）は、上記収納庫（1）の二酸化炭素濃度が目標値よりも低く、上記収納庫（1）の酸素濃度が目標値よりも低い場合に、第１組成調節部（40）で生成した庫外空気よりも酸素濃度が高い高酸素濃度ガスまたは庫外空気を収納庫（1）の庫内へ供給し、第２組成調節部（60）のガス分離膜（85）の分離圧力を上昇させて収納庫（1）の庫内へ戻す組成調節後の空気量を増加させることを特徴とする。
【００３１】
この第１２の態様では、図９に示すように、収納庫（1）の二酸化炭素濃度が目標値よりも低く、酸素濃度も目標値よりも低い場合は、庫内空気の二酸化炭素濃度と酸素濃度が上昇する制御が行われる。
【００３２】
第１３の態様は、第９の態様において、上記制御器（110）は、上記収納庫（1）の二酸化炭素濃度が目標値よりも高く、上記収納庫（1）の酸素濃度が目標値よりも低い場合に、庫外空気を庫内空間（1）へ供給し、第２組成調節部（60）のガス分離膜（85）の分離圧力を上昇させて生成した、庫内空気よりも二酸化炭素濃度が高い二酸化炭素ガスを庫外空間（1）へ排出する動作か、または、第１組成調節部（40）で生成した庫外空気よりも酸素濃度が高い高酸素濃度ガスを庫内空間（1）へ供給し、第２組成調節部（60）のガス分離膜（85）の分離圧力を低下させて庫外へ排出する組成調節後の空気量を減少させる動作を行うことを特徴とする。
【００３３】
この第１３の態様では、図９に示すように、収納庫（1）の二酸化炭素濃度が目標値よりも高く、上記収納庫（1）の酸素濃度が目標値よりも低い場合は、庫内空気の二酸化炭素濃度が低下し、酸素濃度が上昇する制御が行われる。
【発明の効果】
【００３４】
本開示の第１の態様によれば、上記ガス分離膜（85）へエアポンプ（36，37）から供給される空気の圧力が圧力調節器（39，46，66）で調整される。したがって、エアポンプ（36，37）のガス流量が一定であっても、ガス分離膜（85）を通るガスの圧力を変化させることができるので、ガス分離膜（85）の分離性能を必要なガス成分に合わせて調節できる。
【００３５】
上記第２の態様によれば、圧力調節器（46，66）として、例えば流量調整弁や、口径が異なる複数の開閉弁を並列に接続したものを用いることにより、ガス分離膜（85）の分離性能を必要なガス成分に合わせて調節する構成を容易に実現できる。
【００３６】
上記第３の態様によれば、第２組成調節部（60）の分離膜（85）の下流側に圧力調節器（66）を設けたことにより、庫内から庫外へ空気が流れる経路で、ガス分離膜（85）の分離性能を調節する構成を実現できる。
【００３７】
上記第４の態様によれば、第１組成調節部（40）の分離膜（85）の下流側と、第２組成調節部（60）の分離膜（85）の下流側に圧力調節器（66）を設けたことにより、庫外から庫内へ空気が流れる経路と、庫内から庫外へ空気が流れる経路で、ガス分離膜（85）の分離性能を調節する構成を実現できる。
【００３８】
第５の態様によれば、圧力調節器（48，68）をエアポンプ（36，37）への空気の流入側に設けたことにより、エアポンプ（36，37）への空気の流入側で空気の圧力を調整してガス分離膜（85）の分離性能を調節する構成を実現できる。
【００３９】
第６の態様によれば、上記圧力調節器（48，68）をエアポンプ（36，37）からの空気の流出側に設けたことにより、エアポンプ（36，37）からの空気の流出側で空気の圧力を調整してガス分離膜（85）の分離性能を調節する構成を実現できる。
【００４０】
第７の態様によれば、インバータ（39）により電流の周波数を変化させてエアポンプ（36，37）の吐出量を変化させることにより、ガス分離膜（85）の分離性能を必要なガス成分に合わせて調節する構成を容易に実現できる。
【００４１】
第８の態様によれば、収納庫（1）の庫内空気から窒素と酸素とをガス分離膜（85）で分離して低酸素濃度ガスと高酸素濃度ガスを生成する第１組成調節部（40）に加えて吸着剤が設けられた吸着部（234,235）を備えた構成において、ガス分離膜（85）を通るガスの圧力を変化させてガス分離性能を調整する構成を実現できる。
【００４２】
第９の態様によれば、庫内空間の二酸化炭素濃度と酸素濃度をそれぞれの目標値に近づける制御を、ガス分離膜（85）の分離圧力を調節することによって行うことができる。
【００４３】
第１０の態様によれば、収納庫（1）の二酸化炭素濃度が目標値よりも高く、酸素濃度も目標値よりも高い場合に、圧力調節器（39，46，66）で第２組成調節部（60）のガス分離膜（85）の分離圧力を調節することにより、庫内空気の二酸化炭素濃度と酸素濃度の両方を目標値に近づけることができる。
【００４４】
第１１の態様によれば、収納庫（1）の二酸化炭素濃度が目標値よりも低く、酸素濃度が目標値よりも高い場合は、圧力調節器（39，46，66）で第２組成調節部（60）のガス分離膜（85）の分離圧力を調節することにより、庫内空気の二酸化炭素濃度と酸素濃度の両方を目標値に近づけることができる。
【００４５】
第１２の態様によれば、収納庫（1）の二酸化炭素濃度が目標値よりも低く、酸素濃度も目標値よりも低い場合に、圧力調節器（39，46，66）で第２組成調節部（60）のガス分離膜（85）の分離圧力を調節することにより、庫内空気の二酸化炭素濃度と酸素濃度の両方を目標値に近づけることができる。
【００４６】
第１３の態様によれば、収納庫（1）の二酸化炭素濃度が目標値よりも高く、上記収納庫（1）の酸素濃度が目標値よりも低い場合に、圧力調節器（39，46，66）で第２組成調節部（60）のガス分離膜（85）の分離圧力を調節することにより、庫内空気の二酸化炭素濃度と酸素濃度の両方を目標値に近づけることができる。
【図面の簡単な説明】
【００４７】
【図１】図１は、実施形態１の庫内空気調節装置を備えた輸送用コンテナの概略断面図である。
【図２】図２は、輸送用コンテナに設けられたコンテナ用冷凍機の冷媒回路の構成を示す冷媒回路図である。
【図３】図３は、実施形態１の庫内空気調節装置の構成を示す配管系統図である。
【図４】図４は、実施形態１の庫内空気調節装置に設けられた分離モジュールの概略断面図である。
【図５】図５は、実施形態１の庫内空気調節装置が行う酸素濃度低減動作を示すブロック図である。
【図６】図６は、実施形態１の庫内空気調節装置が行う二酸化炭素濃度低減動作を示すブロック図である。
【図７】図７は、実施形態２の庫内空気調節装置の構成を示す配管系統図である。
【図８】図８は、実施形態２の変形例１に係る庫内空気調節装置の構成を示す配管系統図である。
【図９】図９は、圧力調節動作の詳細を示す図である。
【図１０】図１０は、実施形態２の変形例２に係る庫内空気調節装置の構成を示す配管系統図である。
【図１１】図１１は、実施形態２の変形例３に係る庫内空気調節装置の構成を示す配管系統図である。
【図１２】図１２は、実施形態２の変形例４に係る庫内空気調節装置の構成を示す配管系統図である。
【図１３】図１３は、実施形態２に変形例５に係る庫内空気調節装置の構成を示す配管系統図である。
【図１４】図１４は、実施形態３の庫内空気調節装置の構成を示す配管系統図である。
【図１５】図１５は、実施形態３の第１組成調節部の第１動作中の状態を示す庫内空気調節装置の配管系統図である。
【図１６】図１６は、実施形態３の第１組成調節部の第２動作中の状態を示す庫内空気調節装置の配管系統図である。
【発明を実施するための形態】
【００４８】
実施形態を図面に基づいて詳細に説明する。なお、以下で説明する実施形態および変形例は、本質的に好ましい例示であって、本開示、その適用物、あるいはその用途の範囲を制限することを意図するものではない。
【００４９】
《実施形態１》
実施形態１について説明する。本実施形態の庫内空気調節装置（30）は、いわゆるＣＡ（Controlled Atmosphere）輸送を行うために輸送用コンテナ（収納庫）（1）に設けられる。そして、庫内空気調節装置（30）は、輸送用コンテナ（1）内の庫内（内部空間）の空気の組成を、外部空間の空気である大気の組成と異なるように調節する。
【００５０】
図１に示すように、収納庫を構成する輸送用コンテナ（1）は、コンテナ本体（2）と、コンテナ用冷凍機（10）とを備えている。この輸送用コンテナ（1）は、庫内の温度管理か可能なリーファーコンテナ（reefer container）である。本実施形態の庫内空気調節装置（30）は、コンテナ用冷凍機（10）に設置される。この輸送用コンテナ（1）は、空気中の酸素（Ｏ２）を取り込んで二酸化炭素（ＣＯ２）を放出する呼吸を行う農産物等の植物を貨物（6）として輸送するために用いられる。植物の例としては、バナナやアボカド等の果物、野菜、穀物、球根、生花等が挙げられる。
【００５１】
コンテナ本体（2）は、細長い直方体形状の箱状に形成されている。コンテナ本体（2）は、一方の端面が開口し、この開口端を塞ぐようにコンテナ用冷凍機（10）が取り付けられる。コンテナ本体（2）の内部空間は、貨物（6）を収納するための荷室（5）を構成する。
【００５２】
荷室（5）の底部には、貨物（6）を載せるための床板（3）が配置される。この床板（3）とコンテナ本体（2）の底板との間には、コンテナ用冷凍機（10）が吹き出した空気を流すための床下流路（4）が形成される。床下流路（4）は、コンテナ本体（2）の底板に沿ってコンテナ本体（2）の長手方向へ延びる流路である。床下流路（4）は、一端がコンテナ用冷凍機（10）の吹出口（27）に接続し、他端が床板（3）の上側の空間（即ち、貨物（6）が収容される空間）と連通する。
【００５３】
−コンテナ用冷凍機−
図１，図２に示すように、コンテナ用冷凍機（10）は、ケーシング（20）と、冷凍サイクルを行う冷媒回路（11）と、庫外ファン（16）と、庫内ファン（17）とを備えている。
【００５４】
ケーシング（20）は、庫外壁部（21）と、庫内壁部（22）と、背面板（24）と、区画板（25）とを備えている。後述するように、このケーシング（20）には、冷媒回路（11）と、庫外ファン（16）と、庫内ファン（17）とが設けられる。
【００５５】
庫外壁部（21）は、コンテナ本体（2）の開口端を覆うように配置される板状の部材である。庫外壁部（21）は、下部がコンテナ本体（2）の内側へ膨出している。庫内壁部（22）は、庫外壁部（21）に沿った形態の板状の部材である。庫内壁部（22）は、庫外壁部（21）におけるコンテナ本体（2）の内側の面を覆うように配置される。庫外壁部（21）と庫内壁部（22）の間の空間には、断熱材（23）が充填されている。
【００５６】
ケーシング（20）は、その下部がコンテナ本体（2）の内側へ窪んだ形状となっている。ケーシング（20）の下部は、輸送用コンテナ（1）の外部空間と連通する庫外機器室（28）を形成する。この庫外機器室（28）には、庫外ファン（16）が配置される。
【００５７】
背面板（24）は、概ね矩形の平板状の部材である。背面板（24）は、庫内壁部（22）よりもコンテナ本体（2）の内側に配置され、庫内壁部（22）との間に庫内空気流路（29）を形成する。この庫内空気流路（29）は、その上端がケーシング（20）の吸込口（26）を構成し、その下端がケーシング（20）の吹出口（27）を構成する。
【００５８】
区画板（25）は、庫内空気流路（29）を上下に区画するように配置された板状の部材である。区画板（25）は、庫内空気流路（29）の上部に配置される。この区画板（25）によって、庫内空気流路（29）は、区画板（25）の上側の一次流路（29a）と、区画板（25）の下側の二次流路（29b）に区画される。一次流路（29a）は、吸込口（26）を介して荷室（5）と連通する。二次流路（29b）は、吹出口（27）を介して床下流路（4）と連通する。区画板（25）には、庫内ファン（17）が取り付けられる。庫内ファン（17）は、一次流路（29a）から吸い込んだ空気を二次流路（29b）へ吹き出すように配置される。
【００５９】
図２に示すように、冷媒回路（11）は、圧縮機（12）と、凝縮器（13）と，膨張弁（14）と、蒸発器（15）とを配管で接続することによって形成された閉回路である。圧縮機（12）を作動させると、冷媒回路（11）を冷媒が循環し、蒸気圧縮冷凍サイクルが行われる。図１に示すように、凝縮器（13）は、庫外機器室（28）における庫外ファン（16）の吸込側に配置され、蒸発器（15）は、庫内空気流路（29）の二次流路（29b）に配置される。また、図１では図示を省略するが、圧縮機（12）は、庫外機器室（28）に配置される。
【００６０】
−庫内空気調節装置−
図１に示すように、庫内空気調節装置（30）は、本体ユニット（31）と、センサユニット（濃度測定器）（90）と、換気用排気管（100）と、制御器（110）とを備えている。本体ユニット（31）は、コンテナ用冷凍機（10）の庫外機器室（28）に設置される。センサユニット（90）は、輸送用コンテナ（1）の庫内空気流路（29）に設置される。換気用排気管（100）は、輸送用コンテナ（1）の庫内空気流路（29）と庫外機器室（28）に亘って設置される。制御器（110）は、本体ユニット（31）に設けられて、庫内空気調節装置（30）の構成機器を制御する。センサユニット（90）、換気用排気管（100）、及び制御器（110）の詳細は、後述する。
【００６１】
図３に示すように、庫内空気調節装置（30）の本体ユニット（31）は、第１組成調節部（40）と、第２組成調節部（60）と、ポンプユニット（35）と、ユニットケース（32）とを備えている。ユニットケース（32）は、箱状の密閉容器である。第１組成調節部（40）と、第２組成調節部（60）と、ポンプユニット（35）とは、このユニットケース（32）の内部空間に配置される。第１組成調節部（40）、第２組成調節部（60）、及びポンプユニット（35）の詳細は、後述する。
【００６２】
また、庫内空気調節装置（30）は、供給管（120）と、庫内側吸入管（75）と、測定用配管（125）とを備えている。供給管（120）、庫内側吸入管（75）、及び測定用配管（125）は、本体ユニット（31）をコンテナ用冷凍機（10）の庫内空気流路（29）に接続するための配管である。
【００６３】
供給管（120）は、第１組成調節部（40）及び第２組成調節部（60）から流出した空気を荷室（5）へ供給するための配管である。供給管（120）は、入口端が第１組成調節部（40）及び第２組成調節部（60）に接続され、出口端が庫内空気流路（29）の二次流路（29b）に開口する。
【００６４】
庫内側吸入管（75）は、荷室（5）内の庫内空気を第２組成調節部（60）へ供給するための配管である。庫内側吸入管（75）は、入口端が庫内空気流路（29）の二次流路（29b）に開口し、出口端が後述する第２組成調節部（60）の第２ポンプ（37）に接続される。なお、庫内空気流路（29）の二次流路（29b）において、庫内側吸入管（75）の入口端は、供給管（120）の出口端の上流側に配置される。
【００６５】
測定用配管（125）は、供給管（120）を流れる空気をセンサユニット（90）へ供給するための配管である。測定用配管（125）は、入口端が供給管（120）に接続され、出口端がセンサユニット（90）に接続される。また、測定用配管（125）には、電磁弁からなる測定用開閉弁（126）が設けられる。この測定用開閉弁（126）は、本体ユニット（31）のユニットケース（32）に収容される。
【００６６】
なお、換気用排気管（100）と、供給管（120）と、庫内側吸入管（75）と、測定用配管（125）と、後述する各組成調節部（40,60）に設けられた配管（51〜55,71〜74,95）とは、硬質のパイプで構成されていてもよいし、柔軟なホースで構成されていてもよいし、パイプとホースを組み合わせることで構成されていてもよい。なお、上記の各配管（53，55，73，75，120）は、本開示のガス通路を構成する配管である。
【００６７】
〈ポンプユニット〉
図３に示すように、ポンプユニット（35）は、第１ポンプ（エアポンプ）（36）と、第２ポンプ（エアポンプ）（37）と、駆動モータ（38）とを備えている。
【００６８】
第１ポンプ（36）と第２ポンプ（37）のそれぞれは、吸い込んだ空気を吐出する空気ポンプである。第１ポンプ（36）と第２ポンプ（37）のそれぞれは、例えば容積型の流体機械によって構成される。第１ポンプ（36）と第２ポンプ（37）は、一体化されている。駆動モータ（38）は、第１ポンプ（36）及び第２ポンプ（37）に連結された電動機である。駆動モータ（38）は、第１ポンプ（36）と第２ポンプ（37）の両方を駆動する。
【００６９】
〈第１組成調節部〉
第１組成調節部（40）は、輸送用コンテナ（1）の外部から吸い込んだ庫外空気（未処理庫外空気）を第１庫外空気（低酸素濃度ガス）と第２庫外空気（高酸素濃度ガス）に分離するように構成される。本実施形態の第１組成調節部（40）は、供給用空気である第１庫外空気を荷室（5）へ供給し、第２庫外空気を輸送用コンテナ（1）の外部へ排出する。
【００７０】
第１組成調節部（40）は、エアフィルタ（47）と、第１分離モジュール（41）と、第１バイパス弁（50）と、第１圧力センサ（45）と第１調節弁（弁機構（圧力調節器））（46）とを備えている。また、第１組成調節部（40）は、庫外側吸入管（55）と、第１導入管（52）と、第１一次側管（53）と、第１二次側管（54）と、第１バイパス管（51）とを備えている。また、ポンプユニット（35）の第１ポンプ（36）は、この第１組成調節部（40）を構成する。
【００７１】
エアフィルタ（47）は、庫外空気に含まれる塵埃や塩分などを捕捉するためのメンブレンフィルタである。エアフィルタ（47）は、本体ユニット（31）のユニットケース（32）に取り付けられる。エアフィルタ（47）は、庫外側吸入管（55）を介して第１ポンプ（36）の吸入口に接続する。なお、本実施形態の庫内空気調節装置（30）では、庫外側吸入管（55）を省略し、密閉容器であるユニットケース（32）の内部空間を介してエアフィルタ（47）と第１ポンプ（36）を連通させてもよい。
【００７２】
詳しくは後述するが、第１分離モジュール（41）は、第１導入口（42）と、第１一次側導出口（43）と、第１二次側導出口（44）とを備える。第１導入口（42）は、第１導入管（52）を介して第１ポンプ（36）の吐出口に接続する。第１一次側導出口（43）は、第１一次側管（53）を介して供給管（120）に接続する。第１二次側導出口（44）には、第１二次側管（54）の一端が接続する。第１二次側管（54）は、ユニットケース（32）の外部へ延びている。第１二次側管（54）の他端は、庫外機器室（28）における庫外ファン（16）の吸込側に開口する。
【００７３】
第１バイパス弁（50）は、三つのポートを有する切換弁であって、第１バイパス弁機構を構成する。第１バイパス弁（50）は、第１のポートが第２のポートと連通して第３のポートから遮断される第１状態（図３に実線で示す状態）と、第１のポートが第３のポートと連通して第２のポートから遮断される第２状態（図３に破線で示す状態）とに切り換わるように構成される。
【００７４】
第１バイパス弁（50）は、第１導入管（52）の途中に配置される。第１バイパス弁（50）は、第１のポートが第１ポンプ（36）の吐出口に接続し、第２のポートが第１分離モジュール（41）の第１導入口（42）に接続する。第１バイパス弁（50）の第３のポートには、第１バイパス管（51）の入口端が接続する。第１バイパス管（51）の出口端は、第１一次側管（53）に接続する。第１バイパス管（51）は、第１バイパス通路を構成する。
【００７５】
第１圧力センサ（45）と第１調節弁（46）とは、第１一次側管（53）に設けられる。第１圧力センサ（45）と第１調節弁（46）とは、第１一次側管（53）に接続する第１バイパス管（51）の他端よりも第１分離モジュール（41）寄りに配置される。また、第１圧力センサ（45）は、第１調節弁（46）よりも第１分離モジュール（41）寄りに配置される。
【００７６】
第１圧力センサ（45）は、第１分離モジュール（41）の第１一次側導出口（43）から流出した第１庫外空気の圧力を計測する。第１圧力センサ（45）の計測値は、第１ポンプ（36）が第１分離モジュール（41）へ供給する未処理庫外空気の圧力と実質的に等しい。
【００７７】
第１調節弁（46）は、開度可変の電動弁であって、第１弁機構を構成する。第１調節弁（46）の開度を変更すると、第１ポンプ（36）が第１分離モジュール（41）へ供給する未処理庫外空気の圧力が変化する。
【００７８】
第１分離モジュール（41）は、第１分離部を構成する。詳しくは後述するが、第１分離モジュール（41）は、ガス分離膜（85）を備えている。そして、第１分離モジュール（41）は、未処理庫外空気を、ガス分離膜（85）を透過しなかった第１庫外空気（第１一次側管（53）を流れる空気）と、ガス分離膜（85）を透過した第２庫外空気（第１二次側管（54）を流れる空気）に分離する。
【００７９】
第１庫外空気は、窒素濃度が未処理庫外空気よりも高く、酸素濃度が未処理庫外空気よりも低い。第２庫外空気は、窒素濃度が未処理庫外空気よりも低く、酸素濃度が未処理庫外空気よりも高い。このように、第１庫外空気と第２庫外空気は、それぞれを構成する物質の濃度が互いに異なる。なお、本明細書における濃度は、体積割合を意味する。
【００８０】
〈第２組成調節部〉
第２組成調節部（60）は、輸送用コンテナ（1）の内部空間から吸い込んだ庫内空気（未処理庫内空気）を第１庫内空気（低酸素濃度ガス）と第２庫内空気（高酸素濃度ガス）に分離するように構成される。本実施形態の第２組成調節部（60）は、第１庫内空気を荷室（5）へ供給し、排出用空気である第２庫内空気を輸送用コンテナ（1）の外部へ排出する。
【００８１】
第２組成調節部（60）は、第２分離モジュール（61）と、第２バイパス弁（70）と、第２圧力センサ（65）と第２調節弁（弁機構（圧力調節器））（66）とを備えている。また、第２組成調節部（60）は、第２導入管（72）と、第２一次側管（73）と、第２二次側管（74）と、第２バイパス管（71）とを備えている。また、ポンプユニット（35）の第２ポンプ（37）は、この第２組成調節部（60）を構成する。
【００８２】
詳しくは後述するが、第２分離モジュール（61）は、第２導入口（62）と、第２一次側導出口（63）と、第２二次側導出口（64）とを備える。第２導入口（62）は、第２導入管（72）を介して第２ポンプ（37）の吐出口に接続する。第２一次側導出口（63）は、第２一次側管（73）を介して供給管（120）に接続する。第２二次側導出口（64）には、第２二次側管（74）の一端が接続する。第２二次側管（74）は、ユニットケース（32）の外部へ延びている。第２二次側管（74）の他端は、庫外機器室（28）における庫外ファン（16）の吸込側に開口する。また、第２ポンプ（37）の吸入口には、庫内側吸入管（75）が接続する。
【００８３】
第２バイパス弁（70）は、三つのポートを有する切換弁であって、第２バイパス弁機構を構成する。第２バイパス弁（70）は、第１のポートが第２のポートと連通して第３のポートから遮断される第１状態（図３に実線で示す状態）と、第１のポートが第３のポートと連通して第２のポートから遮断される第２状態（図３に破線で示す状態）とに切り換わるように構成される。
【００８４】
第２バイパス弁（70）は、第２導入管（72）の途中に配置される。第２バイパス弁（70）は、第１のポートが第２ポンプ（37）の吐出口に接続し、第２のポートが第２分離モジュール（61）の第２導入口（62）に接続する。第２バイパス弁（70）の第３のポートには、第２バイパス管（71）の入口端が接続する。第２バイパス管（71）の出口端は、第２一次側管（73）に接続する。第２バイパス管（71）は、第２バイパス通路を構成する。
【００８５】
第２圧力センサ（65）と第２調節弁（66）とは、第２一次側管（73）に設けられる。第２圧力センサ（65）と第２調節弁（66）とは、第２一次側管（73）に接続する第２バイパス管（71）の他端よりも第２分離モジュール（61）寄りに配置される。また、第２圧力センサ（65）は、第２調節弁（66）よりも第２分離モジュール（61）寄りに配置される。
【００８６】
第２圧力センサ（65）は、第２分離モジュール（61）の第２一次側導出口（63）から流出した第２庫外空気の圧力を計測する。第２圧力センサ（65）の計測値は、第２ポンプ（37）が第２分離モジュール（61）へ供給する未処理庫内空気の圧力と実質的に等しい。
【００８７】
第２調節弁（66）は、開度可変の電動弁であって、第２弁機構を構成する。第２調節弁（66）の開度を変更すると、第２ポンプ（37）が第２分離モジュール（61）へ供給する未処理庫内空気の圧力が変化する。
【００８８】
第２分離モジュール（61）は、第２分離部を構成する。詳しくは後述するが、第２分離モジュール（61）は、ガス分離膜（85）を備えている。そして、第２分離モジュール（61）は、未処理庫内空気を、ガス分離膜（85）を透過しなかった第１庫内空気（第２一次側管（73）を流れる空気）と、ガス分離膜（85）を透過した第２庫内空気（第２二次側管（74）を流れる空気）に分離する。
【００８９】
第１庫内空気は、窒素濃度が未処理庫内空気よりも高く、酸素濃度および二酸化炭素濃度が未処理庫内空気よりも低い。第２庫内空気は、窒素濃度が未処理庫内空気よりも低く、酸素濃度および二酸化炭素濃度が未処理庫内空気よりも高い。このように、第１庫内空気と第２庫内空気は、それぞれを構成する物質の濃度が互いに異なる。
【００９０】
〈分離モジュール〉
第１分離モジュール（41）及び第２分離モジュール（61）の構造について、図４を参照しながら説明する。第１分離モジュール（41）と第２分離モジュール（61）の構造は、互いに同じである。
【００９１】
各分離モジュール（41,61）は、一つの筒状ケース（80）と、二つの隔壁部（81a,81b）とを備えている。筒状ケース（80）は、両端が閉塞された細長い円筒状の容器である。隔壁部（81a,81b）は、筒状ケース（80）の内部空間を仕切るための部材であって、筒状ケース（80）の内部空間を横断するように設けられる。隔壁部（81a,81b）は、筒状ケース（80）の内部空間の一端寄りの位置と他端寄りの位置とに一つずつ配置される。図４において、筒状ケース（80）の内部空間は、左側の隔壁部（81a）の左側に位置する導入室（82）と、二つの隔壁部（81a,81b）の間に位置する二次側導出室（84）と、右側の隔壁部（81b）の右側に位置する一次側導出室（83）とに仕切られる。
【００９２】
各分離モジュール（41,61）は、中空糸状（即ち、外径が１ｍｍ以下の非常に細い管状）に形成されたガス分離膜（85）を多数備えている。中空糸状のガス分離膜（85）は、一方の隔壁部（81a）から他方の隔壁部（81b）に亘って設けられる。各ガス分離膜（85）は、一端部が一方の隔壁部（81a）を貫通して導入室（82）に開口し、他端部が他方の隔壁部（81b）を貫通して一次側導出室（83）に開口する。筒状ケース（80）の内部空間は、二つの隔壁部（81a,81b）に挟まれた空間のうちガス分離膜（85）の外側の部分が、二次側導出室（84）を構成する。各分離モジュール（41,61）において、導入室（82）と一次側導出室（83）は、中空糸状のガス分離膜（85）を介して連通する一方、二次側導出室（84）は、ガス分離膜（85）の内側の空間、導入室（82）、及び一次側導出室（83）と非連通となる。
【００９３】
筒状ケース（80）には、導入口（42,62）と、一次側導出口（43,63）と、二次側導出口（44,64）とが設けられる。導入口（42,62）は、図４における筒状ケース（80）の左端部に配置され、導入室（82）と連通する。一次側導出口（43,63）は、図４における筒状ケース（80）の右端部に配置され、一次側導出室（83）と連通する。二次側導出口（44,64）は、筒状ケース（80）の長手方向の中間部に配置され、二次側導出室（84）と連通する。
【００９４】
ガス分離膜（85）は、高分子からなる非多孔膜である。このガス分離膜（85）は、物質毎に分子がガス分離膜（85）を透過する速度（透過速度）が異なることを利用して、混合ガスに含まれる成分を分離する。
【００９５】
本実施形態の庫内空気調節装置（30）では、第１分離モジュール（41）と第２分離モジュール（61）のそれぞれに同じガス分離膜（85）が設けられる。各分離モジュール（41,61）のガス分離膜（85）は、窒素の透過速度が酸素の透過速度と二酸化炭素の透過速度の両方よりも低いという特性を有している。中空糸状の多数のガス分離膜（85）は、それぞれの膜厚が実質的に同じである。従って、各分離モジュール（41,61）に設けられたガス分離膜（85）は、窒素の透過率が酸素の透過率と二酸化炭素の透過率の両方よりも低いという特性を有している。
【００９６】
各分離モジュール（41,61）では、導入口（42,62）を通って導入室（82）へ流入した空気が、中空糸状のガス分離膜（85）の内側の空間を一次側導出室（83）へ向かって流れる。ガス分離膜（85）の内側の空間を流れる空気は、その一部がガス分離膜（85）を透過して二次側導出室（84）へ移動し、残りが一次側導出室（83）へ流入する。
【００９７】
各分離モジュール（41,61）のガス分離膜（85）は、窒素の透過率が酸素および二酸化炭素の透過率よりも低い。つまり、窒素は、酸素および二酸化炭素に比べてガス分離膜（85）を透過しにくい。このため、中空糸状のガス分離膜（85）の内側を流れる空気は、一次側導出室（83）へ近付くにつれて、その窒素濃度が上昇すると同時に、その酸素濃度および二酸化炭素濃度が低下する。また、中空糸状のガス分離膜（85）を流れる空気に含まれる酸素と二酸化炭素は、ガス分離膜（85）を透過して二次側導出室（84）へ移動する。
【００９８】
その結果、ガス分離膜（85）を透過せずに一次側導出室（83）へ流入した空気は、その窒素濃度が導入室（82）の空気よりも高くなり、その酸素濃度および二酸化炭素濃度が導入室（82）の空気よりも低くなる。また、ガス分離膜（85）を透過して二次側導出室（84）へ移動した空気は、その窒素濃度が導入室（82）の空気よりも低くなり、その酸素濃度および二酸化炭素濃度が導入室（82）の空気よりも高くなる。
【００９９】
第１分離モジュール（41）では、第１導入口（42）から導入室（82）へ未処理庫外空気が流入し、ガス分離膜（85）を透過せずに一次側導出室（83）へ流入した空気が第１庫外空気として第１一次側導出口（43）から流出し、ガス分離膜（85）を透過して二次側導出室（84）へ流入した空気が第２庫外空気として第１二次側導出口（44）から流出する。一方、第２分離モジュール（61）では、第２導入口（62）から導入室（82）へ未処理庫内空気が流入し、ガス分離膜（85）を透過せずに一次側導出室（83）へ流入した空気が第１庫内空気として第２一次側導出口（63）から流出し、ガス分離膜（85）を透過して二次側導出室（84）へ流入した空気が第２庫内空気として第２二次側導出口（64）から流出する。
【０１００】
〈センサユニット〉
図１及び図３に示すように、センサユニット（90）は、コンテナ用冷凍機（10）の庫内空気流路（29）の二次流路（29b）に配置される。図３に示すように、センサユニット（90）は、酸素センサ（91）と、二酸化炭素センサ（92）と、センサケース（93）とを備えている。
【０１０１】
酸素センサ（91）は、空気等の混合気体の酸素濃度を計測するジルコニア電流方式のセンサである。二酸化炭素センサ（92）は、空気等の混合気体の二酸化炭素濃度を計測する非分散型赤外線吸収（ＮＤＩＲ：non dispersive infrared）方式のセンサである。酸素センサ（91）及び二酸化炭素センサ（92）は、センサケース（93）に収容される。
【０１０２】
センサケース（93）は、やや細長い箱状の部材である。センサケース（93）は、長手方向の一方の端部に測定用配管（125）の出口端が接続され、他方の端部に出口管（95）の一端が接続される。出口管（95）の他端は、庫内空気流路（29）の一次流路（29a）に開口する。また、センサケース（93）には、庫内空気流路（29）を流れる庫内空気をセンサケース（93）の内部空間へ導入するためのエアフィルタ（94）が取り付けられる。エアフィルタ（94）は、庫内空気に含まれる塵埃などを捕捉するためのメンブレンフィルタである。
【０１０３】
後述するように、庫内ファン（17）の作動中は、二次流路（29b）の気圧が一次流路（29a）の気圧よりも若干高くなる。このため、測定用開閉弁（126）が閉じた状態では、二次流路（29b）の庫内空気がエアフィルタ（94）を通ってセンサケース（93）へ流入し、その後に出口管（95）を通って一次流路（29a）へ流入する。この状態で、センサユニット（90）は、酸素センサ（91）が庫内空気の酸素濃度を計測し、二酸化炭素センサ（92）が庫内空気の二酸化炭素濃度を計測する。
【０１０４】
〈換気用排気管〉
換気用排気管（100）は、輸送用コンテナ（1）の内部と外部を繋ぐための配管である。この換気用排気管（100）は、換気用排気通路を構成する。図１に示すように、換気用排気管（100）は、コンテナ用冷凍機（10）のケーシング（20）を貫通する。換気用排気管（100）の一端は、庫内空気流路（29）の二次流路（29b）に開口する。換気用排気管（100）の他端は、庫外機器室（28）における庫外ファン（16）の吸入側に開口する。
【０１０５】
図３に示すように、換気用排気管（100）の一端には、エアフィルタ（102）が取り付けられる。エアフィルタ（102）は、庫内空気に含まれる塵埃などを捕捉するためのメンブレンフィルタである。また、換気用排気管（100）には、換気用排気弁（101）が設けられる。換気用排気弁（101）は、電磁弁からなる開閉弁である。
【０１０６】
〈制御器〉
制御器（110）は、制御動作を行うＣＰＵ（111）と、制御動作に必要なデータ等を記憶するメモリ（112）とを備える。制御器（110）には、酸素センサ（91）、二酸化炭素センサ（92）、第１圧力センサ（45）、及び第２圧力センサ（65）の計測値が入力される。制御器（110）は、ポンプユニット（35）、第１調節弁（46）、第２調節弁（66）、第１バイパス弁（50）、第２バイパス弁（70）、及び換気用排気弁（101）を操作するための制御動作を行う。
【０１０７】
−コンテナ用冷凍機の運転動作−
コンテナ用冷凍機（10）は、輸送用コンテナ（1）の庫内空気を冷却する冷却運転を行う。
【０１０８】
冷却運転では、冷媒回路（11）の圧縮機（12）が作動し、冷媒回路（11）において冷媒が循環することによって蒸気圧縮冷凍サイクルが行われる。冷媒回路（11）では、圧縮機（12）から吐出された冷媒が、凝縮器（13）と膨張弁（14）と蒸発器（15）とを順に通過し、その後に圧縮機（12）へ吸入されて圧縮される。
【０１０９】
また、冷却運転では、庫外ファン（16）と庫内ファン（17）とが作動する。庫外ファン（16）が作動すると、輸送用コンテナ（1）の外部の庫外空気が庫外機器室（28）へ吸い込まれて凝縮器（13）を通過する。凝縮器（13）では、冷媒が庫外空気へ放熱して凝縮する。庫内ファン（17）が作動すると、輸送用コンテナ（1）の荷室（5）内の庫内空気が庫内空気流路（29）へ吸い込まれて蒸発器（15）を通過する。蒸発器（15）では、冷媒が庫内空気から吸熱して蒸発する。
【０１１０】
庫内空気の流れについて説明する。荷室（5）に存在する庫内空気は、吸込口（26）を通って庫内空気流路（29）の一次流路（29a）へ流入し、庫内ファン（17）によって二次流路（29b）へ吹き出される。二次流路（29b）へ流入した庫内空気は、蒸発器（15）を通過する際に冷却され、その後に吹出口（27）から床下流路（4）へ吹き出され、床下流路（4）を通って荷室（5）へ流入する。
【０１１１】
庫内空気流路（29）において、一次流路（29a）は庫内ファン（17）の吸い込み側に位置し、二次流路（29b）は庫内ファン（17）の吹き出し側に位置する。このため、庫内ファン（17）の作動中は、二次流路（29b）の気圧が一次流路（29a）の気圧よりも若干高くなる。
【０１１２】
−庫内空気調節装置の運転動作−
庫内空気調節装置（30）は、輸送用コンテナ（1）の荷室（5）内の庫内空気の組成（本実施形態では、庫内空気の酸素濃度と二酸化炭素濃度）を調節するための運転を行う。ここでは、本実施形態の庫内空気調節装置（30）の運転動作について、庫内空気の酸素濃度の目標範囲が５％±１％であり、庫内空気の二酸化炭素濃度の目標範囲が２％±１％である場合を例に説明する。
【０１１３】
〈庫内空気調節装置の運転動作の概要〉
本実施形態の庫内空気調節装置（30）は、荷室（5）内の庫内空気の酸素濃度を低下させるための酸素濃度低減動作と、荷室（5）内の庫内空気の二酸化炭素濃度を低下させるための二酸化炭素濃度低減動作と、荷室（5）内の庫内空気の酸素濃度を上昇させるための酸素濃度増加動作とを行う。
【０１１４】
輸送用コンテナ（1）への貨物（6）の積み込みが完了した時点において、荷室（5）内に存在する庫内空気の組成は、大気の組成（窒素濃度：７８％、酸素濃度：２１％、二酸化炭素濃度：０.０４％）と実質的に同じである。そこで、庫内空気調節装置（30）は、庫内空気の酸素濃度を低下させるための酸素濃度低減動作を行う。庫内空気の酸素濃度が目標範囲の上限値（６％）に達すると、庫内空気調節装置（30）は、酸素濃度低減動作を停止する。
【０１１５】
庫内空気の酸素濃度が６％に達して庫内空気調節装置（30）の酸素濃度停止動作が停止した後は、貨物（6）である植物が呼吸することによって、庫内空気の酸素濃度が次第に低下してゆくと同時に、庫内空気の二酸化炭素濃度が次第に上昇する。
【０１１６】
庫内空気の二酸化炭素濃度が目標範囲の上限値（３％）に達すると、庫内空気調節装置（30）は、庫内空気の二酸化炭素濃度を低下させるための二酸化炭素濃度低減動作を行う。庫内空気の二酸化炭素濃度が目標範囲の下限値（１％）に達すると、庫内空気調節装置（30）は、二酸化炭素濃度低減動作を停止する。
【０１１７】
また、庫内空気の酸素濃度が目標範囲の下限値（４％）に達すると、庫内空気調節装置（30）は、庫内空気の酸素濃度を上昇させるための酸素濃度増加動作を行う。庫内空気の酸素濃度が目標範囲の上限値（６％）に達すると、庫内空気調節装置（30）は、酸素濃度増加動作を停止する。
【０１１８】
このように、庫内空気調節装置（30）は、荷室（5）内の庫内空気の酸素濃度を２１％（大気の酸素濃度）から目標範囲にまで引き下げるために、酸素濃度低減動作を行う。また、庫内空気調節装置（30）は、荷室（5）内の庫内空気の酸素濃度と二酸化炭素濃度を、それぞれの目標範囲に維持するために、二酸化炭素低減動作と酸素濃度増加動作とを適宜繰り返して行う。
【０１１９】
〈酸素濃度低減動作〉
庫内空気調節装置（30）の酸素濃度低減動作について、図３〜図５を適宜参照しながら説明する。この酸素濃度低減動作では、第１組成調節部（40）が酸素濃度の低い第１庫外空気を荷室（5）へ供給し、第２組成調節部（60）が酸素濃度の低い第１庫内空気を荷室（5）へ供給する。
【０１２０】
酸素濃度低減動作において、制御器（110）は、第１バイパス弁（50）と第２バイパス弁（70）のそれぞれを第１状態（図３に実線で示す状態）に設定し、ポンプユニット（35）の駆動モータ（38）に通電して第１ポンプ（36）及び第２ポンプ（37）を作動させ、換気用排気弁（101）を開状態に設定する。
【０１２１】
先ず、第１ポンプ（36）が作動すると、輸送用コンテナ（1）の外部に存在する庫外空気が、エアフィルタ（47）と庫外側吸入管（55）を通って第１ポンプ（36）に吸い込まれる。第１ポンプ（36）は、吸い込んだ庫外空気を加圧して吐出する。第１ポンプ（36）が吐出する庫外空気の圧力は、大気圧の２倍程度である。第１ポンプ（36）から吐出された庫外空気は、第１導入管（52）を流れ、第１分離モジュール（41）の第１導入口（42）へ未処理庫外空気として流入する。
【０１２２】
第１分離モジュール（41）において、第１導入口（42）を通って導入室（82）へ流入した未処理庫外空気は、中空糸状のガス分離膜（85）へ流入する。中空糸状のガス分離膜（85）の内側を流れる空気は、その一部がガス分離膜（85）を透過して第２庫外空気として二次側導出室（84）へ移動し、残りが第１庫外空気として一次側導出室（83）へ流入する。上述したように、ガス分離膜（85）は、窒素の透過率が酸素の透過率よりも低い特性を持つ。このため、図５に示すように、第１庫外空気の酸素濃度は、未処理庫外空気の酸素濃度よりも低く、第２庫外空気の酸素濃度は、未処理庫外空気の酸素濃度よりも高い。
【０１２３】
第１分離モジュール（41）の第１一次側導出口（43）から第１一次側管（53）へ流出した第１庫外空気は、供給管（120）へ流入する。一方、第１分離モジュール（41）の第１二次側導出口（44）から第１二次側管（54）へ流出した第２庫外空気は、輸送用コンテナ（1）の外部へ排出される。
【０１２４】
次に、第２ポンプ（37）が作動すると、輸送用コンテナ（1）の内部（具体的には、コンテナ用冷凍機（10）の二次流路（29b））に存在する庫内空気が、庫内側吸入管（75）を通って第２ポンプ（37）に吸い込まれる。第２ポンプ（37）は、吸い込んだ庫内空気を加圧して吐出する。第２ポンプ（37）が吐出する庫外空気の圧力は、大気圧よりも若干高い程度である。第２ポンプ（37）から吐出された庫内空気は、第２導入管（72）を流れ、第２分離モジュール（61）の第２導入口（62）へ未処理庫内空気として流入する。
【０１２５】
第２分離モジュール（61）において、第２導入口（62）を通って導入室（82）へ流入した未処理庫内空気は、中空糸状のガス分離膜（85）へ流入する。中空糸状のガス分離膜（85）の内側を流れる空気は、その一部がガス分離膜（85）を透過して第２庫内空気として二次側導出室（84）へ移動し、残りが第１庫内空気として一次側導出室（83）へ流入する。上述したように、ガス分離膜（85）は、窒素の透過率が酸素の透過率よりも低い特性を持つ。このため、図５に示すように、第１庫内空気の酸素濃度は、未処理庫外空気の酸素濃度よりも低く、第２庫内空気の酸素濃度は、未処理庫外空気の酸素濃度よりも高い。
【０１２６】
第２分離モジュール（61）の第２一次側導出口（63）から第２一次側管（73）へ流出した第１庫内空気は、供給管（120）へ流入する。一方、第２分離モジュール（61）の第２二次側導出口（64）から第２二次側管（74）へ流出した第２庫内空気は、輸送用コンテナ（1）の外部へ排出される。
【０１２７】
上述したように、供給管（120）には、第１分離モジュール（41）から流出した第１庫外空気と、第２分離モジュール（61）から流出した第１庫内空気とが流入する。そして、供給管（120）を流れる第１庫外空気と第１庫内空気の混合空気は、コンテナ用冷凍機（10）の二次流路（29b）へ流入し、二次流路（29b）を流れる空気と共に荷室（5）へ供給される。
【０１２８】
通常、酸素濃度低減動作中は、輸送用コンテナ（1）の外部から内部へ供給される第１庫外空気の流量Ｑｏ１が、輸送用コンテナ（1）の内部から外部へ排出される第２庫内空気の流量Ｑｉ２よりも大きくなっており（Ｑｏ１＞Ｑｉ２）、輸送用コンテナ（1）内の気圧が陽圧となる（図５を参照）。つまり、第１組成調節部（40）は、輸送用コンテナ（1）内の気圧が陽圧となるように、第１庫外空気を輸送用コンテナ（1）の内部へ供給する。輸送用コンテナ（1）内の気圧が陽圧であるため、庫内空気の一部は、換気用排気管（100）を通って輸送用コンテナ（1）の外部へ排出される。
【０１２９】
このように、酸素濃度低減動作では、大気に比べて酸素濃度の低い第１庫外空気を供給すると同時に、換気用排気管（100）を通じて荷室（5）内の庫内空気を輸送用コンテナ（1）の外部へ排出し、荷室（5）内の庫内空気の酸素濃度を低下させる。また、酸素濃度低減動作では、未処理庫内空気から分離された酸素濃度の高い第２庫内空気を輸送用コンテナ（1）の外部へ排出することによって、荷室（5）内の庫内空気の酸素濃度を低下させる。
【０１３０】
〈二酸化炭素濃度低減動作〉
庫内空気調節装置（30）の二酸化炭素濃度低減動作について、図３,図４,図６を適宜参照しながら説明する。この二酸化炭素低減動作では、第１組成調節部（40）が酸素濃度の低い第１庫外空気を荷室（5）へ供給し、第２組成調節部（60）が二酸化炭素濃度の低い第１庫内空気を荷室（5）へ供給する。
【０１３１】
二酸化炭素濃度低減動作において、制御器（110）は、第１バイパス弁（50）と第２バイパス弁（70）のそれぞれを第１状態（図３に実線で示す状態）に設定し、ポンプユニット（35）の駆動モータ（38）に通電して第１ポンプ（36）及び第２ポンプ（37）を作動させ、換気用排気弁（101）を開状態に設定し、測定用開閉弁（126）を閉状態に設定する。そして、第１組成調節部（40）と第２組成調節部（60）のそれぞれにおいて、空気は、酸素濃度低減動作と同様に流れる。ただし、二酸化炭素濃度低減動作において、第１ポンプ（36）が吐出する庫外空気の圧力と、第２ポンプ（37）が吐出する庫内空気の圧力は、いずれも大気圧よりも若干高い程度である。
【０１３２】
第１組成調節部（40）では、第１分離モジュール（41）へ流入した未処理庫外空気が、未処理庫外空気よりも窒素濃度が高くて酸素濃度が低い第１庫外空気と、未処理庫外空気よりも窒素濃度が低くて酸素濃度が高い第２庫外空気とに分離される。そして、第１庫外空気が輸送用コンテナ（1）の内部へ供給され、第２庫外空気が輸送用コンテナ（1）の外部へ排出される。なお、未処理庫外空気の二酸化炭素濃度は、大気の二酸化炭素濃度（０.０４％）と実質的に同じである。このため、第１庫外空気の二酸化炭素濃度は実質的にゼロと見なせる。
【０１３３】
第２組成調節部（60）では、第２分離モジュール（61）へ流入した未処理庫内空気が、未処理庫内空気よりも窒素濃度が高くて酸素濃度および二酸化炭素濃度が低い第１庫内空気と、未処理庫内空気よりも窒素濃度が低くて酸素濃度および二酸化炭素濃度が高い第２庫内空気とに分離される。そして、第１庫内空気が輸送用コンテナ（1）の内部へ供給され、第２庫内空気が輸送用コンテナ（1）の外部へ排出される。
【０１３４】
通常、二酸化炭素濃度低減動作中は、酸素濃度低減動作中と同様に、第１庫外空気の流量Ｑｏ１が第２庫内空気の流量Ｑｉ２よりも大きくなっており（Ｑｏ１＞Ｑｉ２）、輸送用コンテナ（1）内の気圧が陽圧となる（図６を参照）。つまり、第１組成調節部（40）は、輸送用コンテナ（1）内の気圧が陽圧となるように、第１庫外空気を輸送用コンテナ（1）の内部へ供給する。輸送用コンテナ（1）内の気圧が陽圧であるため、荷室（5）内の庫内空気の一部は、換気用排気管（100）を通って輸送用コンテナ（1）の外部へ排出される。
【０１３５】
このように、二酸化炭素濃度低減動作では、二酸化炭素濃度の極めて低い第１庫外空気を供給すると同時に、換気用排気管（100）を通じて庫内空気を輸送用コンテナ（1）の外部へ排出し、荷室（5）内の庫内空気の二酸化炭素濃度を低下させる。また、二酸化炭素濃度低減動作では、未処理庫内空気から分離された二酸化炭素濃度の高い第２庫内空気を輸送用コンテナ（1）の外部へ排出することによって、荷室（5）内の庫内空気の二酸化炭素濃度を低下させる。
【０１３６】
〈酸素濃度増加動作〉
庫内空気調節装置（30）の酸素濃度増加動作について、図３を参照しながら説明する。この酸素濃度増加動作では、第１組成調節部（40）が輸送用コンテナ（1）の外部から吸い込んだ庫外空気をそのまま荷室（5）へ供給し、第２組成調節部（60）が輸送用コンテナ（1）の内部から吸い込んだ庫内空気をそのまま荷室（5）へ送り返す。
【０１３７】
酸素濃度増加動作において、制御器（110）は、第１バイパス弁（50）と第２バイパス弁（70）のそれぞれを第２状態（図３に破線で示す状態）に設定し、ポンプユニット（35）の駆動モータ（38）に通電して第１ポンプ（36）及び第２ポンプ（37）を作動させ、換気用排気弁（101）を開状態に設定し、測定用開閉弁（126）を閉状態に設定する。
【０１３８】
第１組成調節部（40）において、第１ポンプ（36）から吐出された庫外空気は、第１バイパス管（51）へ流入し、その窒素濃度と酸素濃度を保った状態で第１一次側管（53）へ流入し、その後に供給管（120）を通って輸送用コンテナ（1）の内部へ供給される。一方、第２組成調節部（60）において、第２ポンプ（37）へ吸い込まれた庫内空気は、第２ポンプ（37）から吐出された後に第２バイパス管（71）を通って第２一次側管（73）へ流入し、その後に供給管（120）を通って輸送用コンテナ（1）の内部へ戻る。また、荷室（5）内の庫内空気の一部は、換気用排気管（100）を通って輸送用コンテナ（1）の外部へ排出される。
【０１３９】
このように、酸素濃度増加動作では、庫内空気よりも酸素濃度の高い庫外空気を輸送用コンテナ（1）の内部へ供給することによって、荷室（5）内の酸素濃度を上昇させる。
【０１４０】
−制御器の制御動作−
庫内空気調節装置（30）の制御器（110）は、酸素センサ（91）及び二酸化炭素センサ（92）の計測値を監視する。そして、庫内空気調節装置（30）が上述した動作を行うことによって、庫内空気の酸素濃度と二酸化炭素濃度をそれぞれの目標範囲に保たれるように、酸素センサ（91）及び二酸化炭素センサ（92）の計測値に基づいて庫内空気調節装置（30）の構成機器を制御する。
【０１４１】
ところで、従来の一般的な庫内空気調節装置では、庫内空気をガス分離膜に通して庫外へ排出したり、外気を庫内へ導入したりするために、回転速度が一定でガス流量が一定のエアポンプが用いられており、ポンプ圧が一定であるために、ガス分離膜の分離性能を必要なガス成分に合わせて調節することができなかった。そこで、本実施形態では、エアポンプ（36，37）と第１，第２分離モジュール（41，61）（第１，第２組成調節部（40，60））のガス分離膜（85）との間に圧力調節器（弁機構）として第１調節弁（46）及び第２調節弁（66）を設け、ガス分離膜（85）へ供給される空気の圧力を調節する制御を上記制御器（110）で行えるようにしている。
【０１４２】
〈圧力調節動作〉
まず、圧力調節動作の代表例として、酸素濃度を調節する動作について説明する。
【０１４３】
輸送用コンテナ（1）の庫内空間の酸素濃度は酸素センサ（91）で検出されており、庫内空間の酸素濃度が目標値からずれると、制御器（110）は圧力調節動作を行って酸素濃度を目標値に維持する。
【０１４４】
ここで、ガス分離膜（85）を通過する空気の圧力は、第１圧力センサ（45）及び第２圧力センサ（65）で検出されており、その検出値が制御器（110）へ入力される。制御器（110）は、第１分離モジュール（41）の第１一次側導出口（43）から流出する低酸素濃度の第１庫外空気と、第２分離モジュール（61）の第２一次側導出口（63）から流出する低酸素濃度の第１庫内空気とについて、検出された圧力に応じた酸素濃度を、計算により求めるか、あるいはメモリに格納されたデータテーブルから求める。
【０１４５】
そして、求められた酸素濃度では必要な分離性能が得られないと判断される場合には、制御器（110）は、第１調節弁（46）及び第２調節弁（66）の開度を、必要な分離性能が得られるように制御する。例えば、第１庫外空気の酸素濃度が目標値より高い場合は、第１調節弁（46）を絞り、第１庫外空気の酸素濃度を低下させる。また、第１庫内空気の酸素濃度が目標値より高い場合は、第２調節弁（66）を絞り、第１庫内空気の酸素濃度を低下させる。
【０１４６】
上記の制御は、第１庫外空気及び第１庫内空気の二酸化炭素濃度についても同様にして行うことができる。
【０１４７】
このように、本実施形態では、第１調節弁（46）及び第２調節弁（66）の開度を調整し、ガス分離膜（85）へ供給される空気の圧力を調節する制御を行うことにより、輸送用コンテナ（1）の庫内空間へ供給される空気中の酸素や二酸化炭素の濃度が調節される。
【０１４８】
−圧力調節動作の詳細−
この実施形態は、上述したように、上記輸送用コンテナ（1）の庫内の二酸化炭素濃度と酸素濃度を測定する濃度測定器であるセンサユニット（90）を備えている。また、上記制御器は、上記センサユニット（90）の測定値を、予め定められた二酸化炭素濃度の目標値及び酸素濃度の目標値に近づけるように、エアポンプ（36，37）から供給される空気の圧力を、圧力調節器である第１調節弁（46）と第２調節弁（66）で制御して、上記ガス分離膜（85）の分離圧力を調整する。
【０１４９】
圧力調節の具体的な制御を図９に基づいて説明する。
【０１５０】
まず、図９の右上領域に示すように、上記輸送用コンテナ（1）の庫内の二酸化炭素濃度が目標値よりも高く、酸素濃度も目標値よりも高い場合、制御器（110）は、第１組成調節部（40）で庫外空気よりも酸素濃度が低い低酸素濃度ガスを生成して輸送用コンテナ（1）の庫内へ供給し、第２組成調節部（60）でガス分離膜（85）の分離圧力を低下させて庫外へのガスの排出量を低下させる。こうすることで、庫内の二酸化炭素濃度と酸素濃度をいずれも低下させる。
【０１５１】
次に、図９の右下領域に示すように、上記輸送用コンテナ（1）の二酸化炭素濃度が目標値よりも低く、酸素濃度が目標値よりも高い場合、制御器（110）は、第１組成調節部（40）で庫外空気よりも酸素濃度が低い低酸素濃度ガスを生成して輸送用コンテナ（1）の庫内へ供給し、且つ、第２組成調節部（60）が組成調節後の空気を輸送用コンテナ（1）の庫内へ供給可能に構成されていることを利用して、第２組成調節部（60）のガス分離膜（85）の分離圧力を上昇させて輸送用コンテナ（1）の庫内へ戻す組成調節後の高二酸化炭素ガスの量を増加させる。こうすることで、庫内の二酸化炭素濃度を上昇させ、酸素濃度を低下させる。
【０１５２】
また、図９の左下領域に示すように、上記輸送用コンテナ（1）の二酸化炭素濃度が目標値よりも低く、酸素濃度も目標値よりも低い場合、制御器（110）は、第１組成調節部（40）で生成した庫外空気よりも酸素濃度が高い高酸素濃度ガスまたは庫外空気を輸送用コンテナ（1）の庫内へ供給し、且つ第２組成調節部（60）が組成調節後の空気を輸送用コンテナ（1）の庫内へ供給可能に構成されていることを利用して、第２組成調節部（60）のガス分離膜（85）の分離圧力を上昇させて輸送用コンテナ（1）の庫内へ戻す組成調節後の高二酸化炭素ガスの量を増加させる。こうすることで、庫内の二酸化炭素濃度を上昇させ、酸素濃度も上昇させる。
【０１５３】
そして、図９の左上領域に示すように、上記輸送用コンテナ（1）の二酸化炭素濃度が目標値よりも高く、酸素濃度が目標値よりも低い場合、制御器（110）は、庫外空気を庫内空間（1）へ供給し、第２組成調節部（60）のガス分離膜（85）の分離圧力を上昇させて生成した、庫内空気よりも二酸化炭素濃度が高い二酸化炭素ガスを庫外空間（1）へ排出する第１の動作と、第１組成調節部（40）で生成した庫外空気よりも酸素濃度が高い高酸素濃度ガスを庫内空間（1）へ供給し、第２組成調節部（60）のガス分離膜（85）の分離圧力を低下させて庫外へ排出する組成調節後の空気量を減少させる第２の動作の何れかを行う。こうすることで、庫内の二酸化炭素濃度を低下させ、酸素濃度を上昇させる。
【０１５４】
以上のように、この実施形態では、ガス分離膜（85）の分離圧力を調節することにより、庫内空間の二酸化炭素濃度と酸素濃度が、それぞれの目標値に近づく制御が制御器（110）によって行われる。
【０１５５】
−実施形態１の効果−
本実施形態によれば、上記ガス分離膜（85）へエアポンプ（36，37）から供給される空気の圧力が第１調節弁（46）及び第２調節弁（66）で調整される。そのため、回転速度が一定のポンプを用い、ポンプ圧が一定であっても、ガス分離膜（85）を通るガスの圧力を変化させることができる。したがって、ガス分離膜（85）の分離性能を必要なガス成分に合わせて調節できる。
【０１５６】
本実施形態によれば、庫外から庫内への空気の経路となる第１組成調節部（40）の分離膜（85）の下流側に圧力調節器（46）を設けるだけでなく、庫内から庫外への空気の経路となる第２組成調節部（60）の分離膜（85）の下流側にも圧力調節器（66）を設けたことにより、２つの経路でガス分離膜（85）の分離圧力を調節し、その分離性能を調節する構成を実現できる。
【０１５７】
本実施形態によれば、収納庫（1）の二酸化炭素濃度が目標値よりも高く、酸素濃度も目標値よりも高い場合に、圧力調節器（39，46，66）で第２組成調節部（60）のガス分離膜（85）の分離圧力を調節することにより、庫内空気の二酸化炭素濃度を低下させるとともに酸素濃度も低下させ、庫内空気の二酸化炭素濃度と酸素濃度の両方を目標値に近づけることができる。また、収納庫（1）の二酸化炭素濃度が目標値よりも低く、酸素濃度が目標値よりも高い場合は、圧力調節器（39，46，66）で第２組成調節部（60）のガス分離膜（85）の分離圧力を調節することにより、庫内空気の二酸化炭素濃度を上昇させるとともに酸素濃度を低下させ、庫内空気の二酸化炭素濃度と酸素濃度の両方を目標値に近づけることができる。
【０１５８】
また、本実施形態によれば、収納庫（1）の二酸化炭素濃度が目標値よりも低く、酸素濃度も目標値よりも低い場合に、圧力調節器（39，46，66）で第２組成調節部（60）のガス分離膜（85）の分離圧力を調節することにより、庫内空気の二酸化炭素濃度を上昇させるとともに酸素濃度も上昇させ、庫内空気の二酸化炭素濃度と酸素濃度の両方を目標値に近づけることができる。また、収納庫（1）の二酸化炭素濃度が目標値よりも高く、上記収納庫（1）の酸素濃度が目標値よりも低い場合に、圧力調節器（39，46，66）で第２組成調節部（60）のガス分離膜（85）の分離圧力を調節することにより、庫内空気の二酸化炭素濃度を低下させるとともに酸素濃度を上昇させ、庫内空気の二酸化炭素濃度と酸素濃度の両方を目標値に近づけることができる。
【０１５９】
このように、本実施形態によれば、庫内空間の二酸化炭素濃度と酸素濃度をそれぞれの目標値に近づける制御を、ガス分離膜（85）の分離圧力を調節することによって行うことができる。
【０１６０】
《実施形態２》
実施形態２について説明する。本実施形態の庫内空気調節装置（30）は、実施形態１の庫内空気調節装置（30）において、第１組成調節部（40）及び第２組成調節部（60）の構成を変更したものである。ここでは、本実施形態の庫内空気調節装置（30）について、実施形態１の庫内空気調節装置（30）と異なる点を説明する。
【０１６１】
〈第１組成調節部〉
図７に示すように、本実施形態の第１組成調節部（40）には、第１一次側切換弁（56）と、第１一次側排出管（57）と、第１二次側切換弁（58）と、第１二次側供給管（59）とが追加される。
【０１６２】
第１一次側切換弁（56）と第１二次側切換弁（58）のそれぞれは、三つのポートを有する切換弁である。第１一次側切換弁（56）と第１二次側切換弁（58）のそれぞれは、第１のポートが第２のポートと連通して第３のポートから遮断される第１状態（図７に実線で示す状態）と、第１のポートが第３のポートと連通して第２のポートから遮断される第２状態（図７に破線で示す状態）とに切り換わるように構成される。
【０１６３】
第１一次側切換弁（56）は、第１一次側管（53）の途中に配置される。第１一次側管（53）において、第１一次側切換弁（56）は、第１バイパス管（51）の出口端よりも供給管（120）寄りに配置される。第１一次側切換弁（56）は、第１のポートが第１調節弁（46）に接続し、第２のポートが供給管（120）に接続する。第１一次側切換弁（56）の第３のポートには、第１一次側排出管（57）の一端が接続する。第１一次側排出管（57）の他端は、第１二次側管（54）に接続する。
【０１６４】
第１二次側切換弁（58）は、第１二次側管（54）の途中に配置される。第１二次側管（54）において、第１二次側切換弁（58）は、第１一次側排出管（57）の他端よりも第１分離モジュール（41）寄りに配置される。第１二次側切換弁（58）は、第１のポートが第１分離モジュール（41）の第１二次側導出口（44）に接続し、第２のポートが第１二次側管（54）を介して輸送用コンテナ（1）の庫外機器室（28）と連通する。第１二次側切換弁（58）の第３のポートには、第１二次側供給管（59）の一端が接続する。第１二次側供給管（59）の他端は、供給管（120）に接続する。
【０１６５】
〈第２組成調節部〉
本実施形態の第２組成調節部（60）には、第２一次側切換弁（76）と、第２一次側排出管（77）と、第２二次側切換弁（78）と、第２二次側供給管（79）とが追加される。
【０１６６】
第２一次側切換弁（76）と第２二次側切換弁（78）のそれぞれは、三つのポートを有する切換弁である。第２一次側切換弁（76）と第２二次側切換弁（78）のそれぞれは、第１のポートが第２のポートと連通して第３のポートから遮断される第１状態（図７に実線で示す状態）と、第１のポートが第３のポートと連通して第２のポートから遮断される第２状態（図７に破線で示す状態）とに切り換わるように構成される。
【０１６７】
第２一次側切換弁（76）は、第２一次側管（73）の途中に配置される。第２一次側管（73）において、第２一次側切換弁（76）は、第２バイパス管（71）の出口端よりも供給管（120）寄りに配置される。第２一次側切換弁（76）は、第１のポートが第２調節弁（66）に接続し、第２のポートが供給管（120）に接続する。第２一次側切換弁（76）の第３のポートには、第２一次側排出管（77）の一端が接続する。第２一次側排出管（77）の他端は、第２二次側管（74）に接続する。
【０１６８】
第２二次側切換弁（78）は、第２二次側管（74）の途中に配置される。第２二次側管（74）において、第２二次側切換弁（78）は、第２一次側排出管（77）の他端よりも第２分離モジュール（61）寄りに配置される。第２二次側切換弁（78）は、第１のポートが第２分離モジュール（61）の第２二次側導出口（64）に接続し、第２のポートが第２二次側管（74）を介して輸送用コンテナ（1）の庫外機器室（28）と連通する。第２二次側切換弁（78）の第３のポートには、第２二次側供給管（79）の一端が接続する。第２二次側供給管（79）の他端は、供給管（120）に接続する。
【０１６９】
この実施形態２の構成は、以上説明した点を除いては実施形態１と同様である。
【０１７０】
−運転動作−
第１組成調節部（40）において、第１一次側切換弁（56）と第１二次側切換弁（58）の両方が第１状態（図７に実線で示す状態）に設定された場合、第１庫外空気は、第１一次側管（53）を通って輸送用コンテナ（1）の内部へ供給され、第２庫外空気は、第２二次側管（74）を通って輸送用コンテナ（1）の外部へ排出される。一方、第１一次側切換弁（56）と第１二次側切換弁（58）の両方が第２状態（図７に破線で示す状態）に設定された場合、第１庫外空気は、第１一次側排出管（57）を通って輸送用コンテナ（1）の外部へ排出され、第２庫外空気は、第１二次側供給管（59）を通って輸送用コンテナ（1）の内部へ供給される。
【０１７１】
第２組成調節部（60）において、第２一次側切換弁（76）と第２二次側切換弁（78）の両方が第１状態（図７に実線で示す状態）に設定された場合、第１庫内空気は、第２一次側管（73）を通って輸送用コンテナ（1）の内部へ供給され、第２庫内空気は、第２二次側管（74）を通って輸送用コンテナ（1）の外部へ排出される。一方、第２一次側切換弁（76）と第２二次側切換弁（78）の両方が第２状態（図７に破線で示す状態）に設定された場合、第１庫内空気は、第２一次側排出管（77）を通って輸送用コンテナ（1）の外部へ排出され、第２庫内空気は、第２二次側供給管（79）を通って輸送用コンテナ（1）の内部へ供給される。
【０１７２】
この実施形態２においても、実施形態１と同様の作用効果が得られる。
【０１７３】
−実施形態２の変形例−
〈変形例１〉
図３に示した実施形態１や図７に示した実施形態２では、開度調整可能な第１調節弁（46）及び第２調節弁（66）として開度可変の電動弁を用い、これらを圧力調節器（弁機構）としているが、図８に示すように、第１調節弁（46）及び第２調節弁（66）は、それぞれ、口径が異なる複数の電磁弁（開閉弁）（46a，46b，46c，66a，66b，66c）を並列に接続したものを用いてもよい。このようにしても、圧力センサ（45，65）の検出値に応じて、開放する電磁弁と閉鎖する電磁弁を決定する制御を行うことにより、ガス分離膜（85）を通過する空気の圧力を調節できる。したがって、この変形例の構成を採用しても、ガス分離膜（85）の分離性能を必要なガス成分に合わせて調節する構成を容易に実現できる。
【０１７４】
上記実施形態１と同様に、第１調節弁（46）は第１組成調節部（40）の分離膜（85）の下流側に設けられ、第２調節弁（66）は第２組成調節部（60）の分離膜（85）の下流側に設けられている。
【０１７５】
〈変形例２〉
図１０に示すように、圧力調節器（48，68）には、エアポンプ（36，37）への空気の流入側に設けられた、開度調整可能な第３調節弁（48a（48））及び第４調節弁（68a（68））を用いてもよい。
【０１７６】
このようにしても、圧力センサ（45，65）の検出値に応じて、第３調節弁（48a）及び第４調節弁（68a）の開度を調節する制御を行うことにより、エアポンプ（36，37）の吐出圧力を変化させ、ひいてはガス分離膜（85）を通過する空気の圧力を調節できる。したがって、この変形例２の構成を採用しても、ガス分離膜（85）の分離性能を必要なガス成分に合わせて調節する構成を容易に実現できる。
【０１７７】
なお、この変形例では、第１調節弁（46）及び第２調節弁（66）は電磁弁（開閉弁）でよい。
【０１７８】
〈変形例３〉
図１１に示すように、圧力調節器（48，68）には、エアポンプ（36，37）からの空気の流出側に設けられた、開度調整可能な第３調節弁（48b（48））及び第４調節弁（68b（68））を用いてもよい。
【０１７９】
このようにしても、圧力センサ（45，65）の検出値に応じて、第３調節弁（48b）及び第４調節弁（68b）の開度を調節する制御を行うことにより、エアポンプ（36，37）の吐出圧力を変化させ、ひいてはガス分離膜（85）を通過する空気の圧力を調節できる。したがって、この変形例３の構成を採用しても、ガス分離膜（85）の分離性能を必要なガス成分に合わせて調節する構成を容易に実現できる。
【０１８０】
〈変形例４〉
図１２に示すように、圧力調節器（48，68）には、エアポンプ（36，37）からの空気の流出側に設けられた、開度調整可能な第３調節弁（48c（48））及び第４調節弁（68c（68））を用い、圧力調節器（48，68）を通過する空気を上記エアポンプ（36，37）への空気の流入側に戻す戻し通路（49a，69a（49，69））を設けてもよい。言い換えると、エアポンプ（36，37）をバイパスするバイパス通路として戻し通路（49a，69a（49，69））を設け、この戻し通路（49a，69a（49，69））に開度調整可能な第３調節弁（48c（48））及び第４調節弁（68c（68））を設けてもよい。
【０１８１】
このようにしても、圧力センサ（45，65）の検出値に応じて、第３調節弁（48c）及び第４調節弁（68c）の開度を調節する制御を行うことにより、エアポンプ（36，37）の吐出圧力を変化させ、ひいてはガス分離膜（85）を通過する空気の圧力を調節できる。したがって、この変形例４の構成を採用しても、ガス分離膜（85）の分離性能を必要なガス成分に合わせて調節する構成を容易に実現できる。
【０１８２】
〈変形例５〉
図１３に示すように、圧力調節器（48，68）には、エアポンプ（36，37）からの空気の流出側に設けられた、開度調整可能な第３調節弁（48d（48））及び第４調節弁（68d（68））を用い、圧力調節器（48，68）を通過する空気を排気する排気通路（49b，69b（49，69））を設けてもよい。
【０１８３】
このようにしても、圧力センサ（45，65）の検出値に応じて、第３調節弁（48d）及び第４調節弁（68d）の開度を調節する制御を行うことにより、エアポンプ（36，37）の吐出側の空気の圧力を変化させ、ひいてはガス分離膜（85）を通過する空気の圧力を調節できる。したがって、この変形例５の構成を採用しても、ガス分離膜（85）の分離性能を必要なガス成分に合わせて調節する構成を容易に実現できる。
【０１８４】
《実施形態３》
実施形態３の庫内空気調節装置（30）について説明する。実施形態３の庫内空気調節装置（30）は、実施形態２の庫内空気調節装置（30）において、第１組成調節部（40）及び制御器（110）を変更したものであり、第２組成調節部（60）の構成は実施形態２と同様である。庫内空気調節装置（30）には、後述する第１組成調節部（40）の第１方向制御弁（232）及び第２方向制御弁（233）に加えて、第３方向制御弁（291）及び第２方向制御弁（292）が設けられている。ここでは、実施形態３の庫内空気調節装置（30）について、実施形態１，２の庫内空気調節装置（30）と異なる点を説明する。
【０１８５】
−第１組成調節部の構成−
本実施形態の第１組成調節部（40）は、実施形態１の第１組成調節部（40）と同様に、輸送用コンテナ（1）の外部から吸い込んだ庫外空気（未処理庫外空気）を第１庫外空気と第２庫外空気に分離するように構成される。本実施形態の第１組成調節部（40）は、いわゆるＰＳＡ（Pressure Swing Adsorption）法によって、未処理庫外空気を第１庫外空気と第２庫外空気に分離するように構成されており、この点で実施形態１の第１組成調節部（40）と相違する。
【０１８６】
図１２に示すように、本実施形態の第１組成調節部（40）は、ポンプユニット（35）の第１ポンプ（36）に代えて、エアポンプ（231）を備える。つまり、本実施形態の庫内空気調節装置（30）において、ポンプユニット（35）は、第２ポンプ（37）及び駆動モータ（38）を備えるが、第１ポンプ（36）を備えていない。また、本実施形態の第１組成調節部（40）は、第１方向制御弁（232）及び第２方向制御弁（233）と、第１吸着筒（234）及び第２吸着筒（235）とを備える。後述するように、各吸着筒（234,235）には、空気中の窒素を吸着する吸着剤が設けられる。
【０１８７】
〈エアポンプ〉
エアポンプ（231）は、ユニットケース（32）の内部空間に配置される。エアポンプ（231）は、それぞれが空気を吸引して加圧して吐出する第１ポンプ機構（231a）及び第２ポンプ機構（231b）を備える。第１ポンプ機構（231a）及び第２ポンプ機構（231b）は、潤滑油を使用しないオイルレスのポンプである。加圧部である第１ポンプ機構（231a）と、減圧部である第２ポンプ機構（231b）とは、それらの両方が駆動モータ（231c）の駆動軸に接続される。第１ポンプ機構（231a）及び第２ポンプ機構（231b）のぞれぞれは、駆動モータ（231c）で回転駆動されることによって、吸込口から空気を吸引して加圧し、加圧した空気を吐出口から吐出する。
【０１８８】
〈外気管、吐出管、フィルタユニット〉
第１ポンプ機構（231a）の吸込口には、外気通路を形成する外気管（241）の一端が接続される。外気管（241）は、ユニットケース（32）を貫通するように設けられる。ユニットケース（32）の外部に位置する外気管（241）の他端は、フィルタユニット（220）に接続される。
【０１８９】
フィルタユニット（220）は、エアフィルタ（47）を備える。エアフィルタ（47）は、庫外空気に含まれる塵埃や塩分などを捕捉するためのフィルタである。本実施形態では、通気性と防水性を有するメンブレンフィルタが、エアフィルタ（47）として用いられる。フィルタユニット（220）は、箱状に形成された部材であり、エアフィルタ（47）を通過した空気（庫外空気）を外気管（241）へ導入する。図示しないが、フィルタユニット（220）は、庫外機器室（28）における凝縮器（13）の下流側に配置される。
【０１９０】
第１ポンプ機構（231a）の吐出口には、吐出通路を形成する吐出管（242）の一端が接続される。吐出管（242）は、他端側で二つの分岐管に分岐しており、一方の分岐管が第１方向制御弁（232）に、他方の分岐管が第２方向制御弁（233）に、それぞれ接続される。
【０１９１】
〈吸引管、供給管〉
第２ポンプ機構（231b）の吸込口には、吸引通路を形成する吸引管（243）の一端が接続される。吸引管（243）は、他端側で二つの分岐管に分岐しており、一方の分岐管が第１方向制御弁（232）に、他方の分岐管が第２方向制御弁（233）に、それぞれ接続される。
【０１９２】
第２ポンプ機構（231b）の吐出口には、供給通路を形成する供給用接続管（244）の一端が接続される。供給用接続管（244）の他端は、供給管（120）に接続される。
【０１９３】
供給用接続管（244）には、その一端から他端へ向かって順に、逆止弁（264）と供給側開閉弁（273）とが設けられる。逆止弁（264）は、供給用接続管（244）の一端から他端へ向かう向きの空気の流通のみを許容し、空気の逆流を防止する。供給側開閉弁（273）は、電磁弁からなる開閉弁である。
【０１９４】
〈第１，第２方向制御弁〉
第１方向制御弁（232）及び第２方向制御弁（233）のそれぞれは、三つのポートを有する切換弁である。各方向制御弁（232,233）は、第１のポートが第２のポートと連通して第３のポートから遮断される第１状態と、第１のポートが第３のポートと連通して第２のポートから遮断される第２状態とに切り換わるように構成される。
【０１９５】
第１方向制御弁（232）は、第１のポートが第１吸着筒（234）の一端に接続される。また、第１方向制御弁（232）は、第２のポートに吐出管（242）の分岐管が接続され、第３のポートに吸引管（243）の分岐管が接続される。第１方向制御弁（232）は、第１吸着筒（234）を、第１ポンプ機構（231a）に連通する状態と、第２ポンプ機構（231b）に連通する状態とに切り換える。
【０１９６】
第２方向制御弁（233）は、第１のポートが第２吸着筒（235）の一端に接続される。また、第２方向制御弁（233）は、第２のポートに吐出管（242）の分岐管が接続され、第３のポートに吸引管（243）の分岐管が接続される。第２方向制御弁（233）は、第２吸着筒（235）を、第１ポンプ機構（231a）に連通する状態と、第２ポンプ機構（231b）に連通する状態とに切り換える。
【０１９７】
〈吸着筒〉
第１吸着筒（234）及び第２吸着筒（235）のそれぞれは、両端が閉塞された円筒状の容器と、その容器に充填された吸着剤とを備える部材である。
【０１９８】
これら吸着筒（234,235）に充填された吸着剤は、圧力が大気圧よりも高い加圧状態において窒素成分を吸着し、圧力が大気圧よりも低い減圧状態において窒素成分を脱着させる性質を有する。本実施形態では、吸着剤として、例えば、窒素分子の分子径（３．０オングストローム）よりも小さく且つ酸素分子の分子径（２．８オングストローム）よりも大きな孔径の細孔を有する多孔体のゼオライトが用いられる。
【０１９９】
本実施形態の第１組成調節部（40）では、第１吸着筒（234）及び第２吸着筒（235）が第１分離部（41）を構成する。第１分離部（41）を構成する二つの吸着筒（234,235）は、未処理庫外空気を、未処理庫外空気よりも窒素濃度が高くて酸素濃度が低い第１庫外空気と、未処理庫外空気よりも窒素濃度が低くて酸素濃度が高い第２庫外空気に分離する。
【０２００】
〈酸素排出管〉
酸素排出通路を形成する酸素排出管（245）は、一端側で二つの分岐管に分岐しており、一方の分岐管が第１吸着筒（234）の他端に、他方の分岐管が第２吸着筒（235）にそれぞれ接続される。酸素排出管（245）の各分岐管には、逆止弁（261）が一つずつ設けられる。各逆止弁（261）は、対応する吸着筒（234,235）から流出する向きの空気の流れを許容し、逆向きの空気の流れを遮断する。
【０２０１】
酸素排出管（245）の集合部分には、逆止弁（262）とオリフィス（263）とが設けられる。逆止弁（262）は、オリフィス（263）よりも酸素排出管（245）の他端寄りに配置される。この逆止弁（262）は、酸素排出管（245）の他端へ向かう空気の流れを許容し、逆向きの空気の流れを遮断する。
【０２０２】
〈パージ管〉
酸素排出管（245）の各分岐管には、パージ通路を形成するパージ管（250）が接続される。パージ管（250）は、一端が第１吸着筒（234）に接続する分岐管に接続され、他端が第２吸着筒（235）に接続する分岐管に接続される。パージ管（250）の一端は、第１吸着筒（234）と逆止弁（261）の間に接続される。パージ管（250）の他端は、第２吸着筒（235）と逆止弁（261）の間に接続される。
【０２０３】
パージ管（250）には、パージ弁（251）が設けられる。パージ弁（251）は、電磁弁からなる開閉弁である。パージ弁（251）は、第１吸着筒（234）と第２吸着筒（235）を均圧する際に開かれる。また、パージ管（250）におけるパージ弁（251）の両側には、オリフィス（252）が一つずつ設けられる。
【０２０４】
〈排気用接続管〉
供給用接続管（244）には、排気用接続通路を形成する排気用接続管（271）が接続される。排気用接続管（271）は、一端が供給用接続管（244）に接続され、他端が酸素排出管（245）に接続される。排気用接続管（271）の一端は、供給用接続管（244）における第２ポンプ機構（231b）と逆止弁（264）の間に接続される。排気用接続管（271）の他端は、酸素排出管（245）の逆止弁（262）よりも庫外側に接続される。
【０２０５】
排気用接続管（271）には、排気用開閉弁（272）が設けられる。排気用開閉弁（272）は、電磁弁からなる開閉弁である。排気用開閉弁（272）は、供給用接続管（244）を流れる空気を庫外へ排出する際に開かれる。
【０２０６】
〈測定用接続管〉
供給用接続管（244）には、測定用通路を形成する測定用接続管（281）が接続される。この測定用接続管（281）は、第１組成調節部（40）をセンサユニット（90）に接続するための配管である。
【０２０７】
測定用接続管（281）は、一端が供給用接続管（244）に接続され、他端が測定用配管（125）に接続される。測定用接続管（281）の一端は、供給用接続管（244）における逆止弁（264）と供給側開閉弁（273）の間に接続される。測定用接続管（281）の他端は、測定用配管（125）における測定用開閉弁（126）とセンサユニット（90）の間に接続される。
【０２０８】
測定用接続管（281）には、測定用開閉弁（282）が設けられる。測定用開閉弁（282）は、電磁弁からなる開閉弁である。測定用開閉弁（282）は、供給用接続管（244）を流れる空気をセンサユニット（90）へ送る際に開かれる。
【０２０９】
〈バイパス管〉
吐出管（242）には、バイパス通路を形成するバイパス接続管（255）が接続される。バイパス接続管（255）は、一端が吐出管（242）に接続され、他端が測定用接続管（281）に接続される。バイパス接続管（255）の一端は、吐出管（242）の分岐箇所よりも第１ポンプ機構（231a）寄りに接続される。バイパス接続管（255）の他端は、測定用接続管（281）の一端と測定用開閉弁（282）の間に接続される。このバイパス接続管（255）は、第１吸着筒（234）及び第２吸着筒（235）をバイパスさせて庫外空気を輸送用コンテナ（1）の庫内空間へ供給するための第１バイパス通路を形成する。
【０２１０】
バイパス接続管（255）には、バイパス開閉弁（256）が設けられる。バイパス開閉弁（256）は、電磁弁からなる開閉弁である。バイパス開閉弁（256）は、バイパス接続管（255）へ流入する庫外空気の流量を変更するための第１バイパス弁機構を構成する。このバイパス開閉弁（256）は、第１ポンプ機構（231a）が吐出した庫外空気を、その組成を変更せずに荷室（5）へ供給する際に開かれる。
【０２１１】
〈第３，第４方向制御弁〉
第３方向制御弁（291）及び第４方向制御弁（292）のそれぞれは、三つのポートを有する切換弁である。各方向制御弁（291,292）は、第１のポートが第２のポートと連通して第３のポートから遮断される第１状態と、第１のポートが第３のポートと連通して第２のポートから遮断される第２状態とに切り換わるように構成される。
【０２１２】
合流した酸素排出管（245）の他端と排気用接続管（271）の他端には、第１排気管（301）の一端が接続される。第１排気管（301）の途中には、第３方向制御弁（291）が接続される。具体的には、第３方向制御弁（291）の第１のポートと第２のポートに第１排気管（301）が接続される。第１排気管（301）は、ユニットケース（32）を貫通するように設けられる。第１排気管（301）の他端は、輸送用コンテナ（1）の庫外空間に開口する。
【０２１３】
第４方向制御弁（292）は、供給用接続管（244）の供給側開閉弁（273）と供給管（120）との間に設けられる。具体的には、第４方向制御弁（292）の第１のポートと第２のポートに供給用接続管（244）が接続される。供給用接続管（244）には、第４方向制御弁（292）の第２のポートと供給管（120）との間に供給用分岐接続管（302）の一端が接続される。供給用分岐接続管（302）の他端は、第３方向制御弁（291）の第３のポートに接続される。第４方向制御弁（292）の第３のポートには、第２排気管（303）の一端が接続される。第２排気管（303）の他端は、第１排気管（301）に、本体ユニット（31）のユニットケース（32）の内部で接続される。
【０２１４】
−第１組成調節部の運転動作−
本実施形態の第１組成調節部（40）の運転動作を説明する。
【０２１５】
本実施形態の第１組成調節部（40）は、後述する第１動作と第２動作を所定の時間（例えば、１４．５秒）ずつ交互に繰り返し行うことによって、未処理庫外空気を第１庫外空気と第２庫外空気に分離する。また、本実施形態の第１組成調節部（40）は、実施形態１，２の第１組成調節部（40）と同様に、庫内空気調節装置（30）の酸素濃度低減動作と二酸化炭素濃度低減動作のそれぞれにおいて、未処理庫外空気を第１庫外空気と第２庫外空気に分離する動作を行う。
【０２１６】
〈第１動作〉
図１３に示すように、第１動作では、第１方向制御弁（232）が第１状態に設定され、第２方向制御弁（233）が第２状態に設定される。その結果、第１ポンプ機構（231a）の吐出口が第１吸着筒（234）に接続し、第２吸着筒（235）が第２ポンプ機構（231b）の吸込口に接続する。また、第１動作では、供給側開閉弁（273）が開かれ、残りの開閉弁（251,256,272,282）が閉じられる。そして、第１動作では、第１吸着筒（234）を対象とする吸着動作と、第２吸着筒（235）を対象とする脱離動作とが行われる。
【０２１７】
第１ポンプ機構（231a）は、外気管（241）から未処理庫外空気を吸い込んで加圧し、加圧した未処理庫外空気を第１吸着筒（234）へ供給する。第１吸着筒（234）では、供給された未処理庫外空気に含まれる窒素が吸着剤に吸着される。その結果、第１吸着筒（234）では、未処理庫外空気よりも窒素濃度が低くて酸素濃度が高い第２庫外空気が生成する。第２庫外空気は、第１吸着筒（234）から流出して酸素排出管（245）を流れ、第３方向制御弁（291）を通って排出用空気として庫外空間へ排出される。
【０２１８】
一方、第２ポンプ機構（231b）は、第２吸着筒（235）から空気を吸引する。第２吸着筒（235）では、その内部の圧力が低下して吸着剤から窒素が脱離する。その結果、第２吸着筒（235）では、未処理庫外空気よりも窒素濃度が高くて酸素濃度が低い第１庫外空気が生成する。第１庫外空気は、第１吸着筒（234）から吸引管（243）へ流入して第２ポンプ機構（231b）へ吸い込まれる。第２ポンプ機構（231b）は、吸い込んだ第１庫外空気を加圧して供給用接続管（244）へ吐出する。第１庫外空気は、供給用空気として供給用接続管（244）を流れ、供給管（120）を流れる空気と合流後に庫内空間へ供給される。
【０２１９】
〈第２動作〉
図１４に示すように、第２動作では、第１方向制御弁（232）が第２状態に設定され、第２方向制御弁（233）が第１状態に設定される。その結果、第１ポンプ機構（231a）の吐出口が第２吸着筒（235）に接続し、第１吸着筒（234）が第２ポンプ機構（231b）の吸込口に接続する。また、第２動作では、供給側開閉弁（273）が開かれ、残りの開閉弁（251,256,272,282）が閉じられる。そして、第２動作では、第１吸着筒（234）を対象とする脱離動作と、第２吸着筒（235）を対象とする吸着動作とが行われる。
【０２２０】
第１ポンプ機構（231a）は、外気管（241）から未処理庫外空気を吸い込んで加圧し、加圧した未処理庫外空気を第２吸着筒（235）へ供給する。第２吸着筒（235）では、供給された未処理庫外空気に含まれる窒素が吸着剤に吸着される。その結果、第２吸着筒（235）では、未処理庫外空気よりも窒素濃度が低くて酸素濃度が高い第２庫外空気が生成する。第２庫外空気は、第２吸着筒（235）から流出して酸素排出管（245）を流れ、第３方向制御弁（291）を通って排出用空気として庫外空間へ排出される。
【０２２１】
一方、第２ポンプ機構（231b）は、第１吸着筒（234）から空気を吸引する。第１吸着筒（234）では、その内部の圧力が低下して吸着剤から窒素が脱離する。その結果、第１吸着筒（234）では、未処理庫外空気よりも窒素濃度が高くて酸素濃度が低い第１庫外空気が生成する。第１庫外空気は、第１吸着筒（234）から吸引管（243）へ流入して第２ポンプ機構（231b）へ吸い込まれる。第２ポンプ機構（231b）は、吸い込んだ第１庫外空気を加圧して供給用接続管（244）へ吐出する。第１庫外空気は、供給用空気として供給用接続管（244）を流れ、供給管（120）を流れる空気と合流後に庫内空間へ供給される。
【０２２２】
この実施形態３によれば、収納庫（1）の庫内空気から窒素と酸素とをガス分離膜（85）で分離して低酸素濃度ガスと高酸素濃度ガスを生成する第１組成調節部（40）に加えて吸着剤が設けられた吸着部（234,235）を備えた構成において、ガス分離膜（85）を通るガスの圧力を変化させてガス分離性能を調整する構成を実現できる。
【０２２３】
《その他の実施形態》
上記各実施形態の庫内空気調節装置（30）については、次のような変形例を適用してもよい。なお、以下の変形例は、庫内空気調節装置（30）の機能を損なわない限り、適宜組み合わせたり、置換したりしてもよい。
【０２２４】
−第１変形例−
海上コンテナでは、使用される電源電圧が陸上設備で用いられている電源電圧とは異なるので、インバータを用いて電流の周波数を変更することは、海上コンテナ用冷凍装置の圧縮機においても普通は行われない。しかしながら、海上コンテナの電源電圧に対応したインバータ（39）（図３に仮想線で表示）を用いれば、電流の周波数を変化させてエアポンプ（36，37）の吐出量を変化させることは可能である。したがって、圧力調節器としてインバータ（39）を用いた場合でも、ガス分離膜（85）の分離性能を必要なガス成分に合わせて調節する構成を実現することは可能である。
【０２２５】
−第２変形例−
実施形態１の庫内空気調節装置（30）において、第１分離モジュール（41）のガス分離膜（85）と第２分離モジュール（61）のガス分離膜（85）とは、それぞれの特性が互いに異なっていてもよい。
【０２２６】
−第３変形例−
実施形態１の庫内空気調節装置（30）において、第１バイパス弁（50）は、第１分離モジュール（41）へ流入する未処理庫外空気の流量と、第１バイパス管（51）へ流入する未処理庫外空気の流量の割合を、多段階に又は連続的に変更できるように構成されていてもよい。また、第２バイパス弁（70）は、第２分離モジュール（61）へ流入する未処理庫内空気の流量と、第２バイパス管（71）へ流入する未処理庫内空気の流量の割合を、多段階に又は連続的に変更できるように構成されていてもよい。
【０２２７】
−第４変形例−
実施形態１，２の庫内空気調節装置（30）では、第１ポンプ（36）と第２ポンプ（37）のそれぞれに駆動モータが連結されていてもよい。この変形例では、第１ポンプ（36）と第２ポンプ（37）の一方を作動させて他方を休止させることが可能となる。
【０２２８】
−第５変形例−
実施形態２の庫内空気調節装置（30）において、第１組成調節部（40）と第２組成調節部（60）のそれぞれは、いわゆるＰＳＡ（Pressure Swing Adsorption）法によって、吸い込んだ空気を互いに組成が異なる二種類の空気に分離するように構成されていてもよい。実施形態２３、第２組成調節部（60）にＰＳＡ法の構成を用いた例であるが、第１組成調節部（40）と第２組成調節部（60）のそれぞれにＰＳＡ法を用いる構成では、組成調節部（40,60）は、吸い込んだ空気に含まれる窒素を吸着剤に吸着させることによって、窒素濃度が低くて酸素濃度および二酸化炭素濃度が高い空気を生成する工程と、吸着剤から窒素を脱離させて窒素濃度が高くて酸素濃度及び二酸化炭素濃度が低い空気を生成する工程とを交互に繰り返し行う。
【０２２９】
−第６変形例−
上記各実施形態の庫内空気調節装置（30）は、定置型の冷蔵庫または冷凍庫に設けられてもよい。また、上記各実施形態の庫内空気調節装置（30）は、トラックや鉄道などで輸送される陸上輸送用の冷蔵・冷凍コンテナに設けられていてもよい。また、上記各実施形態の庫内空気調節装置（30）は、荷室を形成する箱体が車台と一体になった冷蔵・冷凍トラックに設けられていてもよい。
【産業上の利用可能性】
【０２３０】
以上説明したように、本開示は、収納庫の庫内空気の組成を調節する庫内空気調節装置について有用である。
【符号の説明】
【０２３１】
1    輸送用コンテナ（収納庫）
30    庫内空気調節装置
36    第１ポンプ（エアポンプ）
37    第２ポンプ（エアポンプ）
39    インバータ（圧力調節器）
40    第１組成調節部（ガス組成調節部）
46    第１調節弁（弁機構（圧力調節器））
53    第１一次側管（ガス通路）
55    庫外側吸入管（ガス通路）
60    第２組成調節部（ガス組成調節部）
66    第２調節弁（弁機構（圧力調節器））
73    第２一次側管（ガス通路）
75    庫内側吸入管（ガス通路）
85    ガス分離膜
120  供給管（ガス通路）
【図１】
2019066170.tif 000003
【図２】
2019066170.tif 000004
【図３】
2019066170.tif 000005
【図４】
2019066170.tif 000006
【図５】
2019066170.tif 000007
【図６】
2019066170.tif 000008
【図７】
2019066170.tif 000009
【図８】
2019066170.tif 000010
【図９】
2019066170.tif 000011
【図１０】
2019066170.tif 000012
【図１１】
2019066170.tif 000013
【図１２】
2019066170.tif 000014
【図１３】
2019066170.tif 000015
【図１４】
2019066170.tif 000016
【図１５】
2019066170.tif 000017
【図１６】
2019066170.tif 000018
【手続補正書】
【提出日】平成31年2月12日(2019.2.12)
【手続補正１】
【補正対象書類名】明細書
【補正対象項目名】全文
【補正方法】変更
【補正の内容】
【発明の詳細な説明】
【技術分野】
【０００１】
本開示は、収納庫の庫内空気の組成を調節する庫内空気調節装置に関するものである。
【背景技術】
【０００２】
農産物等の植物の鮮度低下の抑制を目的として、農産物等を収容する倉庫や輸送用コンテナの庫内空気の組成（例えば、庫内空気の酸素濃度や二酸化炭素濃度）を調節する庫内空気調節装置が知られている。
【０００３】
特許文献１には、庫内空気の組成を調節する装置を持ったコンテナが開示されている。この特許文献１の装置は、二酸化炭素の透過性が酸素の透過性よりも高いガス分離膜を用いて、庫内空気の組成を調節する。具体的に、この装置は、ガス分離膜の一方の表面に二酸化炭素を含む庫内空気を接触させ、ガス分離膜の他方の表面に二酸化炭素を殆ど含まない外気を接触させることによって、農産物等の呼吸によって生じた二酸化炭素をコンテナの外部へ排出する（特許文献１の明細書２０ページ１４行〜２１ページ２行を参照）。また、この装置は、庫内の酸素濃度が低下すると、コンテナの庫内と庫外を連通させる通路を開き、この通路を通じて外気を庫内へ流入させる（特許文献１の明細書２０ページ５〜１２行を参照）。
【先行技術文献】
【特許文献】
【０００４】
【特許文献１】国際公開第２００７／０３３６６８号
【発明の概要】
【発明が解決しようとする課題】
【０００５】
ところで、従来の一般的な庫内空気調節装置では、庫内空気をガス分離膜に通して庫外へ排出したり、外気を庫内へ導入したりするために、エアポンプが用いられる。ここで、エアポンプのガス流量が一定（ポンプ圧が一定）であると、ガス分離膜の分離性能を必要なガス成分に合わせて調節することはできない。
【０００６】
本開示の目的は、ガス分離膜の分離性能を必要なガス成分に合わせて調整できるようにすることである。
【課題を解決するための手段】
【０００７】
本開示の第１の態様は、収納庫（1）の内部の庫内空気の組成を調節する庫内空気調節装置を前提とする。
【０００８】
そして、この庫内空気調節装置は、上記収納庫（1）の外部の庫外空気から該庫外空気とは組成が異なる供給用空気をガス分離膜（85）で分離する第１分離部（41）を有し、上記供給用空気を上記収納庫（1）の内部へ供給する第１組成調節部（40）と、上記収納庫（1）の内部の庫内空気から該庫内空気とは組成が異なる排出用空気をガス分離膜（85）で分離する第２分離部（61）を有し、上記排出用空気を上記収納庫（1）の外部へ排出する第２組成調節部（60）と、上記第１分離部（41）及び第２分離部（61）へ空気を供給するエアポンプ（36，37）と、を備え、上記第１分離部（41）及び第２分離部（61）の少なくとも一方へ上記エアポンプ（36，37）から供給される空気の圧力を調節する圧力調節器（39，46，66，48，68）を備えていることを特徴とする。
【０００９】
この第１の態様では、上記ガス分離膜（85）へエアポンプ（36，37）から供給される空気の圧力が圧力調節器（39，46，66，48，68）で調整される。したがって、ガス分離膜（85）を通るガスの圧力を変化させることができ、ガス分離性能を調整することができる。
【００１０】
また、第１の態様は、上記圧力調節器（39，46，66，48，68）が、上記ガス分離膜（85）の下流側に設けられた弁機構（46，66）により構成されていることを特徴とする。この構成において、弁機構（46，66）には、例えば流量調整弁や、口径が異なる複数の開閉弁を並列に接続したものを用いることができる。
【００１１】
この第１の態様では、例えば流量調整弁や、口径が異なる複数の開閉弁を並列に接続したものを用いて構成した弁機構（46，66）を用いることにより、ガス分離膜（85）を通るガスの圧力を変化させることができる。
【００１２】
また、第１の態様は、上記圧力調節器（66）が、上記第２組成調節部（60）の分離膜（85）の下流側に設けられていることを特徴とする。
【００１３】
この第１の態様では、第２組成調節部（60）の分離膜（85）の下流側に圧力調節器（66）を設けたことにより、庫内から庫外へ空気が流れる経路でガス分離膜（85）の分離圧力が調節される。
【００１４】
第２の態様は、
収納庫（1）の内部の庫内空気の組成を調節する庫内空気調節装置であって、
上記収納庫（1）の外部の庫外空気から該庫外空気とは組成が異なる供給用空気をガス分離膜（85）で分離する第１分離部（41）を有し、上記供給用空気を上記収納庫（1）の内部へ供給する第１組成調節部（40）と、
上記収納庫（1）の内部の庫内空気から該庫内空気とは組成が異なる排出用空気をガス分離膜（85）で分離する第２分離部（61）を有し、上記排出用空気を上記収納庫（1）の外部へ排出する第２組成調節部（60）と、
上記第１分離部（41）及び第２分離部（61）へ空気を供給するエアポンプ（36，37）と、を備え、
上記第１分離部（41）及び第２分離部（61）の少なくとも一方へ上記エアポンプ（36，37）から供給される空気の圧力を調節する圧力調節器（39，46，66，48，68）を備え、
上記圧力調節器（39，46，66，48，68）は、上記ガス分離膜（85）の下流側に設けられた弁機構（46，66）により構成され、
上記圧力調節器（46，66）が、第１組成調節部（40）の分離膜（85）の下流側と、上記第２組成調節部（60）の分離膜（85）の下流側とに設けられていることを特徴とする。
【００１５】
この第２の態様では、第１組成調節部（40）の分離膜（85）の下流側と、第２組成調節部（60）の分離膜（85）の下流側に圧力調節器（66）を設けたことにより、庫外から庫内へ空気が流れる経路と、庫内から庫外へ空気が流れる経路でガス分離膜（85）の分離圧力が調節される。
【００１６】
第３の態様は、
収納庫（1）の内部の庫内空気の組成を調節する庫内空気調節装置であって、
上記収納庫（1）の外部の庫外空気から該庫外空気とは組成が異なる供給用空気をガス分離膜（85）で分離する第１分離部（41）を有し、上記供給用空気を上記収納庫（1）の内部へ供給する第１組成調節部（40）と、
上記収納庫（1）の内部の庫内空気から該庫内空気とは組成が異なる排出用空気をガス分離膜（85）で分離する第２分離部（61）を有し、上記排出用空気を上記収納庫（1）の外部へ排出する第２組成調節部（60）と、
上記第１分離部（41）及び第２分離部（61）へ空気を供給するエアポンプ（36，37）と、を備え、
上記第１分離部（41）及び第２分離部（61）の少なくとも一方へ上記エアポンプ（36，37）から供給される空気の圧力を調節する圧力調節器（39，46，66，48，68）を備え、
上記圧力調節器（48，68）が、上記エアポンプ（36，37）への空気の流入側に設けられていることを特徴とする。
【００１７】
この第３の態様では、エアポンプ（36，37）への空気の流入側で空気の圧力を調整することで、ガス分離膜（85）の分離圧力が調節される。
【００１８】
第４の態様は、
収納庫（1）の内部の庫内空気の組成を調節する庫内空気調節装置であって、
上記収納庫（1）の外部の庫外空気から該庫外空気とは組成が異なる供給用空気をガス分離膜（85）で分離する第１分離部（41）を有し、上記供給用空気を上記収納庫（1）の内部へ供給する第１組成調節部（40）と、
上記収納庫（1）の内部の庫内空気から該庫内空気とは組成が異なる排出用空気をガス分離膜（85）で分離する第２分離部（61）を有し、上記排出用空気を上記収納庫（1）の外部へ排出する第２組成調節部（60）と、
上記第１分離部（41）及び第２分離部（61）へ空気を供給するエアポンプ（36，37）と、を備え、
上記第１分離部（41）及び第２分離部（61）の少なくとも一方へ上記エアポンプ（36，37）から供給される空気の圧力を調節する圧力調節器（39，46，66，48，68）を備え、
上記圧力調節器（48，68）が、上記エアポンプ（36，37）からの空気の流出側に設けられていることを特徴とする。
【００１９】
この第４の態様では、エアポンプ（36，37）からの空気の流出側で空気の圧力を調整することで、ガス分離膜（85）の分離圧力が調節される。
【００２０】
第５の態様は、第１から第４の態様の何れか１つにおいて、第１組成調節部（40）に代えて、上記収納庫（1）の庫内空気から窒素と酸素及び二酸化炭素とを分離し、庫内空気よりも窒素濃度が高くて酸素濃度及び二酸化炭素濃度が低い低酸素濃度ガスと、庫内空気よりも窒素濃度が低くて酸素濃度及び二酸化炭素濃度が高い高酸素濃度ガスとを生成可能な吸着剤が設けられた吸着部（234,235）を備えていることを特徴とする。
【００２１】
この第５の態様では、収納庫（1）の庫内空気から窒素と酸素とをガス分離膜（85）で分離して低酸素濃度ガスと高酸素濃度ガスを生成する第１組成調節部（40）に加えて吸着剤が設けられた吸着部（234,235）を備えた構成において、ガス分離膜（85）を通るガスの圧力を変化させることができ、ガス分離性能を調整することができる。
【００２２】
第６の態様は、
収納庫（1）の内部の庫内空気の組成を調節する庫内空気調節装置であって、
上記収納庫（1）の外部の庫外空気から該庫外空気とは組成が異なる供給用空気をガス分離膜（85）で分離する第１分離部（41）を有し、上記供給用空気を上記収納庫（1）の内部へ供給する第１組成調節部（40）と、
上記収納庫（1）の内部の庫内空気から該庫内空気とは組成が異なる排出用空気をガス分離膜（85）で分離する第２分離部（61）を有し、上記排出用空気を上記収納庫（1）の外部へ排出する第２組成調節部（60）と、
上記第１分離部（41）及び第２分離部（61）へ空気を供給するエアポンプ（36，37）と、を備え、
上記第１分離部（41）及び第２分離部（61）の少なくとも一方へ上記エアポンプ（36，37）から供給される空気の圧力を調節する圧力調節器（39，46，66，48，68）を備え、
第１組成調節部（40）に代えて、上記収納庫（1）の庫内空気から窒素と酸素及び二酸化炭素とを分離し、庫内空気よりも窒素濃度が高くて酸素濃度及び二酸化炭素濃度が低い低酸素濃度ガスと、庫内空気よりも窒素濃度が低くて酸素濃度及び二酸化炭素濃度が高い高酸素濃度ガスとを生成可能な吸着剤が設けられた吸着部（234,235）を備えていることを特徴とする。
【００２３】
この第６の態様では、収納庫（1）の庫内空気から窒素と酸素とをガス分離膜（85）で分離して低酸素濃度ガスと高酸素濃度ガスを生成する第１組成調節部（40）に加えて吸着剤が設けられた吸着部（234,235）を備えた構成において、ガス分離膜（85）を通るガスの圧力を変化させることができ、ガス分離性能を調整することができる。
【００２４】
第７の態様は、第１から第６の態様の何れか１つにおいて、
上記収納庫（1）の庫内の二酸化炭素濃度と酸素濃度を測定する濃度測定器（90）と、
上記濃度測定器の測定値を予め定められた二酸化炭素濃度の目標値及び酸素濃度の目標値に近づけるように、エアポンプ（36，37）から供給される空気の圧力を上記圧力調節器（39，46，66，48，68）で制御して、上記ガス分離膜（85）の分離圧力を調整する制御器（110）と、を備えていることを特徴とする。
【００２５】
この第７の態様では、ガス分離膜（85）の分離圧力を調節することにより、庫内空間の二酸化炭素濃度と酸素濃度が、それぞれの目標値に近づく制御が制御器（110）によって行われる。
【００２６】
第第８の態様は、
収納庫（1）の内部の庫内空気の組成を調節する庫内空気調節装置であって、
上記収納庫（1）の外部の庫外空気から該庫外空気とは組成が異なる供給用空気をガス分離膜（85）で分離する第１分離部（41）を有し、上記供給用空気を上記収納庫（1）の内部へ供給する第１組成調節部（40）と、
上記収納庫（1）の内部の庫内空気から該庫内空気とは組成が異なる排出用空気をガス分離膜（85）で分離する第２分離部（61）を有し、上記排出用空気を上記収納庫（1）の外部へ排出する第２組成調節部（60）と、
上記第１分離部（41）及び第２分離部（61）へ空気を供給するエアポンプ（36，37）と、を備え、
上記第１分離部（41）及び第２分離部（61）の少なくとも一方へ上記エアポンプ（36，37）から供給される空気の圧力を調節する圧力調節器（39，46，66，48，68）を備え、
上記収納庫（1）の庫内の二酸化炭素濃度と酸素濃度を測定する濃度測定器（90）と、
上記濃度測定器（90）の測定値を予め定められた二酸化炭素濃度の目標値及び酸素濃度の目標値に近づけるように、エアポンプ（36，37）から供給される空気の圧力を上記圧力調節器（39，46，66，48，68）で制御して、上記ガス分離膜（85）の分離圧力を調整する制御器（110）と、を備え、
上記制御器（110）は、上記収納庫（1）の庫内の二酸化炭素濃度が目標値よりも高く、上記収納庫（1）の庫内の酸素濃度が目標値よりも高い場合に、第１組成調節部（40）で庫外空気よりも酸素濃度が低い低酸素濃度ガスを生成して収納庫（1）の庫内へ供給し、第２組成調節部（60）でガス分離膜（85）の分離圧力を低下させて庫外へのガスの排出量を低下させることを特徴とする。
【００２７】
この第８の態様では、図９に示すように、収納庫（1）の庫内の二酸化炭素濃度が目標値よりも高く、酸素濃度も目標値よりも高い場合は、庫内空気の二酸化炭素濃度と酸素濃度が低下する制御が行われる。
【００２８】
第９の態様は、
収納庫（1）の内部の庫内空気の組成を調節する庫内空気調節装置であって、
上記収納庫（1）の外部の庫外空気から該庫外空気とは組成が異なる供給用空気をガス分離膜（85）で分離する第１分離部（41）を有し、上記供給用空気を上記収納庫（1）の内部へ供給する第１組成調節部（40）と、
上記収納庫（1）の内部の庫内空気から該庫内空気とは組成が異なる排出用空気をガス分離膜（85）で分離する第２分離部（61）を有し、上記排出用空気を上記収納庫（1）の外部へ排出する第２組成調節部（60）と、
上記第１分離部（41）及び第２分離部（61）へ空気を供給するエアポンプ（36，37）と、を備え、
上記第１分離部（41）及び第２分離部（61）の少なくとも一方へ上記エアポンプ（36，37）から供給される空気の圧力を調節する圧力調節器（39，46，66，48，68）を備え、
上記収納庫（1）の庫内の二酸化炭素濃度と酸素濃度を測定する濃度測定器（90）と、
上記濃度測定器（90）の測定値を予め定められた二酸化炭素濃度の目標値及び酸素濃度の目標値に近づけるように、エアポンプ（36，37）から供給される空気の圧力を上記圧力調節器（39，46，66，48，68）で制御して、上記ガス分離膜（85）の分離圧力を調整する制御器（110）と、
を備え、
第２組成調節部（60）が組成調節後の空気を収納庫（1）の庫内へ供給可能に構成され、
上記制御器（110）は、上記収納庫（1）の二酸化炭素濃度が目標値よりも低く、上記収納庫（1）の酸素濃度が目標値よりも高い場合に、第１組成調節部（40）で庫外空気よりも酸素濃度が低い低酸素濃度ガスを生成して収納庫（1）の庫内へ供給し、第２組成調節部（60）のガス分離膜（85）の分離圧力を上昇させて収納庫（1）の庫内へ戻す組成調節後の空気量を増加させることを特徴とする。
【００２９】
この第９の態様では、図９に示すように、収納庫（1）の二酸化炭素濃度が目標値よりも低く、酸素濃度が目標値よりも高い場合は、庫内空気の二酸化炭素濃度が上昇し、酸素濃度が低下する制御が行われる。
【００３０】
第１０の態様は、
収納庫（1）の内部の庫内空気の組成を調節する庫内空気調節装置であって、
上記収納庫（1）の外部の庫外空気から該庫外空気とは組成が異なる供給用空気をガス分離膜（85）で分離する第１分離部（41）を有し、上記供給用空気を上記収納庫（1）の内部へ供給する第１組成調節部（40）と、
上記収納庫（1）の内部の庫内空気から該庫内空気とは組成が異なる排出用空気をガス分離膜（85）で分離する第２分離部（61）を有し、上記排出用空気を上記収納庫（1）の外部へ排出する第２組成調節部（60）と、
上記第１分離部（41）及び第２分離部（61）へ空気を供給するエアポンプ（36，37）と、を備え、
上記第１分離部（41）及び第２分離部（61）の少なくとも一方へ上記エアポンプ（36，37）から供給される空気の圧力を調節する圧力調節器（39，46，66，48，68）を備え、
上記収納庫（1）の庫内の二酸化炭素濃度と酸素濃度を測定する濃度測定器（90）と、
上記濃度測定器（90）の測定値を予め定められた二酸化炭素濃度の目標値及び酸素濃度の目標値に近づけるように、エアポンプ（36，37）から供給される空気の圧力を上記圧力調節器（39，46，66，48，68）で制御して、上記ガス分離膜（85）の分離圧力を調整する制御器（110）と、を備え、
第２組成調節部（60）が組成調節後の空気を収納庫（1）の庫内へ供給可能に構成され、
上記制御器（110）は、上記収納庫（1）の二酸化炭素濃度が目標値よりも低く、上記収納庫（1）の酸素濃度が目標値よりも低い場合に、第１組成調節部（40）で生成した庫外空気よりも酸素濃度が高い高酸素濃度ガスまたは庫外空気を収納庫（1）の庫内へ供給し、第２組成調節部（60）のガス分離膜（85）の分離圧力を上昇させて収納庫（1）の庫内へ戻す組成調節後の空気量を増加させることを特徴とする。
【００３１】
この第１０の態様では、図９に示すように、収納庫（1）の二酸化炭素濃度が目標値よりも低く、酸素濃度も目標値よりも低い場合は、庫内空気の二酸化炭素濃度と酸素濃度が上昇する制御が行われる。
【００３２】
第１１の態様は、
収納庫（1）の内部の庫内空気の組成を調節する庫内空気調節装置であって、
上記収納庫（1）の外部の庫外空気から該庫外空気とは組成が異なる供給用空気をガス分離膜（85）で分離する第１分離部（41）を有し、上記供給用空気を上記収納庫（1）の内部へ供給する第１組成調節部（40）と、
上記収納庫（1）の内部の庫内空気から該庫内空気とは組成が異なる排出用空気をガス分離膜（85）で分離する第２分離部（61）を有し、上記排出用空気を上記収納庫（1）の外部へ排出する第２組成調節部（60）と、
上記第１分離部（41）及び第２分離部（61）へ空気を供給するエアポンプ（36，37）と、を備え、
上記第１分離部（41）及び第２分離部（61）の少なくとも一方へ上記エアポンプ（36，37）から供給される空気の圧力を調節する圧力調節器（39，46，66，48，68）を備え、
上記収納庫（1）の庫内の二酸化炭素濃度と酸素濃度を測定する濃度測定器（90）と、
上記濃度測定器（90）の測定値を予め定められた二酸化炭素濃度の目標値及び酸素濃度の目標値に近づけるように、エアポンプ（36，37）から供給される空気の圧力を上記圧力調節器（39，46，66，48，68）で制御して、上記ガス分離膜（85）の分離圧力を調整する制御器（110）と、を備え、
上記制御器（110）は、上記収納庫（1）の二酸化炭素濃度が目標値よりも高く、上記収納庫（1）の酸素濃度が目標値よりも低い場合に、庫外空気を庫内空間（1）へ供給し、第２組成調節部（60）のガス分離膜（85）の分離圧力を上昇させて生成した、庫内空気よりも二酸化炭素濃度が高い二酸化炭素ガスを庫外空間（1）へ排出する動作か、または、第１組成調節部（40）で生成した庫外空気よりも酸素濃度が高い高酸素濃度ガスを庫内空間（1）へ供給し、第２組成調節部（60）のガス分離膜（85）の分離圧力を低下させて庫外へ排出する組成調節後の空気量を減少させる動作を行うことを特徴とする。
【００３３】
この第１１の態様では、図９に示すように、収納庫（1）の二酸化炭素濃度が目標値よりも高く、上記収納庫（1）の酸素濃度が目標値よりも低い場合は、庫内空気の二酸化炭素濃度が低下し、酸素濃度が上昇する制御が行われる。
【発明の効果】
【００３４】
本開示の第１の態様によれば、上記ガス分離膜（85）へエアポンプ（36，37）から供給される空気の圧力が圧力調節器（39，46，66）で調整される。したがって、エアポンプ（36，37）のガス流量が一定であっても、ガス分離膜（85）を通るガスの圧力を変化させることができるので、ガス分離膜（85）の分離性能を必要なガス成分に合わせて調節できる。
【００３５】
上記第１の態様によれば、圧力調節器（46，66）として、例えば流量調整弁や、口径が異なる複数の開閉弁を並列に接続したものを用いることにより、ガス分離膜（85）の分離性能を必要なガス成分に合わせて調節する構成を容易に実現できる。
【００３６】
上記第１の態様によれば、第２組成調節部（60）の分離膜（85）の下流側に圧力調節器（66）を設けたことにより、庫内から庫外へ空気が流れる経路で、ガス分離膜（85）の分離性能を調節する構成を実現できる。
【００３７】
上記第２の態様によれば、第１組成調節部（40）の分離膜（85）の下流側と、第２組成調節部（60）の分離膜（85）の下流側に圧力調節器（66）を設けたことにより、庫外から庫内へ空気が流れる経路と、庫内から庫外へ空気が流れる経路で、ガス分離膜（85）の分離性能を調節する構成を実現できる。
【００３８】
第３の態様によれば、圧力調節器（48，68）をエアポンプ（36，37）への空気の流入側に設けたことにより、エアポンプ（36，37）への空気の流入側で空気の圧力を調整してガス分離膜（85）の分離性能を調節する構成を実現できる。
【００３９】
第４の態様によれば、上記圧力調節器（48，68）をエアポンプ（36，37）からの空気の流出側に設けたことにより、エアポンプ（36，37）からの空気の流出側で空気の圧力を調整してガス分離膜（85）の分離性能を調節する構成を実現できる。
【００４０】
第５の態様によれば、収納庫（1）の庫内空気から窒素と酸素とをガス分離膜（85）で分離して低酸素濃度ガスと高酸素濃度ガスを生成する第１組成調節部（40）に加えて吸着剤が設けられた吸着部（234,235）を備えた構成において、ガス分離膜（85）を通るガスの圧力を変化させてガス分離性能を調整する構成を実現できる。
【００４１】
第６の態様によれば、収納庫（1）の庫内空気から窒素と酸素とをガス分離膜（85）で分離して低酸素濃度ガスと高酸素濃度ガスを生成する第１組成調節部（40）に加えて吸着剤が設けられた吸着部（234,235）を備えた構成において、ガス分離膜（85）を通るガスの圧力を変化させてガス分離性能を調整する構成を実現できる。
【００４２】
第７の態様によれば、庫内空間の二酸化炭素濃度と酸素濃度をそれぞれの目標値に近づける制御を、ガス分離膜（85）の分離圧力を調節することによって行うことができる。
【００４３】
第８の態様によれば、収納庫（1）の二酸化炭素濃度が目標値よりも高く、酸素濃度も目標値よりも高い場合に、圧力調節器（39，46，66）で第２組成調節部（60）のガス分離膜（85）の分離圧力を調節することにより、庫内空気の二酸化炭素濃度と酸素濃度の両方を目標値に近づけることができる。
【００４４】
第９の態様によれば、収納庫（1）の二酸化炭素濃度が目標値よりも低く、酸素濃度が目標値よりも高い場合は、圧力調節器（39，46，66）で第２組成調節部（60）のガス分離膜（85）の分離圧力を調節することにより、庫内空気の二酸化炭素濃度と酸素濃度の両方を目標値に近づけることができる。
【００４５】
第１０の態様によれば、収納庫（1）の二酸化炭素濃度が目標値よりも低く、酸素濃度も目標値よりも低い場合に、圧力調節器（39，46，66）で第２組成調節部（60）のガス分離膜（85）の分離圧力を調節することにより、庫内空気の二酸化炭素濃度と酸素濃度の両方を目標値に近づけることができる。
【００４６】
第１１の態様によれば、収納庫（1）の二酸化炭素濃度が目標値よりも高く、上記収納庫（1）の酸素濃度が目標値よりも低い場合に、圧力調節器（39，46，66）で第２組成調節部（60）のガス分離膜（85）の分離圧力を調節することにより、庫内空気の二酸化炭素濃度と酸素濃度の両方を目標値に近づけることができる。
【図面の簡単な説明】
【００４７】
【図１】図１は、実施形態１の庫内空気調節装置を備えた輸送用コンテナの概略断面図である。
【図２】図２は、輸送用コンテナに設けられたコンテナ用冷凍機の冷媒回路の構成を示す冷媒回路図である。
【図３】図３は、実施形態１の庫内空気調節装置の構成を示す配管系統図である。
【図４】図４は、実施形態１の庫内空気調節装置に設けられた分離モジュールの概略断面図である。
【図５】図５は、実施形態１の庫内空気調節装置が行う酸素濃度低減動作を示すブロック図である。
【図６】図６は、実施形態１の庫内空気調節装置が行う二酸化炭素濃度低減動作を示すブロック図である。
【図７】図７は、実施形態２の庫内空気調節装置の構成を示す配管系統図である。
【図８】図８は、実施形態２の変形例１に係る庫内空気調節装置の構成を示す配管系統図である。
【図９】図９は、圧力調節動作の詳細を示す図である。
【図１０】図１０は、実施形態２の変形例２に係る庫内空気調節装置の構成を示す配管系統図である。
【図１１】図１１は、実施形態２の変形例３に係る庫内空気調節装置の構成を示す配管系統図である。
【図１２】図１２は、実施形態２の変形例４に係る庫内空気調節装置の構成を示す配管系統図である。
【図１３】図１３は、実施形態２に変形例５に係る庫内空気調節装置の構成を示す配管系統図である。
【図１４】図１４は、実施形態３の庫内空気調節装置の構成を示す配管系統図である。
【図１５】図１５は、実施形態３の第１組成調節部の第１動作中の状態を示す庫内空気調節装置の配管系統図である。
【図１６】図１６は、実施形態３の第１組成調節部の第２動作中の状態を示す庫内空気調節装置の配管系統図である。
【発明を実施するための形態】
【００４８】
実施形態を図面に基づいて詳細に説明する。なお、以下で説明する実施形態および変形例は、本質的に好ましい例示であって、本開示、その適用物、あるいはその用途の範囲を制限することを意図するものではない。
【００４９】
《実施形態１》
実施形態１について説明する。本実施形態の庫内空気調節装置（30）は、いわゆるＣＡ（Controlled Atmosphere）輸送を行うために輸送用コンテナ（収納庫）（1）に設けられる。そして、庫内空気調節装置（30）は、輸送用コンテナ（1）内の庫内（内部空間）の空気の組成を、外部空間の空気である大気の組成と異なるように調節する。
【００５０】
図１に示すように、収納庫を構成する輸送用コンテナ（1）は、コンテナ本体（2）と、コンテナ用冷凍機（10）とを備えている。この輸送用コンテナ（1）は、庫内の温度管理か可能なリーファーコンテナ（reefer container）である。本実施形態の庫内空気調節装置（30）は、コンテナ用冷凍機（10）に設置される。この輸送用コンテナ（1）は、空気中の酸素（Ｏ２）を取り込んで二酸化炭素（ＣＯ２）を放出する呼吸を行う農産物等の植物を貨物（6）として輸送するために用いられる。植物の例としては、バナナやアボカド等の果物、野菜、穀物、球根、生花等が挙げられる。
【００５１】
コンテナ本体（2）は、細長い直方体形状の箱状に形成されている。コンテナ本体（2）は、一方の端面が開口し、この開口端を塞ぐようにコンテナ用冷凍機（10）が取り付けられる。コンテナ本体（2）の内部空間は、貨物（6）を収納するための荷室（5）を構成する。
【００５２】
荷室（5）の底部には、貨物（6）を載せるための床板（3）が配置される。この床板（3）とコンテナ本体（2）の底板との間には、コンテナ用冷凍機（10）が吹き出した空気を流すための床下流路（4）が形成される。床下流路（4）は、コンテナ本体（2）の底板に沿ってコンテナ本体（2）の長手方向へ延びる流路である。床下流路（4）は、一端がコンテナ用冷凍機（10）の吹出口（27）に接続し、他端が床板（3）の上側の空間（即ち、貨物（6）が収容される空間）と連通する。
【００５３】
−コンテナ用冷凍機−
図１，図２に示すように、コンテナ用冷凍機（10）は、ケーシング（20）と、冷凍サイクルを行う冷媒回路（11）と、庫外ファン（16）と、庫内ファン（17）とを備えている。
【００５４】
ケーシング（20）は、庫外壁部（21）と、庫内壁部（22）と、背面板（24）と、区画板（25）とを備えている。後述するように、このケーシング（20）には、冷媒回路（11）と、庫外ファン（16）と、庫内ファン（17）とが設けられる。
【００５５】
庫外壁部（21）は、コンテナ本体（2）の開口端を覆うように配置される板状の部材である。庫外壁部（21）は、下部がコンテナ本体（2）の内側へ膨出している。庫内壁部（22）は、庫外壁部（21）に沿った形態の板状の部材である。庫内壁部（22）は、庫外壁部（21）におけるコンテナ本体（2）の内側の面を覆うように配置される。庫外壁部（21）と庫内壁部（22）の間の空間には、断熱材（23）が充填されている。
【００５６】
ケーシング（20）は、その下部がコンテナ本体（2）の内側へ窪んだ形状となっている。ケーシング（20）の下部は、輸送用コンテナ（1）の外部空間と連通する庫外機器室（28）を形成する。この庫外機器室（28）には、庫外ファン（16）が配置される。
【００５７】
背面板（24）は、概ね矩形の平板状の部材である。背面板（24）は、庫内壁部（22）よりもコンテナ本体（2）の内側に配置され、庫内壁部（22）との間に庫内空気流路（29）を形成する。この庫内空気流路（29）は、その上端がケーシング（20）の吸込口（26）を構成し、その下端がケーシング（20）の吹出口（27）を構成する。
【００５８】
区画板（25）は、庫内空気流路（29）を上下に区画するように配置された板状の部材である。区画板（25）は、庫内空気流路（29）の上部に配置される。この区画板（25）によって、庫内空気流路（29）は、区画板（25）の上側の一次流路（29a）と、区画板（25）の下側の二次流路（29b）に区画される。一次流路（29a）は、吸込口（26）を介して荷室（5）と連通する。二次流路（29b）は、吹出口（27）を介して床下流路（4）と連通する。区画板（25）には、庫内ファン（17）が取り付けられる。庫内ファン（17）は、一次流路（29a）から吸い込んだ空気を二次流路（29b）へ吹き出すように配置される。
【００５９】
図２に示すように、冷媒回路（11）は、圧縮機（12）と、凝縮器（13）と，膨張弁（14）と、蒸発器（15）とを配管で接続することによって形成された閉回路である。圧縮機（12）を作動させると、冷媒回路（11）を冷媒が循環し、蒸気圧縮冷凍サイクルが行われる。図１に示すように、凝縮器（13）は、庫外機器室（28）における庫外ファン（16）の吸込側に配置され、蒸発器（15）は、庫内空気流路（29）の二次流路（29b）に配置される。また、図１では図示を省略するが、圧縮機（12）は、庫外機器室（28）に配置される。
【００６０】
−庫内空気調節装置−
図１に示すように、庫内空気調節装置（30）は、本体ユニット（31）と、センサユニット（濃度測定器）（90）と、換気用排気管（100）と、制御器（110）とを備えている。本体ユニット（31）は、コンテナ用冷凍機（10）の庫外機器室（28）に設置される。センサユニット（90）は、輸送用コンテナ（1）の庫内空気流路（29）に設置される。換気用排気管（100）は、輸送用コンテナ（1）の庫内空気流路（29）と庫外機器室（28）に亘って設置される。制御器（110）は、本体ユニット（31）に設けられて、庫内空気調節装置（30）の構成機器を制御する。センサユニット（90）、換気用排気管（100）、及び制御器（110）の詳細は、後述する。
【００６１】
図３に示すように、庫内空気調節装置（30）の本体ユニット（31）は、第１組成調節部（40）と、第２組成調節部（60）と、ポンプユニット（35）と、ユニットケース（32）とを備えている。ユニットケース（32）は、箱状の密閉容器である。第１組成調節部（40）と、第２組成調節部（60）と、ポンプユニット（35）とは、このユニットケース（32）の内部空間に配置される。第１組成調節部（40）、第２組成調節部（60）、及びポンプユニット（35）の詳細は、後述する。
【００６２】
また、庫内空気調節装置（30）は、供給管（120）と、庫内側吸入管（75）と、測定用配管（125）とを備えている。供給管（120）、庫内側吸入管（75）、及び測定用配管（125）は、本体ユニット（31）をコンテナ用冷凍機（10）の庫内空気流路（29）に接続するための配管である。
【００６３】
供給管（120）は、第１組成調節部（40）及び第２組成調節部（60）から流出した空気を荷室（5）へ供給するための配管である。供給管（120）は、入口端が第１組成調節部（40）及び第２組成調節部（60）に接続され、出口端が庫内空気流路（29）の二次流路（29b）に開口する。
【００６４】
庫内側吸入管（75）は、荷室（5）内の庫内空気を第２組成調節部（60）へ供給するための配管である。庫内側吸入管（75）は、入口端が庫内空気流路（29）の二次流路（29b）に開口し、出口端が後述する第２組成調節部（60）の第２ポンプ（37）に接続される。なお、庫内空気流路（29）の二次流路（29b）において、庫内側吸入管（75）の入口端は、供給管（120）の出口端の上流側に配置される。
【００６５】
測定用配管（125）は、供給管（120）を流れる空気をセンサユニット（90）へ供給するための配管である。測定用配管（125）は、入口端が供給管（120）に接続され、出口端がセンサユニット（90）に接続される。また、測定用配管（125）には、電磁弁からなる測定用開閉弁（126）が設けられる。この測定用開閉弁（126）は、本体ユニット（31）のユニットケース（32）に収容される。
【００６６】
なお、換気用排気管（100）と、供給管（120）と、庫内側吸入管（75）と、測定用配管（125）と、後述する各組成調節部（40,60）に設けられた配管（51〜55,71〜74,95）とは、硬質のパイプで構成されていてもよいし、柔軟なホースで構成されていてもよいし、パイプとホースを組み合わせることで構成されていてもよい。なお、上記の各配管（53，55，73，75，120）は、本開示のガス通路を構成する配管である。
【００６７】
〈ポンプユニット〉
図３に示すように、ポンプユニット（35）は、第１ポンプ（エアポンプ）（36）と、第２ポンプ（エアポンプ）（37）と、駆動モータ（38）とを備えている。
【００６８】
第１ポンプ（36）と第２ポンプ（37）のそれぞれは、吸い込んだ空気を吐出する空気ポンプである。第１ポンプ（36）と第２ポンプ（37）のそれぞれは、例えば容積型の流体機械によって構成される。第１ポンプ（36）と第２ポンプ（37）は、一体化されている。駆動モータ（38）は、第１ポンプ（36）及び第２ポンプ（37）に連結された電動機である。駆動モータ（38）は、第１ポンプ（36）と第２ポンプ（37）の両方を駆動する。
【００６９】
〈第１組成調節部〉
第１組成調節部（40）は、輸送用コンテナ（1）の外部から吸い込んだ庫外空気（未処理庫外空気）を第１庫外空気（低酸素濃度ガス）と第２庫外空気（高酸素濃度ガス）に分離するように構成される。本実施形態の第１組成調節部（40）は、供給用空気である第１庫外空気を荷室（5）へ供給し、第２庫外空気を輸送用コンテナ（1）の外部へ排出する。
【００７０】
第１組成調節部（40）は、エアフィルタ（47）と、第１分離モジュール（41）と、第１バイパス弁（50）と、第１圧力センサ（45）と第１調節弁（弁機構（圧力調節器））（46）とを備えている。また、第１組成調節部（40）は、庫外側吸入管（55）と、第１導入管（52）と、第１一次側管（53）と、第１二次側管（54）と、第１バイパス管（51）とを備えている。また、ポンプユニット（35）の第１ポンプ（36）は、この第１組成調節部（40）を構成する。
【００７１】
エアフィルタ（47）は、庫外空気に含まれる塵埃や塩分などを捕捉するためのメンブレンフィルタである。エアフィルタ（47）は、本体ユニット（31）のユニットケース（32）に取り付けられる。エアフィルタ（47）は、庫外側吸入管（55）を介して第１ポンプ（36）の吸入口に接続する。なお、本実施形態の庫内空気調節装置（30）では、庫外側吸入管（55）を省略し、密閉容器であるユニットケース（32）の内部空間を介してエアフィルタ（47）と第１ポンプ（36）を連通させてもよい。
【００７２】
詳しくは後述するが、第１分離モジュール（41）は、第１導入口（42）と、第１一次側導出口（43）と、第１二次側導出口（44）とを備える。第１導入口（42）は、第１導入管（52）を介して第１ポンプ（36）の吐出口に接続する。第１一次側導出口（43）は、第１一次側管（53）を介して供給管（120）に接続する。第１二次側導出口（44）には、第１二次側管（54）の一端が接続する。第１二次側管（54）は、ユニットケース（32）の外部へ延びている。第１二次側管（54）の他端は、庫外機器室（28）における庫外ファン（16）の吸込側に開口する。
【００７３】
第１バイパス弁（50）は、三つのポートを有する切換弁であって、第１バイパス弁機構を構成する。第１バイパス弁（50）は、第１のポートが第２のポートと連通して第３のポートから遮断される第１状態（図３に実線で示す状態）と、第１のポートが第３のポートと連通して第２のポートから遮断される第２状態（図３に破線で示す状態）とに切り換わるように構成される。
【００７４】
第１バイパス弁（50）は、第１導入管（52）の途中に配置される。第１バイパス弁（50）は、第１のポートが第１ポンプ（36）の吐出口に接続し、第２のポートが第１分離モジュール（41）の第１導入口（42）に接続する。第１バイパス弁（50）の第３のポートには、第１バイパス管（51）の入口端が接続する。第１バイパス管（51）の出口端は、第１一次側管（53）に接続する。第１バイパス管（51）は、第１バイパス通路を構成する。
【００７５】
第１圧力センサ（45）と第１調節弁（46）とは、第１一次側管（53）に設けられる。第１圧力センサ（45）と第１調節弁（46）とは、第１一次側管（53）に接続する第１バイパス管（51）の他端よりも第１分離モジュール（41）寄りに配置される。また、第１圧力センサ（45）は、第１調節弁（46）よりも第１分離モジュール（41）寄りに配置される。
【００７６】
第１圧力センサ（45）は、第１分離モジュール（41）の第１一次側導出口（43）から流出した第１庫外空気の圧力を計測する。第１圧力センサ（45）の計測値は、第１ポンプ（36）が第１分離モジュール（41）へ供給する未処理庫外空気の圧力と実質的に等しい。
【００７７】
第１調節弁（46）は、開度可変の電動弁であって、第１弁機構を構成する。第１調節弁（46）の開度を変更すると、第１ポンプ（36）が第１分離モジュール（41）へ供給する未処理庫外空気の圧力が変化する。
【００７８】
第１分離モジュール（41）は、第１分離部を構成する。詳しくは後述するが、第１分離モジュール（41）は、ガス分離膜（85）を備えている。そして、第１分離モジュール（41）は、未処理庫外空気を、ガス分離膜（85）を透過しなかった第１庫外空気（第１一次側管（53）を流れる空気）と、ガス分離膜（85）を透過した第２庫外空気（第１二次側管（54）を流れる空気）に分離する。
【００７９】
第１庫外空気は、窒素濃度が未処理庫外空気よりも高く、酸素濃度が未処理庫外空気よりも低い。第２庫外空気は、窒素濃度が未処理庫外空気よりも低く、酸素濃度が未処理庫外空気よりも高い。このように、第１庫外空気と第２庫外空気は、それぞれを構成する物質の濃度が互いに異なる。なお、本明細書における濃度は、体積割合を意味する。
【００８０】
〈第２組成調節部〉
第２組成調節部（60）は、輸送用コンテナ（1）の内部空間から吸い込んだ庫内空気（未処理庫内空気）を第１庫内空気（低酸素濃度ガス）と第２庫内空気（高酸素濃度ガス）に分離するように構成される。本実施形態の第２組成調節部（60）は、第１庫内空気を荷室（5）へ供給し、排出用空気である第２庫内空気を輸送用コンテナ（1）の外部へ排出する。
【００８１】
第２組成調節部（60）は、第２分離モジュール（61）と、第２バイパス弁（70）と、第２圧力センサ（65）と第２調節弁（弁機構（圧力調節器））（66）とを備えている。また、第２組成調節部（60）は、第２導入管（72）と、第２一次側管（73）と、第２二次側管（74）と、第２バイパス管（71）とを備えている。また、ポンプユニット（35）の第２ポンプ（37）は、この第２組成調節部（60）を構成する。
【００８２】
詳しくは後述するが、第２分離モジュール（61）は、第２導入口（62）と、第２一次側導出口（63）と、第２二次側導出口（64）とを備える。第２導入口（62）は、第２導入管（72）を介して第２ポンプ（37）の吐出口に接続する。第２一次側導出口（63）は、第２一次側管（73）を介して供給管（120）に接続する。第２二次側導出口（64）には、第２二次側管（74）の一端が接続する。第２二次側管（74）は、ユニットケース（32）の外部へ延びている。第２二次側管（74）の他端は、庫外機器室（28）における庫外ファン（16）の吸込側に開口する。また、第２ポンプ（37）の吸入口には、庫内側吸入管（75）が接続する。
【００８３】
第２バイパス弁（70）は、三つのポートを有する切換弁であって、第２バイパス弁機構を構成する。第２バイパス弁（70）は、第１のポートが第２のポートと連通して第３のポートから遮断される第１状態（図３に実線で示す状態）と、第１のポートが第３のポートと連通して第２のポートから遮断される第２状態（図３に破線で示す状態）とに切り換わるように構成される。
【００８４】
第２バイパス弁（70）は、第２導入管（72）の途中に配置される。第２バイパス弁（70）は、第１のポートが第２ポンプ（37）の吐出口に接続し、第２のポートが第２分離モジュール（61）の第２導入口（62）に接続する。第２バイパス弁（70）の第３のポートには、第２バイパス管（71）の入口端が接続する。第２バイパス管（71）の出口端は、第２一次側管（73）に接続する。第２バイパス管（71）は、第２バイパス通路を構成する。
【００８５】
第２圧力センサ（65）と第２調節弁（66）とは、第２一次側管（73）に設けられる。第２圧力センサ（65）と第２調節弁（66）とは、第２一次側管（73）に接続する第２バイパス管（71）の他端よりも第２分離モジュール（61）寄りに配置される。また、第２圧力センサ（65）は、第２調節弁（66）よりも第２分離モジュール（61）寄りに配置される。
【００８６】
第２圧力センサ（65）は、第２分離モジュール（61）の第２一次側導出口（63）から流出した第２庫外空気の圧力を計測する。第２圧力センサ（65）の計測値は、第２ポンプ（37）が第２分離モジュール（61）へ供給する未処理庫内空気の圧力と実質的に等しい。
【００８７】
第２調節弁（66）は、開度可変の電動弁であって、第２弁機構を構成する。第２調節弁（66）の開度を変更すると、第２ポンプ（37）が第２分離モジュール（61）へ供給する未処理庫内空気の圧力が変化する。
【００８８】
第２分離モジュール（61）は、第２分離部を構成する。詳しくは後述するが、第２分離モジュール（61）は、ガス分離膜（85）を備えている。そして、第２分離モジュール（61）は、未処理庫内空気を、ガス分離膜（85）を透過しなかった第１庫内空気（第２一次側管（73）を流れる空気）と、ガス分離膜（85）を透過した第２庫内空気（第２二次側管（74）を流れる空気）に分離する。
【００８９】
第１庫内空気は、窒素濃度が未処理庫内空気よりも高く、酸素濃度および二酸化炭素濃度が未処理庫内空気よりも低い。第２庫内空気は、窒素濃度が未処理庫内空気よりも低く、酸素濃度および二酸化炭素濃度が未処理庫内空気よりも高い。このように、第１庫内空気と第２庫内空気は、それぞれを構成する物質の濃度が互いに異なる。
【００９０】
〈分離モジュール〉
第１分離モジュール（41）及び第２分離モジュール（61）の構造について、図４を参照しながら説明する。第１分離モジュール（41）と第２分離モジュール（61）の構造は、互いに同じである。
【００９１】
各分離モジュール（41,61）は、一つの筒状ケース（80）と、二つの隔壁部（81a,81b）とを備えている。筒状ケース（80）は、両端が閉塞された細長い円筒状の容器である。隔壁部（81a,81b）は、筒状ケース（80）の内部空間を仕切るための部材であって、筒状ケース（80）の内部空間を横断するように設けられる。隔壁部（81a,81b）は、筒状ケース（80）の内部空間の一端寄りの位置と他端寄りの位置とに一つずつ配置される。図４において、筒状ケース（80）の内部空間は、左側の隔壁部（81a）の左側に位置する導入室（82）と、二つの隔壁部（81a,81b）の間に位置する二次側導出室（84）と、右側の隔壁部（81b）の右側に位置する一次側導出室（83）とに仕切られる。
【００９２】
各分離モジュール（41,61）は、中空糸状（即ち、外径が１ｍｍ以下の非常に細い管状）に形成されたガス分離膜（85）を多数備えている。中空糸状のガス分離膜（85）は、一方の隔壁部（81a）から他方の隔壁部（81b）に亘って設けられる。各ガス分離膜（85）は、一端部が一方の隔壁部（81a）を貫通して導入室（82）に開口し、他端部が他方の隔壁部（81b）を貫通して一次側導出室（83）に開口する。筒状ケース（80）の内部空間は、二つの隔壁部（81a,81b）に挟まれた空間のうちガス分離膜（85）の外側の部分が、二次側導出室（84）を構成する。各分離モジュール（41,61）において、導入室（82）と一次側導出室（83）は、中空糸状のガス分離膜（85）を介して連通する一方、二次側導出室（84）は、ガス分離膜（85）の内側の空間、導入室（82）、及び一次側導出室（83）と非連通となる。
【００９３】
筒状ケース（80）には、導入口（42,62）と、一次側導出口（43,63）と、二次側導出口（44,64）とが設けられる。導入口（42,62）は、図４における筒状ケース（80）の左端部に配置され、導入室（82）と連通する。一次側導出口（43,63）は、図４における筒状ケース（80）の右端部に配置され、一次側導出室（83）と連通する。二次側導出口（44,64）は、筒状ケース（80）の長手方向の中間部に配置され、二次側導出室（84）と連通する。
【００９４】
ガス分離膜（85）は、高分子からなる非多孔膜である。このガス分離膜（85）は、物質毎に分子がガス分離膜（85）を透過する速度（透過速度）が異なることを利用して、混合ガスに含まれる成分を分離する。
【００９５】
本実施形態の庫内空気調節装置（30）では、第１分離モジュール（41）と第２分離モジュール（61）のそれぞれに同じガス分離膜（85）が設けられる。各分離モジュール（41,61）のガス分離膜（85）は、窒素の透過速度が酸素の透過速度と二酸化炭素の透過速度の両方よりも低いという特性を有している。中空糸状の多数のガス分離膜（85）は、それぞれの膜厚が実質的に同じである。従って、各分離モジュール（41,61）に設けられたガス分離膜（85）は、窒素の透過率が酸素の透過率と二酸化炭素の透過率の両方よりも低いという特性を有している。
【００９６】
各分離モジュール（41,61）では、導入口（42,62）を通って導入室（82）へ流入した空気が、中空糸状のガス分離膜（85）の内側の空間を一次側導出室（83）へ向かって流れる。ガス分離膜（85）の内側の空間を流れる空気は、その一部がガス分離膜（85）を透過して二次側導出室（84）へ移動し、残りが一次側導出室（83）へ流入する。
【００９７】
各分離モジュール（41,61）のガス分離膜（85）は、窒素の透過率が酸素および二酸化炭素の透過率よりも低い。つまり、窒素は、酸素および二酸化炭素に比べてガス分離膜（85）を透過しにくい。このため、中空糸状のガス分離膜（85）の内側を流れる空気は、一次側導出室（83）へ近付くにつれて、その窒素濃度が上昇すると同時に、その酸素濃度および二酸化炭素濃度が低下する。また、中空糸状のガス分離膜（85）を流れる空気に含まれる酸素と二酸化炭素は、ガス分離膜（85）を透過して二次側導出室（84）へ移動する。
【００９８】
その結果、ガス分離膜（85）を透過せずに一次側導出室（83）へ流入した空気は、その窒素濃度が導入室（82）の空気よりも高くなり、その酸素濃度および二酸化炭素濃度が導入室（82）の空気よりも低くなる。また、ガス分離膜（85）を透過して二次側導出室（84）へ移動した空気は、その窒素濃度が導入室（82）の空気よりも低くなり、その酸素濃度および二酸化炭素濃度が導入室（82）の空気よりも高くなる。
【００９９】
第１分離モジュール（41）では、第１導入口（42）から導入室（82）へ未処理庫外空気が流入し、ガス分離膜（85）を透過せずに一次側導出室（83）へ流入した空気が第１庫外空気として第１一次側導出口（43）から流出し、ガス分離膜（85）を透過して二次側導出室（84）へ流入した空気が第２庫外空気として第１二次側導出口（44）から流出する。一方、第２分離モジュール（61）では、第２導入口（62）から導入室（82）へ未処理庫内空気が流入し、ガス分離膜（85）を透過せずに一次側導出室（83）へ流入した空気が第１庫内空気として第２一次側導出口（63）から流出し、ガス分離膜（85）を透過して二次側導出室（84）へ流入した空気が第２庫内空気として第２二次側導出口（64）から流出する。
【０１００】
〈センサユニット〉
図１及び図３に示すように、センサユニット（90）は、コンテナ用冷凍機（10）の庫内空気流路（29）の二次流路（29b）に配置される。図３に示すように、センサユニット（90）は、酸素センサ（91）と、二酸化炭素センサ（92）と、センサケース（93）とを備えている。
【０１０１】
酸素センサ（91）は、空気等の混合気体の酸素濃度を計測するジルコニア電流方式のセンサである。二酸化炭素センサ（92）は、空気等の混合気体の二酸化炭素濃度を計測する非分散型赤外線吸収（ＮＤＩＲ：non dispersive infrared）方式のセンサである。酸素センサ（91）及び二酸化炭素センサ（92）は、センサケース（93）に収容される。
【０１０２】
センサケース（93）は、やや細長い箱状の部材である。センサケース（93）は、長手方向の一方の端部に測定用配管（125）の出口端が接続され、他方の端部に出口管（95）の一端が接続される。出口管（95）の他端は、庫内空気流路（29）の一次流路（29a）に開口する。また、センサケース（93）には、庫内空気流路（29）を流れる庫内空気をセンサケース（93）の内部空間へ導入するためのエアフィルタ（94）が取り付けられる。エアフィルタ（94）は、庫内空気に含まれる塵埃などを捕捉するためのメンブレンフィルタである。
【０１０３】
後述するように、庫内ファン（17）の作動中は、二次流路（29b）の気圧が一次流路（29a）の気圧よりも若干高くなる。このため、測定用開閉弁（126）が閉じた状態では、二次流路（29b）の庫内空気がエアフィルタ（94）を通ってセンサケース（93）へ流入し、その後に出口管（95）を通って一次流路（29a）へ流入する。この状態で、センサユニット（90）は、酸素センサ（91）が庫内空気の酸素濃度を計測し、二酸化炭素センサ（92）が庫内空気の二酸化炭素濃度を計測する。
【０１０４】
〈換気用排気管〉
換気用排気管（100）は、輸送用コンテナ（1）の内部と外部を繋ぐための配管である。この換気用排気管（100）は、換気用排気通路を構成する。図１に示すように、換気用排気管（100）は、コンテナ用冷凍機（10）のケーシング（20）を貫通する。換気用排気管（100）の一端は、庫内空気流路（29）の二次流路（29b）に開口する。換気用排気管（100）の他端は、庫外機器室（28）における庫外ファン（16）の吸入側に開口する。
【０１０５】
図３に示すように、換気用排気管（100）の一端には、エアフィルタ（102）が取り付けられる。エアフィルタ（102）は、庫内空気に含まれる塵埃などを捕捉するためのメンブレンフィルタである。また、換気用排気管（100）には、換気用排気弁（101）が設けられる。換気用排気弁（101）は、電磁弁からなる開閉弁である。
【０１０６】
〈制御器〉
制御器（110）は、制御動作を行うＣＰＵ（111）と、制御動作に必要なデータ等を記憶するメモリ（112）とを備える。制御器（110）には、酸素センサ（91）、二酸化炭素センサ（92）、第１圧力センサ（45）、及び第２圧力センサ（65）の計測値が入力される。制御器（110）は、ポンプユニット（35）、第１調節弁（46）、第２調節弁（66）、第１バイパス弁（50）、第２バイパス弁（70）、及び換気用排気弁（101）を操作するための制御動作を行う。
【０１０７】
−コンテナ用冷凍機の運転動作−
コンテナ用冷凍機（10）は、輸送用コンテナ（1）の庫内空気を冷却する冷却運転を行う。
【０１０８】
冷却運転では、冷媒回路（11）の圧縮機（12）が作動し、冷媒回路（11）において冷媒が循環することによって蒸気圧縮冷凍サイクルが行われる。冷媒回路（11）では、圧縮機（12）から吐出された冷媒が、凝縮器（13）と膨張弁（14）と蒸発器（15）とを順に通過し、その後に圧縮機（12）へ吸入されて圧縮される。
【０１０９】
また、冷却運転では、庫外ファン（16）と庫内ファン（17）とが作動する。庫外ファン（16）が作動すると、輸送用コンテナ（1）の外部の庫外空気が庫外機器室（28）へ吸い込まれて凝縮器（13）を通過する。凝縮器（13）では、冷媒が庫外空気へ放熱して凝縮する。庫内ファン（17）が作動すると、輸送用コンテナ（1）の荷室（5）内の庫内空気が庫内空気流路（29）へ吸い込まれて蒸発器（15）を通過する。蒸発器（15）では、冷媒が庫内空気から吸熱して蒸発する。
【０１１０】
庫内空気の流れについて説明する。荷室（5）に存在する庫内空気は、吸込口（26）を通って庫内空気流路（29）の一次流路（29a）へ流入し、庫内ファン（17）によって二次流路（29b）へ吹き出される。二次流路（29b）へ流入した庫内空気は、蒸発器（15）を通過する際に冷却され、その後に吹出口（27）から床下流路（4）へ吹き出され、床下流路（4）を通って荷室（5）へ流入する。
【０１１１】
庫内空気流路（29）において、一次流路（29a）は庫内ファン（17）の吸い込み側に位置し、二次流路（29b）は庫内ファン（17）の吹き出し側に位置する。このため、庫内ファン（17）の作動中は、二次流路（29b）の気圧が一次流路（29a）の気圧よりも若干高くなる。
【０１１２】
−庫内空気調節装置の運転動作−
庫内空気調節装置（30）は、輸送用コンテナ（1）の荷室（5）内の庫内空気の組成（本実施形態では、庫内空気の酸素濃度と二酸化炭素濃度）を調節するための運転を行う。ここでは、本実施形態の庫内空気調節装置（30）の運転動作について、庫内空気の酸素濃度の目標範囲が５％±１％であり、庫内空気の二酸化炭素濃度の目標範囲が２％±１％である場合を例に説明する。
【０１１３】
〈庫内空気調節装置の運転動作の概要〉
本実施形態の庫内空気調節装置（30）は、荷室（5）内の庫内空気の酸素濃度を低下させるための酸素濃度低減動作と、荷室（5）内の庫内空気の二酸化炭素濃度を低下させるための二酸化炭素濃度低減動作と、荷室（5）内の庫内空気の酸素濃度を上昇させるための酸素濃度増加動作とを行う。
【０１１４】
輸送用コンテナ（1）への貨物（6）の積み込みが完了した時点において、荷室（5）内に存在する庫内空気の組成は、大気の組成（窒素濃度：７８％、酸素濃度：２１％、二酸化炭素濃度：０.０４％）と実質的に同じである。そこで、庫内空気調節装置（30）は、庫内空気の酸素濃度を低下させるための酸素濃度低減動作を行う。庫内空気の酸素濃度が目標範囲の上限値（６％）に達すると、庫内空気調節装置（30）は、酸素濃度低減動作を停止する。
【０１１５】
庫内空気の酸素濃度が６％に達して庫内空気調節装置（30）の酸素濃度停止動作が停止した後は、貨物（6）である植物が呼吸することによって、庫内空気の酸素濃度が次第に低下してゆくと同時に、庫内空気の二酸化炭素濃度が次第に上昇する。
【０１１６】
庫内空気の二酸化炭素濃度が目標範囲の上限値（３％）に達すると、庫内空気調節装置（30）は、庫内空気の二酸化炭素濃度を低下させるための二酸化炭素濃度低減動作を行う。庫内空気の二酸化炭素濃度が目標範囲の下限値（１％）に達すると、庫内空気調節装置（30）は、二酸化炭素濃度低減動作を停止する。
【０１１７】
また、庫内空気の酸素濃度が目標範囲の下限値（４％）に達すると、庫内空気調節装置（30）は、庫内空気の酸素濃度を上昇させるための酸素濃度増加動作を行う。庫内空気の酸素濃度が目標範囲の上限値（６％）に達すると、庫内空気調節装置（30）は、酸素濃度増加動作を停止する。
【０１１８】
このように、庫内空気調節装置（30）は、荷室（5）内の庫内空気の酸素濃度を２１％（大気の酸素濃度）から目標範囲にまで引き下げるために、酸素濃度低減動作を行う。また、庫内空気調節装置（30）は、荷室（5）内の庫内空気の酸素濃度と二酸化炭素濃度を、それぞれの目標範囲に維持するために、二酸化炭素低減動作と酸素濃度増加動作とを適宜繰り返して行う。
【０１１９】
〈酸素濃度低減動作〉
庫内空気調節装置（30）の酸素濃度低減動作について、図３〜図５を適宜参照しながら説明する。この酸素濃度低減動作では、第１組成調節部（40）が酸素濃度の低い第１庫外空気を荷室（5）へ供給し、第２組成調節部（60）が酸素濃度の低い第１庫内空気を荷室（5）へ供給する。
【０１２０】
酸素濃度低減動作において、制御器（110）は、第１バイパス弁（50）と第２バイパス弁（70）のそれぞれを第１状態（図３に実線で示す状態）に設定し、ポンプユニット（35）の駆動モータ（38）に通電して第１ポンプ（36）及び第２ポンプ（37）を作動させ、換気用排気弁（101）を開状態に設定する。
【０１２１】
先ず、第１ポンプ（36）が作動すると、輸送用コンテナ（1）の外部に存在する庫外空気が、エアフィルタ（47）と庫外側吸入管（55）を通って第１ポンプ（36）に吸い込まれる。第１ポンプ（36）は、吸い込んだ庫外空気を加圧して吐出する。第１ポンプ（36）が吐出する庫外空気の圧力は、大気圧の２倍程度である。第１ポンプ（36）から吐出された庫外空気は、第１導入管（52）を流れ、第１分離モジュール（41）の第１導入口（42）へ未処理庫外空気として流入する。
【０１２２】
第１分離モジュール（41）において、第１導入口（42）を通って導入室（82）へ流入した未処理庫外空気は、中空糸状のガス分離膜（85）へ流入する。中空糸状のガス分離膜（85）の内側を流れる空気は、その一部がガス分離膜（85）を透過して第２庫外空気として二次側導出室（84）へ移動し、残りが第１庫外空気として一次側導出室（83）へ流入する。上述したように、ガス分離膜（85）は、窒素の透過率が酸素の透過率よりも低い特性を持つ。このため、図５に示すように、第１庫外空気の酸素濃度は、未処理庫外空気の酸素濃度よりも低く、第２庫外空気の酸素濃度は、未処理庫外空気の酸素濃度よりも高い。
【０１２３】
第１分離モジュール（41）の第１一次側導出口（43）から第１一次側管（53）へ流出した第１庫外空気は、供給管（120）へ流入する。一方、第１分離モジュール（41）の第１二次側導出口（44）から第１二次側管（54）へ流出した第２庫外空気は、輸送用コンテナ（1）の外部へ排出される。
【０１２４】
次に、第２ポンプ（37）が作動すると、輸送用コンテナ（1）の内部（具体的には、コンテナ用冷凍機（10）の二次流路（29b））に存在する庫内空気が、庫内側吸入管（75）を通って第２ポンプ（37）に吸い込まれる。第２ポンプ（37）は、吸い込んだ庫内空気を加圧して吐出する。第２ポンプ（37）が吐出する庫外空気の圧力は、大気圧よりも若干高い程度である。第２ポンプ（37）から吐出された庫内空気は、第２導入管（72）を流れ、第２分離モジュール（61）の第２導入口（62）へ未処理庫内空気として流入する。
【０１２５】
第２分離モジュール（61）において、第２導入口（62）を通って導入室（82）へ流入した未処理庫内空気は、中空糸状のガス分離膜（85）へ流入する。中空糸状のガス分離膜（85）の内側を流れる空気は、その一部がガス分離膜（85）を透過して第２庫内空気として二次側導出室（84）へ移動し、残りが第１庫内空気として一次側導出室（83）へ流入する。上述したように、ガス分離膜（85）は、窒素の透過率が酸素の透過率よりも低い特性を持つ。このため、図５に示すように、第１庫内空気の酸素濃度は、未処理庫外空気の酸素濃度よりも低く、第２庫内空気の酸素濃度は、未処理庫外空気の酸素濃度よりも高い。
【０１２６】
第２分離モジュール（61）の第２一次側導出口（63）から第２一次側管（73）へ流出した第１庫内空気は、供給管（120）へ流入する。一方、第２分離モジュール（61）の第２二次側導出口（64）から第２二次側管（74）へ流出した第２庫内空気は、輸送用コンテナ（1）の外部へ排出される。
【０１２７】
上述したように、供給管（120）には、第１分離モジュール（41）から流出した第１庫外空気と、第２分離モジュール（61）から流出した第１庫内空気とが流入する。そして、供給管（120）を流れる第１庫外空気と第１庫内空気の混合空気は、コンテナ用冷凍機（10）の二次流路（29b）へ流入し、二次流路（29b）を流れる空気と共に荷室（5）へ供給される。
【０１２８】
通常、酸素濃度低減動作中は、輸送用コンテナ（1）の外部から内部へ供給される第１庫外空気の流量Ｑｏ１が、輸送用コンテナ（1）の内部から外部へ排出される第２庫内空気の流量Ｑｉ２よりも大きくなっており（Ｑｏ１＞Ｑｉ２）、輸送用コンテナ（1）内の気圧が陽圧となる（図５を参照）。つまり、第１組成調節部（40）は、輸送用コンテナ（1）内の気圧が陽圧となるように、第１庫外空気を輸送用コンテナ（1）の内部へ供給する。輸送用コンテナ（1）内の気圧が陽圧であるため、庫内空気の一部は、換気用排気管（100）を通って輸送用コンテナ（1）の外部へ排出される。
【０１２９】
このように、酸素濃度低減動作では、大気に比べて酸素濃度の低い第１庫外空気を供給すると同時に、換気用排気管（100）を通じて荷室（5）内の庫内空気を輸送用コンテナ（1）の外部へ排出し、荷室（5）内の庫内空気の酸素濃度を低下させる。また、酸素濃度低減動作では、未処理庫内空気から分離された酸素濃度の高い第２庫内空気を輸送用コンテナ（1）の外部へ排出することによって、荷室（5）内の庫内空気の酸素濃度を低下させる。
【０１３０】
〈二酸化炭素濃度低減動作〉
庫内空気調節装置（30）の二酸化炭素濃度低減動作について、図３,図４,図６を適宜参照しながら説明する。この二酸化炭素低減動作では、第１組成調節部（40）が酸素濃度の低い第１庫外空気を荷室（5）へ供給し、第２組成調節部（60）が二酸化炭素濃度の低い第１庫内空気を荷室（5）へ供給する。
【０１３１】
二酸化炭素濃度低減動作において、制御器（110）は、第１バイパス弁（50）と第２バイパス弁（70）のそれぞれを第１状態（図３に実線で示す状態）に設定し、ポンプユニット（35）の駆動モータ（38）に通電して第１ポンプ（36）及び第２ポンプ（37）を作動させ、換気用排気弁（101）を開状態に設定し、測定用開閉弁（126）を閉状態に設定する。そして、第１組成調節部（40）と第２組成調節部（60）のそれぞれにおいて、空気は、酸素濃度低減動作と同様に流れる。ただし、二酸化炭素濃度低減動作において、第１ポンプ（36）が吐出する庫外空気の圧力と、第２ポンプ（37）が吐出する庫内空気の圧力は、いずれも大気圧よりも若干高い程度である。
【０１３２】
第１組成調節部（40）では、第１分離モジュール（41）へ流入した未処理庫外空気が、未処理庫外空気よりも窒素濃度が高くて酸素濃度が低い第１庫外空気と、未処理庫外空気よりも窒素濃度が低くて酸素濃度が高い第２庫外空気とに分離される。そして、第１庫外空気が輸送用コンテナ（1）の内部へ供給され、第２庫外空気が輸送用コンテナ（1）の外部へ排出される。なお、未処理庫外空気の二酸化炭素濃度は、大気の二酸化炭素濃度（０.０４％）と実質的に同じである。このため、第１庫外空気の二酸化炭素濃度は実質的にゼロと見なせる。
【０１３３】
第２組成調節部（60）では、第２分離モジュール（61）へ流入した未処理庫内空気が、未処理庫内空気よりも窒素濃度が高くて酸素濃度および二酸化炭素濃度が低い第１庫内空気と、未処理庫内空気よりも窒素濃度が低くて酸素濃度および二酸化炭素濃度が高い第２庫内空気とに分離される。そして、第１庫内空気が輸送用コンテナ（1）の内部へ供給され、第２庫内空気が輸送用コンテナ（1）の外部へ排出される。
【０１３４】
通常、二酸化炭素濃度低減動作中は、酸素濃度低減動作中と同様に、第１庫外空気の流量Ｑｏ１が第２庫内空気の流量Ｑｉ２よりも大きくなっており（Ｑｏ１＞Ｑｉ２）、輸送用コンテナ（1）内の気圧が陽圧となる（図６を参照）。つまり、第１組成調節部（40）は、輸送用コンテナ（1）内の気圧が陽圧となるように、第１庫外空気を輸送用コンテナ（1）の内部へ供給する。輸送用コンテナ（1）内の気圧が陽圧であるため、荷室（5）内の庫内空気の一部は、換気用排気管（100）を通って輸送用コンテナ（1）の外部へ排出される。
【０１３５】
このように、二酸化炭素濃度低減動作では、二酸化炭素濃度の極めて低い第１庫外空気を供給すると同時に、換気用排気管（100）を通じて庫内空気を輸送用コンテナ（1）の外部へ排出し、荷室（5）内の庫内空気の二酸化炭素濃度を低下させる。また、二酸化炭素濃度低減動作では、未処理庫内空気から分離された二酸化炭素濃度の高い第２庫内空気を輸送用コンテナ（1）の外部へ排出することによって、荷室（5）内の庫内空気の二酸化炭素濃度を低下させる。
【０１３６】
〈酸素濃度増加動作〉
庫内空気調節装置（30）の酸素濃度増加動作について、図３を参照しながら説明する。この酸素濃度増加動作では、第１組成調節部（40）が輸送用コンテナ（1）の外部から吸い込んだ庫外空気をそのまま荷室（5）へ供給し、第２組成調節部（60）が輸送用コンテナ（1）の内部から吸い込んだ庫内空気をそのまま荷室（5）へ送り返す。
【０１３７】
酸素濃度増加動作において、制御器（110）は、第１バイパス弁（50）と第２バイパス弁（70）のそれぞれを第２状態（図３に破線で示す状態）に設定し、ポンプユニット（35）の駆動モータ（38）に通電して第１ポンプ（36）及び第２ポンプ（37）を作動させ、換気用排気弁（101）を開状態に設定し、測定用開閉弁（126）を閉状態に設定する。
【０１３８】
第１組成調節部（40）において、第１ポンプ（36）から吐出された庫外空気は、第１バイパス管（51）へ流入し、その窒素濃度と酸素濃度を保った状態で第１一次側管（53）へ流入し、その後に供給管（120）を通って輸送用コンテナ（1）の内部へ供給される。一方、第２組成調節部（60）において、第２ポンプ（37）へ吸い込まれた庫内空気は、第２ポンプ（37）から吐出された後に第２バイパス管（71）を通って第２一次側管（73）へ流入し、その後に供給管（120）を通って輸送用コンテナ（1）の内部へ戻る。また、荷室（5）内の庫内空気の一部は、換気用排気管（100）を通って輸送用コンテナ（1）の外部へ排出される。
【０１３９】
このように、酸素濃度増加動作では、庫内空気よりも酸素濃度の高い庫外空気を輸送用コンテナ（1）の内部へ供給することによって、荷室（5）内の酸素濃度を上昇させる。
【０１４０】
−制御器の制御動作−
庫内空気調節装置（30）の制御器（110）は、酸素センサ（91）及び二酸化炭素センサ（92）の計測値を監視する。そして、庫内空気調節装置（30）が上述した動作を行うことによって、庫内空気の酸素濃度と二酸化炭素濃度をそれぞれの目標範囲に保たれるように、酸素センサ（91）及び二酸化炭素センサ（92）の計測値に基づいて庫内空気調節装置（30）の構成機器を制御する。
【０１４１】
ところで、従来の一般的な庫内空気調節装置では、庫内空気をガス分離膜に通して庫外へ排出したり、外気を庫内へ導入したりするために、回転速度が一定でガス流量が一定のエアポンプが用いられており、ポンプ圧が一定であるために、ガス分離膜の分離性能を必要なガス成分に合わせて調節することができなかった。そこで、本実施形態では、エアポンプ（36，37）と第１，第２分離モジュール（41，61）（第１，第２組成調節部（40，60））のガス分離膜（85）との間に圧力調節器（弁機構）として第１調節弁（46）及び第２調節弁（66）を設け、ガス分離膜（85）へ供給される空気の圧力を調節する制御を上記制御器（110）で行えるようにしている。
【０１４２】
〈圧力調節動作〉
まず、圧力調節動作の代表例として、酸素濃度を調節する動作について説明する。
【０１４３】
輸送用コンテナ（1）の庫内空間の酸素濃度は酸素センサ（91）で検出されており、庫内空間の酸素濃度が目標値からずれると、制御器（110）は圧力調節動作を行って酸素濃度を目標値に維持する。
【０１４４】
ここで、ガス分離膜（85）を通過する空気の圧力は、第１圧力センサ（45）及び第２圧力センサ（65）で検出されており、その検出値が制御器（110）へ入力される。制御器（110）は、第１分離モジュール（41）の第１一次側導出口（43）から流出する低酸素濃度の第１庫外空気と、第２分離モジュール（61）の第２一次側導出口（63）から流出する低酸素濃度の第１庫内空気とについて、検出された圧力に応じた酸素濃度を、計算により求めるか、あるいはメモリに格納されたデータテーブルから求める。
【０１４５】
そして、求められた酸素濃度では必要な分離性能が得られないと判断される場合には、制御器（110）は、第１調節弁（46）及び第２調節弁（66）の開度を、必要な分離性能が得られるように制御する。例えば、第１庫外空気の酸素濃度が目標値より高い場合は、第１調節弁（46）を絞り、第１庫外空気の酸素濃度を低下させる。また、第１庫内空気の酸素濃度が目標値より高い場合は、第２調節弁（66）を絞り、第１庫内空気の酸素濃度を低下させる。
【０１４６】
上記の制御は、第１庫外空気及び第１庫内空気の二酸化炭素濃度についても同様にして行うことができる。
【０１４７】
このように、本実施形態では、第１調節弁（46）及び第２調節弁（66）の開度を調整し、ガス分離膜（85）へ供給される空気の圧力を調節する制御を行うことにより、輸送用コンテナ（1）の庫内空間へ供給される空気中の酸素や二酸化炭素の濃度が調節される。
【０１４８】
−圧力調節動作の詳細−
この実施形態は、上述したように、上記輸送用コンテナ（1）の庫内の二酸化炭素濃度と酸素濃度を測定する濃度測定器であるセンサユニット（90）を備えている。また、上記制御器は、上記センサユニット（90）の測定値を、予め定められた二酸化炭素濃度の目標値及び酸素濃度の目標値に近づけるように、エアポンプ（36，37）から供給される空気の圧力を、圧力調節器である第１調節弁（46）と第２調節弁（66）で制御して、上記ガス分離膜（85）の分離圧力を調整する。
【０１４９】
圧力調節の具体的な制御を図９に基づいて説明する。
【０１５０】
まず、図９の右上領域に示すように、上記輸送用コンテナ（1）の庫内の二酸化炭素濃度が目標値よりも高く、酸素濃度も目標値よりも高い場合、制御器（110）は、第１組成調節部（40）で庫外空気よりも酸素濃度が低い低酸素濃度ガスを生成して輸送用コンテナ（1）の庫内へ供給し、第２組成調節部（60）でガス分離膜（85）の分離圧力を低下させて庫外へのガスの排出量を低下させる。こうすることで、庫内の二酸化炭素濃度と酸素濃度をいずれも低下させる。
【０１５１】
次に、図９の右下領域に示すように、上記輸送用コンテナ（1）の二酸化炭素濃度が目標値よりも低く、酸素濃度が目標値よりも高い場合、制御器（110）は、第１組成調節部（40）で庫外空気よりも酸素濃度が低い低酸素濃度ガスを生成して輸送用コンテナ（1）の庫内へ供給し、且つ、第２組成調節部（60）が組成調節後の空気を輸送用コンテナ（1）の庫内へ供給可能に構成されていることを利用して、第２組成調節部（60）のガス分離膜（85）の分離圧力を上昇させて輸送用コンテナ（1）の庫内へ戻す組成調節後の高二酸化炭素ガスの量を増加させる。こうすることで、庫内の二酸化炭素濃度を上昇させ、酸素濃度を低下させる。
【０１５２】
また、図９の左下領域に示すように、上記輸送用コンテナ（1）の二酸化炭素濃度が目標値よりも低く、酸素濃度も目標値よりも低い場合、制御器（110）は、第１組成調節部（40）で生成した庫外空気よりも酸素濃度が高い高酸素濃度ガスまたは庫外空気を輸送用コンテナ（1）の庫内へ供給し、且つ第２組成調節部（60）が組成調節後の空気を輸送用コンテナ（1）の庫内へ供給可能に構成されていることを利用して、第２組成調節部（60）のガス分離膜（85）の分離圧力を上昇させて輸送用コンテナ（1）の庫内へ戻す組成調節後の高二酸化炭素ガスの量を増加させる。こうすることで、庫内の二酸化炭素濃度を上昇させ、酸素濃度も上昇させる。
【０１５３】
そして、図９の左上領域に示すように、上記輸送用コンテナ（1）の二酸化炭素濃度が目標値よりも高く、酸素濃度が目標値よりも低い場合、制御器（110）は、庫外空気を庫内空間（1）へ供給し、第２組成調節部（60）のガス分離膜（85）の分離圧力を上昇させて生成した、庫内空気よりも二酸化炭素濃度が高い二酸化炭素ガスを庫外空間（1）へ排出する第１の動作と、第１組成調節部（40）で生成した庫外空気よりも酸素濃度が高い高酸素濃度ガスを庫内空間（1）へ供給し、第２組成調節部（60）のガス分離膜（85）の分離圧力を低下させて庫外へ排出する組成調節後の空気量を減少させる第２の動作の何れかを行う。こうすることで、庫内の二酸化炭素濃度を低下させ、酸素濃度を上昇させる。
【０１５４】
以上のように、この実施形態では、ガス分離膜（85）の分離圧力を調節することにより、庫内空間の二酸化炭素濃度と酸素濃度が、それぞれの目標値に近づく制御が制御器（110）によって行われる。
【０１５５】
−実施形態１の効果−
本実施形態によれば、上記ガス分離膜（85）へエアポンプ（36，37）から供給される空気の圧力が第１調節弁（46）及び第２調節弁（66）で調整される。そのため、回転速度が一定のポンプを用い、ポンプ圧が一定であっても、ガス分離膜（85）を通るガスの圧力を変化させることができる。したがって、ガス分離膜（85）の分離性能を必要なガス成分に合わせて調節できる。
【０１５６】
本実施形態によれば、庫外から庫内への空気の経路となる第１組成調節部（40）の分離膜（85）の下流側に圧力調節器（46）を設けるだけでなく、庫内から庫外への空気の経路となる第２組成調節部（60）の分離膜（85）の下流側にも圧力調節器（66）を設けたことにより、２つの経路でガス分離膜（85）の分離圧力を調節し、その分離性能を調節する構成を実現できる。
【０１５７】
本実施形態によれば、収納庫（1）の二酸化炭素濃度が目標値よりも高く、酸素濃度も目標値よりも高い場合に、圧力調節器（39，46，66）で第２組成調節部（60）のガス分離膜（85）の分離圧力を調節することにより、庫内空気の二酸化炭素濃度を低下させるとともに酸素濃度も低下させ、庫内空気の二酸化炭素濃度と酸素濃度の両方を目標値に近づけることができる。また、収納庫（1）の二酸化炭素濃度が目標値よりも低く、酸素濃度が目標値よりも高い場合は、圧力調節器（39，46，66）で第２組成調節部（60）のガス分離膜（85）の分離圧力を調節することにより、庫内空気の二酸化炭素濃度を上昇させるとともに酸素濃度を低下させ、庫内空気の二酸化炭素濃度と酸素濃度の両方を目標値に近づけることができる。
【０１５８】
また、本実施形態によれば、収納庫（1）の二酸化炭素濃度が目標値よりも低く、酸素濃度も目標値よりも低い場合に、圧力調節器（39，46，66）で第２組成調節部（60）のガス分離膜（85）の分離圧力を調節することにより、庫内空気の二酸化炭素濃度を上昇させるとともに酸素濃度も上昇させ、庫内空気の二酸化炭素濃度と酸素濃度の両方を目標値に近づけることができる。また、収納庫（1）の二酸化炭素濃度が目標値よりも高く、上記収納庫（1）の酸素濃度が目標値よりも低い場合に、圧力調節器（39，46，66）で第２組成調節部（60）のガス分離膜（85）の分離圧力を調節することにより、庫内空気の二酸化炭素濃度を低下させるとともに酸素濃度を上昇させ、庫内空気の二酸化炭素濃度と酸素濃度の両方を目標値に近づけることができる。
【０１５９】
このように、本実施形態によれば、庫内空間の二酸化炭素濃度と酸素濃度をそれぞれの目標値に近づける制御を、ガス分離膜（85）の分離圧力を調節することによって行うことができる。
【０１６０】
《実施形態２》
実施形態２について説明する。本実施形態の庫内空気調節装置（30）は、実施形態１の庫内空気調節装置（30）において、第１組成調節部（40）及び第２組成調節部（60）の構成を変更したものである。ここでは、本実施形態の庫内空気調節装置（30）について、実施形態１の庫内空気調節装置（30）と異なる点を説明する。
【０１６１】
〈第１組成調節部〉
図７に示すように、本実施形態の第１組成調節部（40）には、第１一次側切換弁（56）と、第１一次側排出管（57）と、第１二次側切換弁（58）と、第１二次側供給管（59）とが追加される。
【０１６２】
第１一次側切換弁（56）と第１二次側切換弁（58）のそれぞれは、三つのポートを有する切換弁である。第１一次側切換弁（56）と第１二次側切換弁（58）のそれぞれは、第１のポートが第２のポートと連通して第３のポートから遮断される第１状態（図７に実線で示す状態）と、第１のポートが第３のポートと連通して第２のポートから遮断される第２状態（図７に破線で示す状態）とに切り換わるように構成される。
【０１６３】
第１一次側切換弁（56）は、第１一次側管（53）の途中に配置される。第１一次側管（53）において、第１一次側切換弁（56）は、第１バイパス管（51）の出口端よりも供給管（120）寄りに配置される。第１一次側切換弁（56）は、第１のポートが第１調節弁（46）に接続し、第２のポートが供給管（120）に接続する。第１一次側切換弁（56）の第３のポートには、第１一次側排出管（57）の一端が接続する。第１一次側排出管（57）の他端は、第１二次側管（54）に接続する。
【０１６４】
第１二次側切換弁（58）は、第１二次側管（54）の途中に配置される。第１二次側管（54）において、第１二次側切換弁（58）は、第１一次側排出管（57）の他端よりも第１分離モジュール（41）寄りに配置される。第１二次側切換弁（58）は、第１のポートが第１分離モジュール（41）の第１二次側導出口（44）に接続し、第２のポートが第１二次側管（54）を介して輸送用コンテナ（1）の庫外機器室（28）と連通する。第１二次側切換弁（58）の第３のポートには、第１二次側供給管（59）の一端が接続する。第１二次側供給管（59）の他端は、供給管（120）に接続する。
【０１６５】
〈第２組成調節部〉
本実施形態の第２組成調節部（60）には、第２一次側切換弁（76）と、第２一次側排出管（77）と、第２二次側切換弁（78）と、第２二次側供給管（79）とが追加される。
【０１６６】
第２一次側切換弁（76）と第２二次側切換弁（78）のそれぞれは、三つのポートを有する切換弁である。第２一次側切換弁（76）と第２二次側切換弁（78）のそれぞれは、第１のポートが第２のポートと連通して第３のポートから遮断される第１状態（図７に実線で示す状態）と、第１のポートが第３のポートと連通して第２のポートから遮断される第２状態（図７に破線で示す状態）とに切り換わるように構成される。
【０１６７】
第２一次側切換弁（76）は、第２一次側管（73）の途中に配置される。第２一次側管（73）において、第２一次側切換弁（76）は、第２バイパス管（71）の出口端よりも供給管（120）寄りに配置される。第２一次側切換弁（76）は、第１のポートが第２調節弁（66）に接続し、第２のポートが供給管（120）に接続する。第２一次側切換弁（76）の第３のポートには、第２一次側排出管（77）の一端が接続する。第２一次側排出管（77）の他端は、第２二次側管（74）に接続する。
【０１６８】
第２二次側切換弁（78）は、第２二次側管（74）の途中に配置される。第２二次側管（74）において、第２二次側切換弁（78）は、第２一次側排出管（77）の他端よりも第２分離モジュール（61）寄りに配置される。第２二次側切換弁（78）は、第１のポートが第２分離モジュール（61）の第２二次側導出口（64）に接続し、第２のポートが第２二次側管（74）を介して輸送用コンテナ（1）の庫外機器室（28）と連通する。第２二次側切換弁（78）の第３のポートには、第２二次側供給管（79）の一端が接続する。第２二次側供給管（79）の他端は、供給管（120）に接続する。
【０１６９】
この実施形態２の構成は、以上説明した点を除いては実施形態１と同様である。
【０１７０】
−運転動作−
第１組成調節部（40）において、第１一次側切換弁（56）と第１二次側切換弁（58）の両方が第１状態（図７に実線で示す状態）に設定された場合、第１庫外空気は、第１一次側管（53）を通って輸送用コンテナ（1）の内部へ供給され、第２庫外空気は、第２二次側管（74）を通って輸送用コンテナ（1）の外部へ排出される。一方、第１一次側切換弁（56）と第１二次側切換弁（58）の両方が第２状態（図７に破線で示す状態）に設定された場合、第１庫外空気は、第１一次側排出管（57）を通って輸送用コンテナ（1）の外部へ排出され、第２庫外空気は、第１二次側供給管（59）を通って輸送用コンテナ（1）の内部へ供給される。
【０１７１】
第２組成調節部（60）において、第２一次側切換弁（76）と第２二次側切換弁（78）の両方が第１状態（図７に実線で示す状態）に設定された場合、第１庫内空気は、第２一次側管（73）を通って輸送用コンテナ（1）の内部へ供給され、第２庫内空気は、第２二次側管（74）を通って輸送用コンテナ（1）の外部へ排出される。一方、第２一次側切換弁（76）と第２二次側切換弁（78）の両方が第２状態（図７に破線で示す状態）に設定された場合、第１庫内空気は、第２一次側排出管（77）を通って輸送用コンテナ（1）の外部へ排出され、第２庫内空気は、第２二次側供給管（79）を通って輸送用コンテナ（1）の内部へ供給される。
【０１７２】
この実施形態２においても、実施形態１と同様の作用効果が得られる。
【０１７３】
−実施形態２の変形例−
〈変形例１〉
図３に示した実施形態１や図７に示した実施形態２では、開度調整可能な第１調節弁（46）及び第２調節弁（66）として開度可変の電動弁を用い、これらを圧力調節器（弁機構）としているが、図８に示すように、第１調節弁（46）及び第２調節弁（66）は、それぞれ、口径が異なる複数の電磁弁（開閉弁）（46a，46b，46c，66a，66b，66c）を並列に接続したものを用いてもよい。このようにしても、圧力センサ（45，65）の検出値に応じて、開放する電磁弁と閉鎖する電磁弁を決定する制御を行うことにより、ガス分離膜（85）を通過する空気の圧力を調節できる。したがって、この変形例の構成を採用しても、ガス分離膜（85）の分離性能を必要なガス成分に合わせて調節する構成を容易に実現できる。
【０１７４】
上記実施形態１と同様に、第１調節弁（46）は第１組成調節部（40）の分離膜（85）の下流側に設けられ、第２調節弁（66）は第２組成調節部（60）の分離膜（85）の下流側に設けられている。
【０１７５】
〈変形例２〉
図１０に示すように、圧力調節器（48，68）には、エアポンプ（36，37）への空気の流入側に設けられた、開度調整可能な第３調節弁（48a（48））及び第４調節弁（68a（68））を用いてもよい。
【０１７６】
このようにしても、圧力センサ（45，65）の検出値に応じて、第３調節弁（48a）及び第４調節弁（68a）の開度を調節する制御を行うことにより、エアポンプ（36，37）の吐出圧力を変化させ、ひいてはガス分離膜（85）を通過する空気の圧力を調節できる。したがって、この変形例２の構成を採用しても、ガス分離膜（85）の分離性能を必要なガス成分に合わせて調節する構成を容易に実現できる。
【０１７７】
なお、この変形例では、第１調節弁（46）及び第２調節弁（66）は電磁弁（開閉弁）でよい。
【０１７８】
〈変形例３〉
図１１に示すように、圧力調節器（48，68）には、エアポンプ（36，37）からの空気の流出側に設けられた、開度調整可能な第３調節弁（48b（48））及び第４調節弁（68b（68））を用いてもよい。
【０１７９】
このようにしても、圧力センサ（45，65）の検出値に応じて、第３調節弁（48b）及び第４調節弁（68b）の開度を調節する制御を行うことにより、エアポンプ（36，37）の吐出圧力を変化させ、ひいてはガス分離膜（85）を通過する空気の圧力を調節できる。したがって、この変形例３の構成を採用しても、ガス分離膜（85）の分離性能を必要なガス成分に合わせて調節する構成を容易に実現できる。
【０１８０】
〈変形例４〉
図１２に示すように、圧力調節器（48，68）には、エアポンプ（36，37）からの空気の流出側に設けられた、開度調整可能な第３調節弁（48c（48））及び第４調節弁（68c（68））を用い、圧力調節器（48，68）を通過する空気を上記エアポンプ（36，37）への空気の流入側に戻す戻し通路（49a，69a（49，69））を設けてもよい。言い換えると、エアポンプ（36，37）をバイパスするバイパス通路として戻し通路（49a，69a（49，69））を設け、この戻し通路（49a，69a（49，69））に開度調整可能な第３調節弁（48c（48））及び第４調節弁（68c（68））を設けてもよい。
【０１８１】
このようにしても、圧力センサ（45，65）の検出値に応じて、第３調節弁（48c）及び第４調節弁（68c）の開度を調節する制御を行うことにより、エアポンプ（36，37）の吐出圧力を変化させ、ひいてはガス分離膜（85）を通過する空気の圧力を調節できる。したがって、この変形例４の構成を採用しても、ガス分離膜（85）の分離性能を必要なガス成分に合わせて調節する構成を容易に実現できる。
【０１８２】
〈変形例５〉
図１３に示すように、圧力調節器（48，68）には、エアポンプ（36，37）からの空気の流出側に設けられた、開度調整可能な第３調節弁（48d（48））及び第４調節弁（68d（68））を用い、圧力調節器（48，68）を通過する空気を排気する排気通路（49b，69b（49，69））を設けてもよい。
【０１８３】
このようにしても、圧力センサ（45，65）の検出値に応じて、第３調節弁（48d）及び第４調節弁（68d）の開度を調節する制御を行うことにより、エアポンプ（36，37）の吐出側の空気の圧力を変化させ、ひいてはガス分離膜（85）を通過する空気の圧力を調節できる。したがって、この変形例５の構成を採用しても、ガス分離膜（85）の分離性能を必要なガス成分に合わせて調節する構成を容易に実現できる。
【０１８４】
《実施形態３》
実施形態３の庫内空気調節装置（30）について説明する。実施形態３の庫内空気調節装置（30）は、実施形態２の庫内空気調節装置（30）において、第１組成調節部（40）及び制御器（110）を変更したものであり、第２組成調節部（60）の構成は実施形態２と同様である。庫内空気調節装置（30）には、後述する第１組成調節部（40）の第１方向制御弁（232）及び第２方向制御弁（233）に加えて、第３方向制御弁（291）及び第２方向制御弁（292）が設けられている。ここでは、実施形態３の庫内空気調節装置（30）について、実施形態１，２の庫内空気調節装置（30）と異なる点を説明する。
【０１８５】
−第１組成調節部の構成−
本実施形態の第１組成調節部（40）は、実施形態１の第１組成調節部（40）と同様に、輸送用コンテナ（1）の外部から吸い込んだ庫外空気（未処理庫外空気）を第１庫外空気と第２庫外空気に分離するように構成される。本実施形態の第１組成調節部（40）は、いわゆるＰＳＡ（Pressure Swing Adsorption）法によって、未処理庫外空気を第１庫外空気と第２庫外空気に分離するように構成されており、この点で実施形態１の第１組成調節部（40）と相違する。
【０１８６】
図１２に示すように、本実施形態の第１組成調節部（40）は、ポンプユニット（35）の第１ポンプ（36）に代えて、エアポンプ（231）を備える。つまり、本実施形態の庫内空気調節装置（30）において、ポンプユニット（35）は、第２ポンプ（37）及び駆動モータ（38）を備えるが、第１ポンプ（36）を備えていない。また、本実施形態の第１組成調節部（40）は、第１方向制御弁（232）及び第２方向制御弁（233）と、第１吸着筒（234）及び第２吸着筒（235）とを備える。後述するように、各吸着筒（234,235）には、空気中の窒素を吸着する吸着剤が設けられる。
【０１８７】
〈エアポンプ〉
エアポンプ（231）は、ユニットケース（32）の内部空間に配置される。エアポンプ（231）は、それぞれが空気を吸引して加圧して吐出する第１ポンプ機構（231a）及び第２ポンプ機構（231b）を備える。第１ポンプ機構（231a）及び第２ポンプ機構（231b）は、潤滑油を使用しないオイルレスのポンプである。加圧部である第１ポンプ機構（231a）と、減圧部である第２ポンプ機構（231b）とは、それらの両方が駆動モータ（231c）の駆動軸に接続される。第１ポンプ機構（231a）及び第２ポンプ機構（231b）のぞれぞれは、駆動モータ（231c）で回転駆動されることによって、吸込口から空気を吸引して加圧し、加圧した空気を吐出口から吐出する。
【０１８８】
〈外気管、吐出管、フィルタユニット〉
第１ポンプ機構（231a）の吸込口には、外気通路を形成する外気管（241）の一端が接続される。外気管（241）は、ユニットケース（32）を貫通するように設けられる。ユニットケース（32）の外部に位置する外気管（241）の他端は、フィルタユニット（220）に接続される。
【０１８９】
フィルタユニット（220）は、エアフィルタ（47）を備える。エアフィルタ（47）は、庫外空気に含まれる塵埃や塩分などを捕捉するためのフィルタである。本実施形態では、通気性と防水性を有するメンブレンフィルタが、エアフィルタ（47）として用いられる。フィルタユニット（220）は、箱状に形成された部材であり、エアフィルタ（47）を通過した空気（庫外空気）を外気管（241）へ導入する。図示しないが、フィルタユニット（220）は、庫外機器室（28）における凝縮器（13）の下流側に配置される。
【０１９０】
第１ポンプ機構（231a）の吐出口には、吐出通路を形成する吐出管（242）の一端が接続される。吐出管（242）は、他端側で二つの分岐管に分岐しており、一方の分岐管が第１方向制御弁（232）に、他方の分岐管が第２方向制御弁（233）に、それぞれ接続される。
【０１９１】
〈吸引管、供給管〉
第２ポンプ機構（231b）の吸込口には、吸引通路を形成する吸引管（243）の一端が接続される。吸引管（243）は、他端側で二つの分岐管に分岐しており、一方の分岐管が第１方向制御弁（232）に、他方の分岐管が第２方向制御弁（233）に、それぞれ接続される。
【０１９２】
第２ポンプ機構（231b）の吐出口には、供給通路を形成する供給用接続管（244）の一
端が接続される。供給用接続管（244）の他端は、供給管（120）に接続される。
【０１９３】
供給用接続管（244）には、その一端から他端へ向かって順に、逆止弁（264）と供給側開閉弁（273）とが設けられる。逆止弁（264）は、供給用接続管（244）の一端から他端へ向かう向きの空気の流通のみを許容し、空気の逆流を防止する。供給側開閉弁（273）は、電磁弁からなる開閉弁である。
【０１９４】
〈第１，第２方向制御弁〉
第１方向制御弁（232）及び第２方向制御弁（233）のそれぞれは、三つのポートを有する切換弁である。各方向制御弁（232,233）は、第１のポートが第２のポートと連通して第３のポートから遮断される第１状態と、第１のポートが第３のポートと連通して第２のポートから遮断される第２状態とに切り換わるように構成される。
【０１９５】
第１方向制御弁（232）は、第１のポートが第１吸着筒（234）の一端に接続される。また、第１方向制御弁（232）は、第２のポートに吐出管（242）の分岐管が接続され、第３のポートに吸引管（243）の分岐管が接続される。第１方向制御弁（232）は、第１吸着筒（234）を、第１ポンプ機構（231a）に連通する状態と、第２ポンプ機構（231b）に連通する状態とに切り換える。
【０１９６】
第２方向制御弁（233）は、第１のポートが第２吸着筒（235）の一端に接続される。また、第２方向制御弁（233）は、第２のポートに吐出管（242）の分岐管が接続され、第３のポートに吸引管（243）の分岐管が接続される。第２方向制御弁（233）は、第２吸着筒（235）を、第１ポンプ機構（231a）に連通する状態と、第２ポンプ機構（231b）に連通する状態とに切り換える。
【０１９７】
〈吸着筒〉
第１吸着筒（234）及び第２吸着筒（235）のそれぞれは、両端が閉塞された円筒状の容器と、その容器に充填された吸着剤とを備える部材である。
【０１９８】
これら吸着筒（234,235）に充填された吸着剤は、圧力が大気圧よりも高い加圧状態において窒素成分を吸着し、圧力が大気圧よりも低い減圧状態において窒素成分を脱着させる性質を有する。本実施形態では、吸着剤として、例えば、窒素分子の分子径（３．０オングストローム）よりも小さく且つ酸素分子の分子径（２．８オングストローム）よりも大きな孔径の細孔を有する多孔体のゼオライトが用いられる。
【０１９９】
本実施形態の第１組成調節部（40）では、第１吸着筒（234）及び第２吸着筒（235）が第１分離部（41）を構成する。第１分離部（41）を構成する二つの吸着筒（234,235）は、未処理庫外空気を、未処理庫外空気よりも窒素濃度が高くて酸素濃度が低い第１庫外空気と、未処理庫外空気よりも窒素濃度が低くて酸素濃度が高い第２庫外空気に分離する。
【０２００】
〈酸素排出管〉
酸素排出通路を形成する酸素排出管（245）は、一端側で二つの分岐管に分岐しており、一方の分岐管が第１吸着筒（234）の他端に、他方の分岐管が第２吸着筒（235）にそれぞれ接続される。酸素排出管（245）の各分岐管には、逆止弁（261）が一つずつ設けられる。各逆止弁（261）は、対応する吸着筒（234,235）から流出する向きの空気の流れを許容し、逆向きの空気の流れを遮断する。
【０２０１】
酸素排出管（245）の集合部分には、逆止弁（262）とオリフィス（263）とが設けられる。逆止弁（262）は、オリフィス（263）よりも酸素排出管（245）の他端寄りに配置される。この逆止弁（262）は、酸素排出管（245）の他端へ向かう空気の流れを許容し、逆向きの空気の流れを遮断する。
【０２０２】
〈パージ管〉
酸素排出管（245）の各分岐管には、パージ通路を形成するパージ管（250）が接続される。パージ管（250）は、一端が第１吸着筒（234）に接続する分岐管に接続され、他端が第２吸着筒（235）に接続する分岐管に接続される。パージ管（250）の一端は、第１吸着筒（234）と逆止弁（261）の間に接続される。パージ管（250）の他端は、第２吸着筒（235）と逆止弁（261）の間に接続される。
【０２０３】
パージ管（250）には、パージ弁（251）が設けられる。パージ弁（251）は、電磁弁からなる開閉弁である。パージ弁（251）は、第１吸着筒（234）と第２吸着筒（235）を均圧する際に開かれる。また、パージ管（250）におけるパージ弁（251）の両側には、オリフィス（252）が一つずつ設けられる。
【０２０４】
〈排気用接続管〉
供給用接続管（244）には、排気用接続通路を形成する排気用接続管（271）が接続される。排気用接続管（271）は、一端が供給用接続管（244）に接続され、他端が酸素排出管（245）に接続される。排気用接続管（271）の一端は、供給用接続管（244）における第２ポンプ機構（231b）と逆止弁（264）の間に接続される。排気用接続管（271）の他端は、酸素排出管（245）の逆止弁（262）よりも庫外側に接続される。
【０２０５】
排気用接続管（271）には、排気用開閉弁（272）が設けられる。排気用開閉弁（272）は、電磁弁からなる開閉弁である。排気用開閉弁（272）は、供給用接続管（244）を流れる空気を庫外へ排出する際に開かれる。
【０２０６】
〈測定用接続管〉
供給用接続管（244）には、測定用通路を形成する測定用接続管（281）が接続される。この測定用接続管（281）は、第１組成調節部（40）をセンサユニット（90）に接続するための配管である。
【０２０７】
測定用接続管（281）は、一端が供給用接続管（244）に接続され、他端が測定用配管（125）に接続される。測定用接続管（281）の一端は、供給用接続管（244）における逆止弁（264）と供給側開閉弁（273）の間に接続される。測定用接続管（281）の他端は、測定用配管（125）における測定用開閉弁（126）とセンサユニット（90）の間に接続される。
【０２０８】
測定用接続管（281）には、測定用開閉弁（282）が設けられる。測定用開閉弁（282）は、電磁弁からなる開閉弁である。測定用開閉弁（282）は、供給用接続管（244）を流れる空気をセンサユニット（90）へ送る際に開かれる。
【０２０９】
〈バイパス管〉
吐出管（242）には、バイパス通路を形成するバイパス接続管（255）が接続される。バイパス接続管（255）は、一端が吐出管（242）に接続され、他端が測定用接続管（281）に接続される。バイパス接続管（255）の一端は、吐出管（242）の分岐箇所よりも第１ポンプ機構（231a）寄りに接続される。バイパス接続管（255）の他端は、測定用接続管（281）の一端と測定用開閉弁（282）の間に接続される。このバイパス接続管（255）は、第１吸着筒（234）及び第２吸着筒（235）をバイパスさせて庫外空気を輸送用コンテナ（1）の庫内空間へ供給するための第１バイパス通路を形成する。
【０２１０】
バイパス接続管（255）には、バイパス開閉弁（256）が設けられる。バイパス開閉弁（256）は、電磁弁からなる開閉弁である。バイパス開閉弁（256）は、バイパス接続管（255）へ流入する庫外空気の流量を変更するための第１バイパス弁機構を構成する。このバイパス開閉弁（256）は、第１ポンプ機構（231a）が吐出した庫外空気を、その組成を変更せずに荷室（5）へ供給する際に開かれる。
【０２１１】
〈第３，第４方向制御弁〉
第３方向制御弁（291）及び第４方向制御弁（292）のそれぞれは、三つのポートを有する切換弁である。各方向制御弁（291,292）は、第１のポートが第２のポートと連通して
第３のポートから遮断される第１状態と、第１のポートが第３のポートと連通して第２のポートから遮断される第２状態とに切り換わるように構成される。
【０２１２】
合流した酸素排出管（245）の他端と排気用接続管（271）の他端には、第１排気管（301）の一端が接続される。第１排気管（301）の途中には、第３方向制御弁（291）が接続される。具体的には、第３方向制御弁（291）の第１のポートと第２のポートに第１排気管（301）が接続される。第１排気管（301）は、ユニットケース（32）を貫通するように設けられる。第１排気管（301）の他端は、輸送用コンテナ（1）の庫外空間に開口する。
【０２１３】
第４方向制御弁（292）は、供給用接続管（244）の供給側開閉弁（273）と供給管（120）との間に設けられる。具体的には、第４方向制御弁（292）の第１のポートと第２のポートに供給用接続管（244）が接続される。供給用接続管（244）には、第４方向制御弁（292）の第２のポートと供給管（120）との間に供給用分岐接続管（302）の一端が接続される。供給用分岐接続管（302）の他端は、第３方向制御弁（291）の第３のポートに接続される。第４方向制御弁（292）の第３のポートには、第２排気管（303）の一端が接続される。第２排気管（303）の他端は、第１排気管（301）に、本体ユニット（31）のユニットケース（32）の内部で接続される。
【０２１４】
−第１組成調節部の運転動作−
本実施形態の第１組成調節部（40）の運転動作を説明する。
【０２１５】
本実施形態の第１組成調節部（40）は、後述する第１動作と第２動作を所定の時間（例えば、１４．５秒）ずつ交互に繰り返し行うことによって、未処理庫外空気を第１庫外空気と第２庫外空気に分離する。また、本実施形態の第１組成調節部（40）は、実施形態１，２の第１組成調節部（40）と同様に、庫内空気調節装置（30）の酸素濃度低減動作と二酸化炭素濃度低減動作のそれぞれにおいて、未処理庫外空気を第１庫外空気と第２庫外空気に分離する動作を行う。
【０２１６】
〈第１動作〉
図１３に示すように、第１動作では、第１方向制御弁（232）が第１状態に設定され、第２方向制御弁（233）が第２状態に設定される。その結果、第１ポンプ機構（231a）の吐出口が第１吸着筒（234）に接続し、第２吸着筒（235）が第２ポンプ機構（231b）の吸込口に接続する。また、第１動作では、供給側開閉弁（273）が開かれ、残りの開閉弁（251,256,272,282）が閉じられる。そして、第１動作では、第１吸着筒（234）を対象とする吸着動作と、第２吸着筒（235）を対象とする脱離動作とが行われる。
【０２１７】
第１ポンプ機構（231a）は、外気管（241）から未処理庫外空気を吸い込んで加圧し、加圧した未処理庫外空気を第１吸着筒（234）へ供給する。第１吸着筒（234）では、供給された未処理庫外空気に含まれる窒素が吸着剤に吸着される。その結果、第１吸着筒（234）では、未処理庫外空気よりも窒素濃度が低くて酸素濃度が高い第２庫外空気が生成す
る。第２庫外空気は、第１吸着筒（234）から流出して酸素排出管（245）を流れ、第３方向制御弁（291）を通って排出用空気として庫外空間へ排出される。
【０２１８】
一方、第２ポンプ機構（231b）は、第２吸着筒（235）から空気を吸引する。第２吸着筒（235）では、その内部の圧力が低下して吸着剤から窒素が脱離する。その結果、第２吸着筒（235）では、未処理庫外空気よりも窒素濃度が高くて酸素濃度が低い第１庫外空気が生成する。第１庫外空気は、第１吸着筒（234）から吸引管（243）へ流入して第２ポンプ機構（231b）へ吸い込まれる。第２ポンプ機構（231b）は、吸い込んだ第１庫外空気を加圧して供給用接続管（244）へ吐出する。第１庫外空気は、供給用空気として供給用接続管（244）を流れ、供給管（120）を流れる空気と合流後に庫内空間へ供給される。
【０２１９】
〈第２動作〉
図１４に示すように、第２動作では、第１方向制御弁（232）が第２状態に設定され、第２方向制御弁（233）が第１状態に設定される。その結果、第１ポンプ機構（231a）の吐出口が第２吸着筒（235）に接続し、第１吸着筒（234）が第２ポンプ機構（231b）の吸込口に接続する。また、第２動作では、供給側開閉弁（273）が開かれ、残りの開閉弁（251,256,272,282）が閉じられる。そして、第２動作では、第１吸着筒（234）を対象とする脱離動作と、第２吸着筒（235）を対象とする吸着動作とが行われる。
【０２２０】
第１ポンプ機構（231a）は、外気管（241）から未処理庫外空気を吸い込んで加圧し、加圧した未処理庫外空気を第２吸着筒（235）へ供給する。第２吸着筒（235）では、供給された未処理庫外空気に含まれる窒素が吸着剤に吸着される。その結果、第２吸着筒（235）では、未処理庫外空気よりも窒素濃度が低くて酸素濃度が高い第２庫外空気が生成する。第２庫外空気は、第２吸着筒（235）から流出して酸素排出管（245）を流れ、第３方向制御弁（291）を通って排出用空気として庫外空間へ排出される。
【０２２１】
一方、第２ポンプ機構（231b）は、第１吸着筒（234）から空気を吸引する。第１吸着筒（234）では、その内部の圧力が低下して吸着剤から窒素が脱離する。その結果、第１吸着筒（234）では、未処理庫外空気よりも窒素濃度が高くて酸素濃度が低い第１庫外空気が生成する。第１庫外空気は、第１吸着筒（234）から吸引管（243）へ流入して第２ポンプ機構（231b）へ吸い込まれる。第２ポンプ機構（231b）は、吸い込んだ第１庫外空気を加圧して供給用接続管（244）へ吐出する。第１庫外空気は、供給用空気として供給用接続管（244）を流れ、供給管（120）を流れる空気と合流後に庫内空間へ供給される。
【０２２２】
この実施形態３によれば、収納庫（1）の庫内空気から窒素と酸素とをガス分離膜（85）で分離して低酸素濃度ガスと高酸素濃度ガスを生成する第１組成調節部（40）に加えて吸着剤が設けられた吸着部（234,235）を備えた構成において、ガス分離膜（85）を通るガスの圧力を変化させてガス分離性能を調整する構成を実現できる。
【０２２３】
《その他の実施形態》
上記各実施形態の庫内空気調節装置（30）については、次のような変形例を適用してもよい。なお、以下の変形例は、庫内空気調節装置（30）の機能を損なわない限り、適宜組み合わせたり、置換したりしてもよい。
【０２２４】
−第１変形例−
海上コンテナでは、使用される電源電圧が陸上設備で用いられている電源電圧とは異なるので、インバータを用いて電流の周波数を変更することは、海上コンテナ用冷凍装置の圧縮機においても普通は行われない。しかしながら、海上コンテナの電源電圧に対応したインバータ（39）（図３に仮想線で表示）を用いれば、電流の周波数を変化させてエアポンプ（36，37）の吐出量を変化させることは可能である。したがって、圧力調節器としてインバータ（39）を用いた場合でも、ガス分離膜（85）の分離性能を必要なガス成分に合わせて調節する構成を実現することは可能である。
【０２２５】
−第２変形例−
実施形態１の庫内空気調節装置（30）において、第１分離モジュール（41）のガス分離膜（85）と第２分離モジュール（61）のガス分離膜（85）とは、それぞれの特性が互いに異なっていてもよい。
【０２２６】
−第３変形例−
実施形態１の庫内空気調節装置（30）において、第１バイパス弁（50）は、第１分離モジュール（41）へ流入する未処理庫外空気の流量と、第１バイパス管（51）へ流入する未処理庫外空気の流量の割合を、多段階に又は連続的に変更できるように構成されていてもよい。また、第２バイパス弁（70）は、第２分離モジュール（61）へ流入する未処理庫内空気の流量と、第２バイパス管（71）へ流入する未処理庫内空気の流量の割合を、多段階に又は連続的に変更できるように構成されていてもよい。
【０２２７】
−第４変形例−
実施形態１，２の庫内空気調節装置（30）では、第１ポンプ（36）と第２ポンプ（37）のそれぞれに駆動モータが連結されていてもよい。この変形例では、第１ポンプ（36）と第２ポンプ（37）の一方を作動させて他方を休止させることが可能となる。
【０２２８】
−第５変形例−
実施形態２の庫内空気調節装置（30）において、第１組成調節部（40）と第２組成調節部（60）のそれぞれは、いわゆるＰＳＡ（Pressure Swing Adsorption）法によって、吸い込んだ空気を互いに組成が異なる二種類の空気に分離するように構成されていてもよい。実施形態２は、第２組成調節部（60）にＰＳＡ法の構成を用いた例であるが、第１組成調節部（40）と第２組成調節部（60）のそれぞれにＰＳＡ法を用いる構成では、組成調節部（40,60）は、吸い込んだ空気に含まれる窒素を吸着剤に吸着させることによって、窒素濃度が低くて酸素濃度および二酸化炭素濃度が高い空気を生成する工程と、吸着剤から窒素を脱離させて窒素濃度が高くて酸素濃度及び二酸化炭素濃度が低い空気を生成する工程とを交互に繰り返し行う。
【０２２９】
−第６変形例−
上記各実施形態の庫内空気調節装置（30）は、定置型の冷蔵庫または冷凍庫に設けられてもよい。また、上記各実施形態の庫内空気調節装置（30）は、トラックや鉄道などで輸送される陸上輸送用の冷蔵・冷凍コンテナに設けられていてもよい。また、上記各実施形態の庫内空気調節装置（30）は、荷室を形成する箱体が車台と一体になった冷蔵・冷凍トラックに設けられていてもよい。
【産業上の利用可能性】
【０２３０】
以上説明したように、本開示は、収納庫の庫内空気の組成を調節する庫内空気調節装置について有用である。
【符号の説明】
【０２３１】
1    輸送用コンテナ（収納庫）
30    庫内空気調節装置
36    第１ポンプ（エアポンプ）
37    第２ポンプ（エアポンプ）
39    インバータ（圧力調節器）
40    第１組成調節部（ガス組成調節部）
46    第１調節弁（弁機構（圧力調節器））
53    第１一次側管（ガス通路）
55    庫外側吸入管（ガス通路）
60    第２組成調節部（ガス組成調節部）
66    第２調節弁（弁機構（圧力調節器））
73    第２一次側管（ガス通路）
75    庫内側吸入管（ガス通路）
85    ガス分離膜
120  供給管（ガス通路）
【手続補正２】
【補正対象書類名】特許請求の範囲
【補正対象項目名】全文
【補正方法】変更
【補正の内容】
【特許請求の範囲】
【請求項１】
収納庫（1）の内部の庫内空気の組成を調節する庫内空気調節装置であって、
上記収納庫（1）の外部の庫外空気から該庫外空気とは組成が異なる供給用空気をガス分離膜（85）で分離する第１分離部（41）を有し、上記供給用空気を上記収納庫（1）の内部へ供給する第１組成調節部（40）と、
上記収納庫（1）の内部の庫内空気から該庫内空気とは組成が異なる排出用空気をガス分離膜（85）で分離する第２分離部（61）を有し、上記排出用空気を上記収納庫（1）の外部へ排出する第２組成調節部（60）と、
上記第１分離部（41）及び第２分離部（61）へ空気を供給するエアポンプ（36，37）と、を備え、
上記第１分離部（41）及び第２分離部（61）の少なくとも一方へ上記エアポンプ（36，37）から供給される空気の圧力を調節する圧力調節器（39，46，66，48，68）を備え、
上記圧力調節器（39，46，66，48，68）は、上記ガス分離膜（85）の下流側に設けられた弁機構（46，66）により構成され、
上記圧力調節器（66）は、上記第２組成調節部（60）の分離膜（85）の下流側に設けられている
ことを特徴とする庫内空気調節装置。
【請求項２】
収納庫（1）の内部の庫内空気の組成を調節する庫内空気調節装置であって、
上記収納庫（1）の外部の庫外空気から該庫外空気とは組成が異なる供給用空気をガス分離膜（85）で分離する第１分離部（41）を有し、上記供給用空気を上記収納庫（1）の内部へ供給する第１組成調節部（40）と、
上記収納庫（1）の内部の庫内空気から該庫内空気とは組成が異なる排出用空気をガス分離膜（85）で分離する第２分離部（61）を有し、上記排出用空気を上記収納庫（1）の外部へ排出する第２組成調節部（60）と、
上記第１分離部（41）及び第２分離部（61）へ空気を供給するエアポンプ（36，37）と、を備え、
上記第１分離部（41）及び第２分離部（61）の少なくとも一方へ上記エアポンプ（36，37）から供給される空気の圧力を調節する圧力調節器（39，46，66，48，68）を備え、
上記圧力調節器（39，46，66，48，68）は、上記ガス分離膜（85）の下流側に設けられた弁機構（46，66）により構成され、
上記圧力調節器（46，66）は、第１組成調節部（40）の分離膜（85）の下流側と、上記第２組成調節部（60）の分離膜（85）の下流側とに設けられている
ことを特徴とする庫内空気調節装置。
【請求項３】
収納庫（1）の内部の庫内空気の組成を調節する庫内空気調節装置であって、
上記収納庫（1）の外部の庫外空気から該庫外空気とは組成が異なる供給用空気をガス分離膜（85）で分離する第１分離部（41）を有し、上記供給用空気を上記収納庫（1）の内部へ供給する第１組成調節部（40）と、
上記収納庫（1）の内部の庫内空気から該庫内空気とは組成が異なる排出用空気をガス分離膜（85）で分離する第２分離部（61）を有し、上記排出用空気を上記収納庫（1）の外部へ排出する第２組成調節部（60）と、
上記第１分離部（41）及び第２分離部（61）へ空気を供給するエアポンプ（36，37）と、を備え、
上記第１分離部（41）及び第２分離部（61）の少なくとも一方へ上記エアポンプ（36，37）から供給される空気の圧力を調節する圧力調節器（39，46，66，48，68）を備え、
上記圧力調節器（48，68）は、上記エアポンプ（36，37）への空気の流入側に設けられている
ことを特徴とする庫内空気調節装置。
【請求項４】
収納庫（1）の内部の庫内空気の組成を調節する庫内空気調節装置であって、
上記収納庫（1）の外部の庫外空気から該庫外空気とは組成が異なる供給用空気をガス分離膜（85）で分離する第１分離部（41）を有し、上記供給用空気を上記収納庫（1）の内部へ供給する第１組成調節部（40）と、
上記収納庫（1）の内部の庫内空気から該庫内空気とは組成が異なる排出用空気をガス分離膜（85）で分離する第２分離部（61）を有し、上記排出用空気を上記収納庫（1）の外部へ排出する第２組成調節部（60）と、
上記第１分離部（41）及び第２分離部（61）へ空気を供給するエアポンプ（36，37）と、を備え、
上記第１分離部（41）及び第２分離部（61）の少なくとも一方へ上記エアポンプ（36，37）から供給される空気の圧力を調節する圧力調節器（39，46，66，48，68）を備え、
上記圧力調節器（48，68）は、上記エアポンプ（36，37）からの空気の流出側に設けられている
ことを特徴とする庫内空気調節装置。
【請求項５】
請求項１から４の何れか１つにおいて、
第１組成調節部（40）に代えて、上記収納庫（1）の庫内空気から窒素と酸素及び二酸化炭素とを分離し、庫内空気よりも窒素濃度が高くて酸素濃度及び二酸化炭素濃度が低い低酸素濃度ガスと、庫内空気よりも窒素濃度が低くて酸素濃度及び二酸化炭素濃度が高い高酸素濃度ガスとを生成可能な吸着剤が設けられた吸着部（234,235）を備えている
ことを特徴とする庫内空気調節装置。
【請求項６】
収納庫（1）の内部の庫内空気の組成を調節する庫内空気調節装置であって、
上記収納庫（1）の外部の庫外空気から該庫外空気とは組成が異なる供給用空気をガス分離膜（85）で分離する第１分離部（41）を有し、上記供給用空気を上記収納庫（1）の内部へ供給する第１組成調節部（40）と、
上記収納庫（1）の内部の庫内空気から該庫内空気とは組成が異なる排出用空気をガス分離膜（85）で分離する第２分離部（61）を有し、上記排出用空気を上記収納庫（1）の外部へ排出する第２組成調節部（60）と、
上記第１分離部（41）及び第２分離部（61）へ空気を供給するエアポンプ（36，37）と、を備え、
上記第１分離部（41）及び第２分離部（61）の少なくとも一方へ上記エアポンプ（36，37）から供給される空気の圧力を調節する圧力調節器（39，46，66，48，68）を備え、
第１組成調節部（40）に代えて、上記収納庫（1）の庫内空気から窒素と酸素及び二酸化炭素とを分離し、庫内空気よりも窒素濃度が高くて酸素濃度及び二酸化炭素濃度が低い低酸素濃度ガスと、庫内空気よりも窒素濃度が低くて酸素濃度及び二酸化炭素濃度が高い高酸素濃度ガスとを生成可能な吸着剤が設けられた吸着部（234,235）を備えている
ことを特徴とする庫内空気調節装置。
【請求項７】
請求項１から６の何れか１つにおいて、
上記収納庫（1）の庫内の二酸化炭素濃度と酸素濃度を測定する濃度測定器（90）と、
上記濃度測定器（90）の測定値を予め定められた二酸化炭素濃度の目標値及び酸素濃度の目標値に近づけるように、エアポンプ（36，37）から供給される空気の圧力を上記圧力調節器（39，46，66，48，68）で制御して、上記ガス分離膜（85）の分離圧力を調整する制御器（110）と、
を備えていることを特徴とする庫内空気調節装置。
【請求項８】
収納庫（1）の内部の庫内空気の組成を調節する庫内空気調節装置であって、
上記収納庫（1）の外部の庫外空気から該庫外空気とは組成が異なる供給用空気をガス分離膜（85）で分離する第１分離部（41）を有し、上記供給用空気を上記収納庫（1）の内部へ供給する第１組成調節部（40）と、
上記収納庫（1）の内部の庫内空気から該庫内空気とは組成が異なる排出用空気をガス分離膜（85）で分離する第２分離部（61）を有し、上記排出用空気を上記収納庫（1）の外部へ排出する第２組成調節部（60）と、
上記第１分離部（41）及び第２分離部（61）へ空気を供給するエアポンプ（36，37）と、を備え、
上記第１分離部（41）及び第２分離部（61）の少なくとも一方へ上記エアポンプ（36，37）から供給される空気の圧力を調節する圧力調節器（39，46，66，48，68）を備え、
上記収納庫（1）の庫内の二酸化炭素濃度と酸素濃度を測定する濃度測定器（90）と、
上記濃度測定器（90）の測定値を予め定められた二酸化炭素濃度の目標値及び酸素濃度の目標値に近づけるように、エアポンプ（36，37）から供給される空気の圧力を上記圧力調節器（39，46，66，48，68）で制御して、上記ガス分離膜（85）の分離圧力を調整する制御器（110）と、
を備え、
上記制御器（110）は、上記収納庫（1）の庫内の二酸化炭素濃度が目標値よりも高く、上記収納庫（1）の庫内の酸素濃度が目標値よりも高い場合に、第１組成調節部（40）で庫外空気よりも酸素濃度が低い低酸素濃度ガスを生成して収納庫（1）の庫内へ供給し、第２組成調節部（60）でガス分離膜（85）の分離圧力を低下させて庫外へのガスの排出量を低下させる
ことを特徴とする庫内空気調節装置。
【請求項９】
収納庫（1）の内部の庫内空気の組成を調節する庫内空気調節装置であって、
上記収納庫（1）の外部の庫外空気から該庫外空気とは組成が異なる供給用空気をガス分離膜（85）で分離する第１分離部（41）を有し、上記供給用空気を上記収納庫（1）の内部へ供給する第１組成調節部（40）と、
上記収納庫（1）の内部の庫内空気から該庫内空気とは組成が異なる排出用空気をガス分離膜（85）で分離する第２分離部（61）を有し、上記排出用空気を上記収納庫（1）の外部へ排出する第２組成調節部（60）と、
上記第１分離部（41）及び第２分離部（61）へ空気を供給するエアポンプ（36，37）と、を備え、
上記第１分離部（41）及び第２分離部（61）の少なくとも一方へ上記エアポンプ（36，37）から供給される空気の圧力を調節する圧力調節器（39，46，66，48，68）を備え、
上記収納庫（1）の庫内の二酸化炭素濃度と酸素濃度を測定する濃度測定器（90）と、
上記濃度測定器（90）の測定値を予め定められた二酸化炭素濃度の目標値及び酸素濃度の目標値に近づけるように、エアポンプ（36，37）から供給される空気の圧力を上記圧力調節器（39，46，66，48，68）で制御して、上記ガス分離膜（85）の分離圧力を調整する制御器（110）と、
を備え、
上記第２組成調節部（60）は、組成調節後の空気を収納庫（1）の庫内へ供給可能に構成され、
上記制御器（110）は、上記収納庫（1）の二酸化炭素濃度が目標値よりも低く、上記収納庫（1）の酸素濃度が目標値よりも高い場合に、第１組成調節部（40）で庫外空気よりも酸素濃度が低い低酸素濃度ガスを生成して収納庫（1）の庫内へ供給し、第２組成調節部（60）のガス分離膜（85）の分離圧力を上昇させて収納庫（1）の庫内へ戻す組成調節後の空気量を増加させる
ことを特徴とする庫内空気調節装置。
【請求項１０】
収納庫（1）の内部の庫内空気の組成を調節する庫内空気調節装置であって、
上記収納庫（1）の外部の庫外空気から該庫外空気とは組成が異なる供給用空気をガス分離膜（85）で分離する第１分離部（41）を有し、上記供給用空気を上記収納庫（1）の内部へ供給する第１組成調節部（40）と、
上記収納庫（1）の内部の庫内空気から該庫内空気とは組成が異なる排出用空気をガス分離膜（85）で分離する第２分離部（61）を有し、上記排出用空気を上記収納庫（1）の外部へ排出する第２組成調節部（60）と、
上記第１分離部（41）及び第２分離部（61）へ空気を供給するエアポンプ（36，37）と、を備え、
上記第１分離部（41）及び第２分離部（61）の少なくとも一方へ上記エアポンプ（36，37）から供給される空気の圧力を調節する圧力調節器（39，46，66，48，68）を備え、
上記収納庫（1）の庫内の二酸化炭素濃度と酸素濃度を測定する濃度測定器（90）と、
上記濃度測定器（90）の測定値を予め定められた二酸化炭素濃度の目標値及び酸素濃度の目標値に近づけるように、エアポンプ（36，37）から供給される空気の圧力を上記圧力調節器（39，46，66，48，68）で制御して、上記ガス分離膜（85）の分離圧力を調整する制御器（110）と、
を備え、
上記第２組成調節部（60）は、組成調節後の空気を収納庫（1）の庫内へ供給可能に構成され、
上記制御器（110）は、上記収納庫（1）の二酸化炭素濃度が目標値よりも低く、上記収納庫（1）の酸素濃度が目標値よりも低い場合に、第１組成調節部（40）で生成した庫外空気よりも酸素濃度が高い高酸素濃度ガスまたは庫外空気を収納庫（1）の庫内へ供給し、第２組成調節部（60）のガス分離膜（85）の分離圧力を上昇させて収納庫（1）の庫内へ戻す組成調節後の空気量を増加させる
ことを特徴とする庫内空気調節装置。
【請求項１１】
収納庫（1）の内部の庫内空気の組成を調節する庫内空気調節装置であって、
上記収納庫（1）の外部の庫外空気から該庫外空気とは組成が異なる供給用空気をガス分離膜（85）で分離する第１分離部（41）を有し、上記供給用空気を上記収納庫（1）の内部へ供給する第１組成調節部（40）と、
上記収納庫（1）の内部の庫内空気から該庫内空気とは組成が異なる排出用空気をガス分離膜（85）で分離する第２分離部（61）を有し、上記排出用空気を上記収納庫（1）の外部へ排出する第２組成調節部（60）と、
上記第１分離部（41）及び第２分離部（61）へ空気を供給するエアポンプ（36，37）と、を備え、
上記第１分離部（41）及び第２分離部（61）の少なくとも一方へ上記エアポンプ（36，37）から供給される空気の圧力を調節する圧力調節器（39，46，66，48，68）を備え、
上記収納庫（1）の庫内の二酸化炭素濃度と酸素濃度を測定する濃度測定器（90）と、
上記濃度測定器（90）の測定値を予め定められた二酸化炭素濃度の目標値及び酸素濃度の目標値に近づけるように、エアポンプ（36，37）から供給される空気の圧力を上記圧力調節器（39，46，66，48，68）で制御して、上記ガス分離膜（85）の分離圧力を調整する制御器（110）と、
を備え、
上記制御器（110）は、上記収納庫（1）の二酸化炭素濃度が目標値よりも高く、上記収納庫（1）の酸素濃度が目標値よりも低い場合に、庫外空気を庫内空間（1）へ供給し、第２組成調節部（60）のガス分離膜（85）の分離圧力を上昇させて生成した、庫内空気よりも二酸化炭素濃度が高い二酸化炭素ガスを庫外空間（1）へ排出する動作か、または、第１組成調節部（40）で生成した庫外空気よりも酸素濃度が高い高酸素濃度ガスを庫内空間（1）へ供給し、第２組成調節部（60）のガス分離膜（85）の分離圧力を低下させて庫外へ排出する組成調節後の空気量を減少させる動作を行う
ことを特徴とする庫内空気調節装置。